(57)【要約】  基地局は、基地局とＵＥとの間の通信をスケジューリングするダウンリンク制御情報（ＤＣＩ）を送信することができる。ＤＣＩはフォールバックＤＣＩフォーマットにある。ＤＣＩがＵＥのＵＥ  ＩＤによってスクランブルされた巡回冗長検査（ＣＲＣ）によるＵＥ固有の探索空間にあるかどうかに基づいて、ＤＣＩに従って基地局又はＵＥによって送信されるデータは、設定可能なパラメータにより初期化される又はセルｉｄによって初期化されるシーケンスによってスクランブルされることが可能である。
2021519561.tif 000002
【特許請求の範囲】
【請求項１】
ユーザー装置（ＵＥ）が、前記ＵＥのデータ通信をスケジューリングするダウンリンク制御情報（ＤＣＩ）を受信するステップ；及び
前記ＵＥが、前記ＤＣＩに従ってデータを受信するステップであって、前記データはシーケンスによりスクランブルされ、前記シーケンスは、前記ＤＣＩが第１フォーマットにあり且つ前記ＤＣＩが、前記ＵＥのＵＥ識別子（ＩＤ）によりスクランブルされた巡回冗長検査（ＣＲＣ）によるＵＥ固有の探索空間にある場合に、設定可能なパラメータにより初期化される、ステップ；
を含む方法。
【請求項２】
前記ＵＥが、前記設定可能なパラメータを基地局（ＢＳ）から受信するステップ；
を更に含む請求項１に記載の方法。
【請求項３】
前記ＤＣＩが、前記ＵＥの前記ＵＥ  ＩＤによりスクランブルされたＣＲＣによる共通の探索空間にある場合に、前記シーケンスはセルＩＤにより初期化される、請求項１又は２に記載の方法。
【請求項４】
前記ＤＣＩに従って前記データを受信するステップは：
前記ＤＣＩが第１フォーマットにあり且つ前記ＤＣＩが、前記ＵＥのＵＥ識別子（ＩＤ）によりスクランブルされた巡回冗長検査（ＣＲＣ）によるＵＥ固有の探索空間にある場合に、設定可能なパラメータにより初期化された前記シーケンスを利用して前記データを前記ＵＥによりデスクランブルするステップ；
を含む、請求項１〜３のうちの何れか１項に記載の方法。
【請求項５】
前記ＤＣＩの前記第１フォーマットは、フォールバック用のＤＣＩのフォーマットである、請求項１〜４のうちの何れか１項に記載の方法。
【請求項６】
前記ＵＥ  ＩＤは、セル無線ネットワーク一時識別子（Ｃ−ＲＮＴＩ）、変調及び符号化方式−Ｃ−ＲＮＴＩ（ＭＣＳ−Ｃ−ＲＮＴＩ）、又は設定されたスケジューリング−ＲＮＴＩ（ＣＳ−ＲＮＴＩ）を含む、請求項１〜５のうちの何れか１項に記載の方法。
【請求項７】
前記シーケンスは、ｎＩＤにより表現される前記設定可能なパラメータに基づいて決定される初期化シーケンスを利用して初期化され、ｎＩＤ∈｛０，１，．．．，１０２３｝は、前記ＤＣＩが第１フォーマットにあり且つ前記ＤＣＩが、前記ＵＥのＵＥ識別子（ＩＤ）によりスクランブルされた巡回冗長検査（ＣＲＣ）によるＵＥ固有の探索空間にある場合に、上位レイヤ・シグナリングにより設定される、請求項１〜６のうちの何れか１項に記載の方法。
【請求項８】
前記初期化シーケンスは、ｎＩＤにより表現される前記設定可能なパラメータに基づいて決定され、前記初期化シーケンスは、ｃｉｎｉｔ＝ｎＲＮＴＩ・２１５＋ｑ・２１４＋ｎＩＤを充足し、ｃｉｎｉｔは前記初期化シーケンスであり、ｎＲＮＴＩは物理ダウンリンク共有チャネル（ＰＤＳＣＨ）伝送に関連するＲＮＴＩに対応する、請求項７に記載の方法。
【請求項９】
前記ＤＣＩを受信するステップは、無線リソース制御（ＲＲＣ）設定手順が実行された後に、前記ＤＣＩを検出するステップを含む、請求項１〜８のうちの何れか１項に記載の方法。
【請求項１０】
前記第１フォーマットは、ＰＤＳＣＨに対するＤＣＩフォーマット１＿０を含む、請求項１〜９のうちの何れか１項に記載の方法。
【請求項１１】
非一時的なメモリ・ストレージに結合するように構成された１つ以上のプロセッサを含む装置であって、前記非一時的なメモリ・ストレージは命令を格納するように構成され、命令は、実行されると前記１つ以上のプロセッサに：
前記装置又は前記装置が使用されるＵＥのデータ通信をスケジューリングするダウンリンク制御情報（ＤＣＩ）を受信するステップ；及び
前記ＤＣＩに従ってデータを受信するステップであって、前記データはシーケンスによりスクランブルされ、前記シーケンスは、前記ＤＣＩが第１フォーマットにあり且つ前記ＤＣＩが、前記装置又は前記装置が使用されるＵＥのＵＥ識別子（ＩＤ）によりスクランブルされた巡回冗長検査（ＣＲＣ）によるＵＥ固有の探索空間にある場合に、設定可能なパラメータにより初期化される、ステップ；
を実行させる、装置。
【請求項１２】
前記１つ以上のプロセッサは：
前記設定可能なパラメータを基地局（ＢＳ）から受信するステップ；
のための命令を更に実行する、請求項１１に記載の装置。
【請求項１３】
前記ＤＣＩが、前記装置又は前記装置が使用されるＵＥの前記ＵＥ  ＩＤによりスクランブルされたＣＲＣによる共通の探索空間にある場合に、前記シーケンスはセルＩＤにより初期化される、請求項１１又は１２に記載の装置。
【請求項１４】
前記ＤＣＩに従って前記データを受信するステップは：
前記ＤＣＩが第１フォーマットにあり且つ前記ＤＣＩが、前記装置又は前記装置が使用されるＵＥのＵＥ識別子（ＩＤ）によりスクランブルされた巡回冗長検査（ＣＲＣ）によるＵＥ固有の探索空間にある場合に、設定可能なパラメータにより初期化された前記シーケンスを利用して前記データをデスクランブルするステップ；
を含む、請求項１１〜１３のうちの何れか１項に記載の装置。
【請求項１５】
前記ＤＣＩの前記第１フォーマットは、フォールバック用のＤＣＩのフォーマットである、請求項１１〜１４のうちの何れか１項に記載の装置。
【請求項１６】
前記ＵＥ  ＩＤは、セル無線ネットワーク一時識別子（Ｃ−ＲＮＴＩ）、変調及び符号化方式−Ｃ−ＲＮＴＩ（ＭＣＳ−Ｃ−ＲＮＴＩ）、又は設定されたスケジューリング−ＲＮＴＩ（ＣＳ−ＲＮＴＩ）を含む、請求項１１〜１５のうちの何れか１項に記載の装置。
【請求項１７】
前記シーケンスは、ｎＩＤにより表現される前記設定可能なパラメータに基づいて決定される初期化シーケンスを利用して初期化され、ｎＩＤ∈｛０，１，．．．，１０２３｝は、前記ＤＣＩが第１フォーマットにあり且つ前記ＤＣＩが、前記装置又は前記装置が使用されるＵＥのＵＥ識別子（ＩＤ）によりスクランブルされた巡回冗長検査（ＣＲＣ）によるＵＥ固有の探索空間にある場合に、上位レイヤ・シグナリングにより設定される、請求項１１〜１６のうちの何れか１項に記載の装置。
【請求項１８】
前記初期化シーケンスは、ｎＩＤにより表現される前記設定可能なパラメータに基づいて決定され、前記初期化シーケンスは、ｃｉｎｉｔ＝ｎＲＮＴＩ・２１５＋ｑ・２１４＋ｎＩＤを充足し、ｃｉｎｉｔは前記初期化シーケンスであり、ｎＲＮＴＩは物理ダウンリンク共有チャネル（ＰＤＳＣＨ）伝送に関連するＲＮＴＩに対応する、請求項１７に記載の装置。
【請求項１９】
前記ＤＣＩを受信するステップは、無線リソース制御（ＲＲＣ）設定手順が実行された後に、前記ＤＣＩを検出するステップを含む、請求項１１〜１８のうちの何れか１項に記載の装置。
【請求項２０】
前記第１フォーマットは、ＰＤＳＣＨに対するＤＣＩフォーマット１＿０を含む、請求項１１〜１９のうちの何れか１項に記載の装置。
【請求項２１】
コンピュータ命令を記憶する非一時的なコンピュータ読み取り可能な媒体であって、前記コンピュータ命令は、１つ以上のプロセッサにより実行されると、前記１つ以上のプロセッサに：
前記媒体が使用されるユーザー装置（ＵＥ）のデータ通信をスケジューリングするダウンリンク制御情報（ＤＣＩ）を受信するステップ；及び
前記ＤＣＩに従ってデータを受信するステップであって、前記データはシーケンスによりスクランブルされ、前記シーケンスは、前記ＤＣＩが第１フォーマットにあり且つ前記ＤＣＩが、前記ＵＥのＵＥ識別子（ＩＤ）によりスクランブルされた巡回冗長検査（ＣＲＣ）によるＵＥ固有の探索空間にある場合に、設定可能なパラメータにより初期化される、ステップ；
を実行させる、非一時的なコンピュータ読み取り可能な媒体。
【請求項２２】
前記コンピュータ命令は、前記１つ以上のプロセッサに：
前記設定可能なパラメータを基地局（ＢＳ）から受信するステップ；
を更に実行させる、請求項２１に記載の非一時的なコンピュータ読み取り可能な媒体。
【請求項２３】
前記ＤＣＩが、前記ＵＥの前記ＵＥ  ＩＤによりスクランブルされたＣＲＣによる共通の探索空間にある場合に、前記シーケンスはセルＩＤにより初期化される、請求項２１又は２２に記載の非一時的なコンピュータ読み取り可能な媒体。
【請求項２４】
前記ＤＣＩに従って前記データを受信するステップは：
前記ＤＣＩが第１フォーマットにあり且つ前記ＤＣＩが、前記ＵＥのＵＥ識別子（ＩＤ）によりスクランブルされた巡回冗長検査（ＣＲＣ）によるＵＥ固有の探索空間にある場合に、設定可能なパラメータにより初期化された前記シーケンスを利用して前記データをデスクランブルするステップ、
を含む、請求項２１〜２３のうちの何れか１項に記載の非一時的なコンピュータ読み取り可能な媒体。
【請求項２５】
前記ＤＣＩの前記第１フォーマットは、フォールバック用のＤＣＩのフォーマットである、請求項２１〜２４のうちの何れか１項に記載の非一時的なコンピュータ読み取り可能な媒体。
【請求項２６】
前記ＵＥ  ＩＤは、セル無線ネットワーク一時識別子（Ｃ−ＲＮＴＩ）、変調及び符号化方式−Ｃ−ＲＮＴＩ（ＭＣＳ−Ｃ−ＲＮＴＩ）、又は設定されたスケジューリング−ＲＮＴＩ（ＣＳ−ＲＮＴＩ）を含む、請求項２１〜２５のうちの何れか１項に記載の非一時的なコンピュータ読み取り可能な媒体。
【請求項２７】
前記シーケンスは、ｎＩＤにより表現される前記設定可能なパラメータに基づいて決定される初期化シーケンスを利用して初期化され、ｎＩＤ∈｛０，１，．．．，１０２３｝は、前記ＤＣＩが第１フォーマットにあり且つ前記ＤＣＩが、前記ＵＥのＵＥ識別子（ＩＤ）によりスクランブルされた巡回冗長検査（ＣＲＣ）によるＵＥ固有の探索空間にある場合に、上位レイヤ・シグナリングにより設定される、請求項２１〜２６のうちの何れか１項に記載の非一時的なコンピュータ読み取り可能な媒体。
【請求項２８】
前記初期化シーケンスは、ｎＩＤにより表現される前記設定可能なパラメータに基づいて決定され、前記初期化シーケンスは、ｃｉｎｉｔ＝ｎＲＮＴＩ・２１５＋ｑ・２１４＋ｎＩＤを充足し、ｃｉｎｉｔは前記初期化シーケンスであり、ｎＲＮＴＩは物理ダウンリンク共有チャネル（ＰＤＳＣＨ）伝送に関連するＲＮＴＩに対応する、請求項２７に記載の非一時的なコンピュータ読み取り可能な媒体。
【請求項２９】
ユーザー装置（ＵＥ）又はＵＥに使用される装置が、前記ＵＥのデータ通信をスケジューリングするダウンリンク制御情報（ＤＣＩ）を受信するステップ；及び
前記ＵＥ又は前記装置が、前記ＤＣＩに従ってデータを送信するステップであって、前記データはシーケンスによりスクランブルされ、前記シーケンスは、前記ＤＣＩが第１フォーマットにあり且つ前記ＤＣＩが、前記ＵＥのＵＥ識別子（ＩＤ）によりスクランブルされた巡回冗長検査（ＣＲＣ）によるＵＥ固有の探索空間にある場合に、設定可能なパラメータにより初期化される、ステップ；
を含む方法。
【請求項３０】
前記ＵＥ又は前記装置が、前記設定可能なパラメータを基地局（ＢＳ）から受信するステップ；
を更に含む請求項２９に記載の方法。
【請求項３１】
前記ＤＣＩが、前記ＵＥの前記ＵＥ  ＩＤによりスクランブルされたＣＲＣによる共通の探索空間にある場合に、前記シーケンスはセルＩＤにより初期化される、請求項２９又は３０に記載の方法。
【請求項３２】
前記ＤＣＩの前記第１フォーマットは、フォールバック用のＤＣＩのフォーマットである、請求項２９〜３１のうちの何れか１項に記載の方法。
【請求項３３】
前記ＵＥ  ＩＤは、セル無線ネットワーク一時識別子（Ｃ−ＲＮＴＩ）、変調及び符号化方式−Ｃ−ＲＮＴＩ（ＭＣＳ−Ｃ−ＲＮＴＩ）、又は設定されたスケジューリング−ＲＮＴＩ（ＣＳ−ＲＮＴＩ）を含む、請求項２９〜３２のうちの何れか１項に記載の方法。
【請求項３４】
前記ＤＣＩが第１フォーマットにあり且つ前記ＤＣＩが、前記ＵＥのＵＥ識別子（ＩＤ）によりスクランブルされた巡回冗長検査（ＣＲＣ）によるＵＥ固有の探索空間にある場合に、前記シーケンスは、ｎＩＤにより表現される前記設定可能なパラメータに基づいて決定される初期化シーケンスを利用して初期化される、請求項２９〜３３のうちの何れか１項に記載の方法。
【請求項３５】
前記初期化シーケンスは、ｎＩＤにより表現される前記設定可能なパラメータに基づいて決定され、前記ＤＣＩが第１フォーマットにあり且つ前記ＤＣＩが、前記ＵＥのＵＥ識別子（ＩＤ）によりスクランブルされた巡回冗長検査（ＣＲＣ）によるＵＥ固有の探索空間にある場合に、前記初期化シーケンスは、ｃｉｎｉｔ＝ｎＲＮＴＩ・２１５＋ｎＩＤを充足し、ｃｉｎｉｔは前記初期化シーケンスを表現し、ｎＲＮＴＩは物理アップリンク共有チャネル（ＰＵＳＣＨ）伝送に関連する無線ネットワーク一時識別子（ＲＮＴＩ）に対応する、請求項２９〜３４のうちの何れか１項に記載の方法。
【請求項３６】
前記ＤＣＩを受信するステップは、無線リソース制御（ＲＲＣ）設定手順が実行された後に、前記ＤＣＩを検出するステップを含む、請求項２９〜３５のうちの何れか１項に記載の方法。
【請求項３７】
前記第１フォーマットは、ＰＵＳＣＨに対するＤＣＩフォーマット０＿０を含む、請求項２９〜３６のうちの何れか１項に記載の方法。
【請求項３８】
基地局（ＢＳ）又はＢＳに使用される装置が、前記ＢＳとユーザー装置（ＵＥ）との間のデータ通信をスケジューリングする第１ダウンリンク制御情報（ＤＣＩ）を送信するステップであって、前記第１ＤＣＩは第１フォーマットにあり、前記第１ＤＣＩは、前記ＵＥのＵＥ識別子（ＩＤ）によりスクランブルされた巡回冗長検査（ＣＲＣ）によるＵＥ固有の探索空間にある、ステップ；及び
前記ＢＳ又は前記装置が、前記第１ＤＣＩに従って第１データを送信するステップであって、前記第１データは、設定可能なパラメータにより初期化された第１シーケンスによりスクランブルされる、ステップ；
を含む方法。
【請求項３９】
前記ＢＳ又は前記装置が、前記ＢＳと前記ＵＥとの間のデータ通信をスケジューリングする第２ＤＣＩを送信するステップであって、前記第２ＤＣＩは、前記ＵＥの前記ＵＥ  ＩＤによりスクランブルされたＣＲＣによる共通の探索空間にある、ステップ；
前記ＢＳ又は前記装置が、前記第２ＤＣＩに従って第２データを送信するステップであって、前記第２データは、セル識別子（ＩＤ）により初期化された第２シーケンスによりスクランブルされる、ステップ；
を更に含む請求項３８に記載の方法。
【請求項４０】
前記第１ＤＣＩの前記第１フォーマットは、フォールバック用のＤＣＩのフォーマットである、請求項３８又は３９に記載の方法。
【請求項４１】
前記ＵＥ  ＩＤは、セル無線ネットワーク一時識別子（Ｃ−ＲＮＴＩ）、変調及び符号化方式−Ｃ−ＲＮＴＩ（ＭＣＳ−Ｃ−ＲＮＴＩ）、又は設定されたスケジューリング−ＲＮＴＩ（ＣＳ−ＲＮＴＩ）を含む、請求項３８〜４０のうちの何れか１項に記載の方法。
【請求項４２】
前記第１シーケンスは、ｎＩＤにより表現される前記設定可能なパラメータに基づいて決定される初期化シーケンスを利用して初期化される、請求項３８〜４１のうちの何れか１項に記載の方法。
【請求項４３】
ｎＩＤ∈｛０，１，．．．，１０２３｝は、上位レイヤ・シグナリングにより設定される、請求項４２に記載の方法。
【請求項４４】
前記初期化された第１シーケンスは、ｎＩＤにより表現される前記設定可能なパラメータに基づいて決定され、前記初期化された第１シーケンスは、ｃｉｎｉｔ＝ｎＲＮＴＩ・２１５＋ｑ・２１４＋ｎＩＤを充足し、ｃｉｎｉｔは前記初期化された第１シーケンスであり、ｎＲＮＴＩは物理ダウンリンク共有チャネル（ＰＤＳＣＨ）伝送に関連するＲＮＴＩに対応する、請求項３８〜４３のうちの何れか１項に記載の方法。
【請求項４５】
基地局（ＢＳ）又はＢＳに使用される装置が、前記ＢＳとユーザー装置（ＵＥ）との間のデータ通信をスケジューリングする第１ダウンリンク制御情報（ＤＣＩ）を送信するステップであって、前記第１ＤＣＩは第１フォーマットにあり、前記第１ＤＣＩは、前記ＵＥのＵＥ識別子（ＩＤ）によりスクランブルされた巡回冗長検査（ＣＲＣ）によるＵＥ固有の探索空間にある、ステップ；及び
前記ＢＳ又は前記装置が、前記第１ＤＣＩに従って第１データを受信するステップであって、前記第１データは、設定可能なパラメータにより初期化された第１シーケンスによりスクランブルされる、ステップ；
を含む方法。
【請求項４６】
前記第１ＤＣＩに従って前記第１データを受信するステップは：
前記ＢＳ又は前記装置が、前記設定可能なパラメータにより初期化された前記第１シーケンスを利用して前記第１データをデスクランブルするステップ；
を含む請求項４５に記載の方法。
【請求項４７】
前記ＢＳ又は前記装置が、前記ＢＳと前記ＵＥとの間のデータ通信をスケジューリングする第２ＤＣＩを送信するステップであって、前記第２ＤＣＩは、前記ＵＥの前記ＵＥ  ＩＤによりスクランブルされたＣＲＣによる共通の探索空間にある、ステップ；
前記ＢＳ又は前記装置が、前記第２ＤＣＩに従って第２データを受信するステップであって、前記第２データは、セル識別子（ＩＤ）により初期化された第２シーケンスによりスクランブルされる、ステップ；
を更に含む請求項４５又は４６に記載の方法。
【請求項４８】
前記第１ＤＣＩの前記第１フォーマットは、フォールバック用のＤＣＩのフォーマットである、請求項４５〜４７のうちの何れか１項に記載の方法。
【請求項４９】
前記ＵＥ  ＩＤは、セル無線ネットワーク一時識別子（Ｃ−ＲＮＴＩ）、又は設定されたスケジューリング−ＲＮＴＩ（ＣＳ−ＲＮＴＩ）を含む、請求項４５〜４８のうちの何れか１項に記載の方法。
【請求項５０】
前記第１シーケンスは、ｎＩＤにより表現される前記設定可能なパラメータに基づいて決定される初期化シーケンスを利用して初期化される、請求項４５〜４９のうちの何れか１項に記載の方法。
【請求項５１】
前記初期化された第１シーケンスは、ｎＩＤにより表現される前記設定可能なパラメータに基づいて決定され、前記初期化された第１シーケンスは、ｃｉｎｉｔ＝ｎＲＮＴＩ・２１５＋ｎＩＤを充足し、ｃｉｎｉｔは前記初期化された第１シーケンスであり、ｎＲＮＴＩは物理アップリンク共有チャネル（ＰＵＳＣＨ）伝送に関連する無線ネットワーク一時識別子（ＲＮＴＩ）に対応する、請求項４５〜５０のうちの何れか１項に記載の方法。
【請求項５２】
基地局又は基地局に使用される装置が、前記基地局（ＢＳ）とユーザー装置（ＵＥ）との間のデータ通信をスケジューリングする第１ダウンリンク制御情報（ＤＣＩ）を送信するステップであって、前記第１ＤＣＩは第１フォーマットにあり、前記第１ＤＣＩは、前記ＵＥのＵＥ識別子（ＩＤ）によりスクランブルされた巡回冗長検査（ＣＲＣ）によるＵＥ固有の探索空間にある、ステップ；及び
前記基地局又は前記基地局に使用される前記装置が、前記第１ＤＣＩに従って第１データを受信するステップであって、前記第１データは、設定可能なパラメータにより初期化された第１シーケンスによりスクランブルされる、ステップ；
を含む方法。
【請求項５３】
前記第１ＤＣＩに従って前記第１データを受信するステップは：
前記設定可能なパラメータにより初期化された前記第１シーケンスを利用して前記第１データをデスクランブルするステップ；
を含む請求項５２に記載の方法。
【請求項５４】
前記ＢＳ又は前記装置が、前記装置又は前記装置が使用される前記基地局（ＢＳ）と前記ＵＥとの間のデータ通信をスケジューリングする第２ＤＣＩを送信するステップであって、前記第２ＤＣＩは、前記ＵＥの前記ＵＥ  ＩＤによりスクランブルされたＣＲＣによる共通の探索空間にある、ステップ；及び
前記第２ＤＣＩに従って第２データを受信するステップであって、前記第２データは、セル識別子（ＩＤ）により初期化された第２シーケンスによりスクランブルされる、ステップ；
を更に含む請求項５２又は５３に記載の方法。
【請求項５５】
前記第１ＤＣＩの前記第１フォーマットは、フォールバック用のＤＣＩのフォーマットである、請求項５２〜５４のうちの何れか１項に記載の方法。
【請求項５６】
前記ＵＥ  ＩＤは、セル無線ネットワーク一時識別子（Ｃ−ＲＮＴＩ）、又は設定されたスケジューリング−ＲＮＴＩ（ＣＳ−ＲＮＴＩ）を含む、請求項５２〜５５のうちの何れか１項に記載の方法。
【請求項５７】
前記第１シーケンスは、ｎＩＤにより表現される前記設定可能なパラメータに基づいて決定される初期化シーケンスを利用して初期化される、請求項５２〜５６のうちの何れか１項に記載の方法。
【請求項５８】
ｎＩＤ∈｛０，１，．．．，１０２３｝は、上位レイヤ・シグナリングにより設定される、請求項５７に記載の方法。
【請求項５９】
前記初期化された第１シーケンスは、ｎＩＤにより表現される前記設定可能なパラメータに基づいて決定され、前記初期化された第１シーケンスは、ｃｉｎｉｔ＝ｎＲＮＴＩ・２１５＋ｎＩＤを充足し、ｃｉｎｉｔは前記初期化された第１シーケンスであり、ｎＲＮＴＩは物理アップリンク共有チャネル（ＰＵＳＣＨ）伝送に関連する無線ネットワーク一時識別子（ＲＮＴＩ）に対応する、請求項５２〜５８のうちの何れか１項に記載の方法。
【請求項６０】
少なくとも１つの非一時的なメモリ・ストレージに結合されるように構成された１つ以上のプロセッサを含む装置であって、前記非一時的なメモリ・ストレージは命令を格納するように構成され、命令は、実行されると前記１つ以上のプロセッサに：
装置のデータ通信をスケジューリングするダウンリンク制御情報（ＤＣＩ）を受信するステップ；及び
前記ＤＣＩに従ってデータを送信するステップであって、前記データはシーケンスによりスクランブルされ、前記シーケンスは、前記ＤＣＩが第１フォーマットにあり且つ前記ＤＣＩが、前記装置又は前記装置が使用されるＵＥのＵＥ識別子（ＩＤ）によりスクランブルされた巡回冗長検査（ＣＲＣ）によるＵＥ固有の探索空間にある場合に、設定可能なパラメータにより初期化される、ステップ；
を実行させる、装置。
【請求項６１】
前記１つ以上のプロセッサは：
前記設定可能なパラメータを基地局（ＢＳ）から受信するステップ；
のための前記命令を実行する、請求項６０に記載の装置。
【請求項６２】
前記ＤＣＩが、前記装置又は前記装置が使用される前記ＵＥの前記ＵＥ  ＩＤによりスクランブルされたＣＲＣによる共通の探索空間にある場合に、前記シーケンスはセルＩＤにより初期化される、請求項６０又は６１に記載の装置。
【請求項６３】
前記ＤＣＩの前記第１フォーマットは、フォールバック用のＤＣＩのフォーマットである、請求項６０〜６２のうちの何れか１項に記載の装置。
【請求項６４】
前記ＵＥ  ＩＤは、セル無線ネットワーク一時識別子（Ｃ−ＲＮＴＩ）、変調及び符号化方式−Ｃ−ＲＮＴＩ（ＭＣＳ−Ｃ−ＲＮＴＩ）、又は設定されたスケジューリング−ＲＮＴＩ（ＣＳ−ＲＮＴＩ）を含む、請求項６０〜６３のうちの何れか１項に記載の装置。
【請求項６５】
前記ＤＣＩが第１フォーマットにあり且つ前記ＤＣＩが、前記装置又は前記装置が使用されるＵＥのＵＥ識別子（ＩＤ）によりスクランブルされた巡回冗長検査（ＣＲＣ）によるＵＥ固有の探索空間にある場合に、前記シーケンスは、ｎＩＤにより表現される前記設定可能なパラメータに基づいて決定される初期化シーケンスを利用して初期化される、請求項６０〜６４のうちの何れか１項に記載の装置。
【請求項６６】
ｎＩＤ∈｛０，１，．．．，１０２３｝は、上位レイヤ・シグナリングにより設定される、請求項６５に記載の装置。
【請求項６７】
前記初期化シーケンスは、ｎＩＤにより表現される前記設定可能なパラメータに基づいて決定され、前記ＤＣＩが第１フォーマットにあり且つ前記ＤＣＩが、前記装置又は前記装置が使用されるＵＥのＵＥ識別子（ＩＤ）によりスクランブルされた巡回冗長検査（ＣＲＣ）によるＵＥ固有の探索空間にある場合に、前記初期化シーケンスは、ｃｉｎｉｔ＝ｎＲＮＴＩ・２１５＋ｎＩＤを充足し、ｃｉｎｉｔは前記初期化シーケンスであり、ｎＲＮＴＩは物理アップリンク共有チャネル（ＰＵＳＣＨ）伝送に関連する無線ネットワーク一時識別子（ＲＮＴＩ）に対応する、請求項６０〜６６のうちの何れか１項に記載の装置。
【請求項６８】
前記ＤＣＩを受信するステップは、無線リソース制御（ＲＲＣ）設定手順が実行された後に、前記ＤＣＩを検出するステップを含む、請求項６０〜６７のうちの何れか１項に記載の装置。
【請求項６９】
前記第１フォーマットは、ＰＵＳＣＨに対するＤＣＩフォーマット０＿０を含む、請求項６０〜６８のうちの何れか１項に記載の装置。
【請求項７０】
非一時的なメモリ・ストレージに結合するように構成された１つ以上のプロセッサを含む装置であって、前記非一時的なメモリ・ストレージは命令を格納するように構成され、命令は、実行されると前記１つ以上のプロセッサに：
前記装置又は前記装置が使用される基地局（ＢＳ）とユーザー装置（ＵＥ）との間のデータ通信をスケジューリングする第１ダウンリンク制御情報（ＤＣＩ）を送信するステップであって、前記第１ＤＣＩは第１フォーマットにあり、前記第１ＤＣＩは、前記ＵＥのＵＥ識別子（ＩＤ）によりスクランブルされた巡回冗長検査（ＣＲＣ）によるＵＥ固有の探索空間にある、ステップ；及び
前記第１ＤＣＩに従って第１データを送信するステップであって、前記第１データは、設定可能なパラメータにより初期化された第１シーケンスによりスクランブルされる、ステップ；
を実行させる、装置。
【請求項７１】
前記１つ以上のプロセッサは：
前記装置又は前記装置が使用される前記基地局（ＢＳ）と前記ＵＥとの間のデータ通信をスケジューリングする第２ＤＣＩを送信するステップであって、前記第２ＤＣＩは、前記ＵＥの前記ＵＥ  ＩＤによりスクランブルされたＣＲＣによる共通の探索空間にある、ステップ；及び
前記第２ＤＣＩに従って第２データを送信するステップであって、前記第２データは、セル識別子（ＩＤ）により初期化された第２シーケンスによりスクランブルされる、ステップ；
のための命令を更に実行する、請求項７０に記載の装置。
【請求項７２】
前記第１ＤＣＩの前記第１フォーマットは、フォールバック用のＤＣＩのフォーマットである、請求項７０又は７１に記載の装置。
【請求項７３】
前記ＵＥ  ＩＤは、セル無線ネットワーク一時識別子（Ｃ−ＲＮＴＩ）、又は設定されたスケジューリング−ＲＮＴＩ（ＣＳ−ＲＮＴＩ）を含む、請求項７０〜７２のうちの何れか１項に記載の装置。
【請求項７４】
前記第１シーケンスは、ｎＩＤにより表現される前記設定可能なパラメータに基づいて決定される初期化シーケンスを利用して初期化される、請求項７０〜７３のうちの何れか１項に記載の装置。
【請求項７５】
ｎＩＤ∈｛０，１，．．．，１０２３｝は、上位レイヤ・シグナリングにより設定される、請求項７４に記載の装置。
【請求項７６】
前記初期化された第１シーケンスは、ｎＩＤにより表現される前記設定可能なパラメータに基づいて決定され、前記初期化された第１シーケンスは、ｃｉｎｉｔ＝ｎＲＮＴＩ・２１５＋ｑ・２１４＋ｎＩＤを充足し、ｃｉｎｉｔは前記初期化された第１シーケンスを表現し、ｎＲＮＴＩは物理ダウンリンク共有チャネル（ＰＤＳＣＨ）伝送に関連するＲＮＴＩに対応する、請求項７０〜７５のうちの何れか１項に記載の装置。
【請求項７７】
非一時的なメモリ・ストレージに結合するように構成された１つ以上のプロセッサを含む装置であって、前記非一時的なメモリ・ストレージは命令を格納するように構成され、命令は、実行されると前記１つ以上のプロセッサに：
前記装置又は前記装置が使用される基地局（ＢＳ）とユーザー装置（ＵＥ）との間のデータ通信をスケジューリングする第１ダウンリンク制御情報（ＤＣＩ）を送信するステップであって、前記第１ＤＣＩは第１フォーマットにあり、前記第１ＤＣＩは、前記ＵＥのＵＥ識別子（ＩＤ）によりスクランブルされた巡回冗長検査（ＣＲＣ）によるＵＥ固有の探索空間にある、ステップ；及び
前記第１ＤＣＩに従って第１データを受信するステップであって、前記第１データは、設定可能なパラメータにより初期化された第１シーケンスによりスクランブルされる、ステップ；
を実行させる、装置。
【請求項７８】
前記第１ＤＣＩに従って前記第１データを受信するステップは：
前記設定可能なパラメータにより初期化された前記第１シーケンスを利用して前記第１データをデスクランブルするステップ；
を含む請求項７７に記載の装置。
【請求項７９】
前記１つ以上のプロセッサは：
前記装置又は前記装置が使用される前記基地局（ＢＳ）と前記ＵＥとの間のデータ通信をスケジューリングする第２ＤＣＩを送信するステップであって、前記第２ＤＣＩは、前記ＵＥの前記ＵＥ  ＩＤによりスクランブルされたＣＲＣによる共通の探索空間にある、ステップ；及び
前記第２ＤＣＩに従って第２データを受信するステップであって、前記第２データは、セル識別子（ＩＤ）により初期化された第２シーケンスによりスクランブルされる、ステップ；
のための命令を更に実行する、請求項７７又は７８に記載の装置。
【請求項８０】
前記第１ＤＣＩの前記第１フォーマットは、フォールバック用のＤＣＩのフォーマットである、請求項７７〜７９のうちの何れか１項に記載の装置。
【請求項８１】
前記ＵＥ  ＩＤは、セル無線ネットワーク一時識別子（Ｃ−ＲＮＴＩ）、又は設定されたスケジューリング−ＲＮＴＩ（ＣＳ−ＲＮＴＩ）を含む、請求項７７〜８０のうちの何れか１項に記載の装置。
【請求項８２】
前記第１シーケンスは、ｎＩＤにより表現される前記設定可能なパラメータに基づいて決定される初期化シーケンスを利用して初期化される、請求項７７〜８１のうちの何れか１項に記載の装置。
【請求項８３】
ｎＩＤ∈｛０，１，．．．，１０２３｝は、上位レイヤ・シグナリングにより設定される、請求項８２に記載の装置。
【請求項８４】
前記初期化された第１シーケンスは、ｎＩＤにより表現される前記設定可能なパラメータに基づいて決定され、前記初期化された第１シーケンスは、ｃｉｎｉｔ＝ｎＲＮＴＩ・２１５＋ｎＩＤを充足し、ｃｉｎｉｔは前記初期化シーケンスであり、ｎＲＮＴＩは物理アップリンク共有チャネル（ＰＵＳＣＨ）伝送に関連する無線ネットワーク一時識別子（ＲＮＴＩ）に対応する、請求項７７〜８３のうちの何れか１項に記載の装置。
【請求項８５】
ＵＥ  ＩＤによりスクランブルされたＣＲＣによるＵＥ固有の探索空間においてダウンリンク制御情報（ＤＣＩ）の第１フォーマットを検出するステップ；
ＤＣＩの前記第１フォーマットが検出された場合に：
ＤＣＩの前記検出された第１フォーマットに従ってデータに対するリファレンス信号を送信するステップであって、前記リファレンス信号のシーケンスは、基地局から受信される、スクランブリングＩＤに対応する設定可能なパラメータに基づく初期化シーケンスに関連付けられる、ステップ；
ＤＣＩの前記検出された第１フォーマットに従ってデータに対するリファレンス信号を受信するステップであって、前記リファレンス信号のシーケンスは、基地局から受信される、スクランブリングＩＤ（ｎＳＣＩＤ）に対応する設定可能なパラメータに基づく初期化シーケンスに関連付けられる、ステップ；
ＤＣＩの前記検出された第１フォーマットに従ってデータを送信するステップであって、前記データは、基地局から受信される、設定可能なパラメータにより初期化されたシーケンスによってスクランブルされる、ステップ；及び
ＤＣＩの前記検出された第１フォーマットに従ってデータを受信するステップであって、前記データは、基地局から受信される、設定可能なパラメータにより初期化されたシーケンスによってスクランブルされる、ステップ；
のうちの１つ以上を実行するステップ；
を含む方法。
【請求項８６】
前記ＵＥ  ＩＤによりスクランブルされたＣＲＣによるＵＥ固有の探索空間においてＤＣＩの前記第１フォーマットが検出されない場合に：
ＤＣＩの前記検出された第１フォーマットに従ってデータのリファレンス信号を送信するステップであって、前記リファレンス信号のシーケンスは、セルＩＤに基づく初期化シーケンスに関連付けられる、ステップ；
ＤＣＩの前記検出された第１フォーマットに従ってデータのリファレンス信号を受信するステップであって、前記リファレンス信号のシーケンスは、セルＩＤに基づく初期化シーケンスに関連付けられる、ステップ；
ＤＣＩの前記検出された第１フォーマットに従ってデータを送信するステップであって、前記データは、セルＩＤにより初期化されたシーケンスによりスクランブルされる、ステップ；及び
ＤＣＩの前記検出された第１フォーマットに従ってデータを受信するステップであって、前記データは、セルＩＤにより初期化されたシーケンスによりスクランブルされる、ステップ；
のうちの１つ以上を実行するステップを更に含む請求項８５に記載の方法。
【請求項８７】
前記スクランブリングＩＤ（ｎＳＣＩＤ）は、復調リファレンス信号スクランブリングＩＤである、請求項８５又は８６に記載の方法。
【請求項８８】
前記ｎＳＣＩＤの値は０である、請求項８７に記載の方法。
【請求項８９】
前記リファレンス信号は復調リファレンス信号である、請求項８５〜８８のうちの何れか１項に記載の方法。
【請求項９０】
ＤＣＩの前記第１フォーマットは、フォールバック用のＤＣＩのフォーマットである、請求項８５〜８９のうちの何れか１項に記載の方法。
【請求項９１】
前記ＵＥ  ＩＤは、Ｃ−ＲＮＴＩ（セル無線ネットワーク一時識別子）、又はＣＳ−ＲＮＴＩ（設定されたスケジューリング）を含む、請求項８５〜９０のうちの何れか１項に記載の方法。
【請求項９２】
スクランブリングＩＤに対応する設定可能なパラメータに基づくデータのための前記ＵＥ送信リファレンス信号の前記シーケンスに関連する前記初期化シーケンスは、前記設定可能なパラメータの関数ｆ（ＮＩＤｎＳＣＩＤ）であり、ＮＩＤｎＳＣＩＤ∈｛０，１，．．．，６５５３５｝は上位レイヤ・パラメータにより与えられ、ｎＳＣＩＤ＝０である、請求項８５〜９１のうちの何れか１項に記載の方法。
【請求項９３】
前記関数の式は次のとおりであり：
【数１７】
2021519561.tif 000019
ここで、ｃｉｎｉｔは前記初期化シーケンスであり、ｌは前記スロット内の前記ＯＦＤＭシンボル番号であり、ｎｓ，ｆμはフレーム内の前記スロット番号であり、ＮＩＤｎＳＣＩＤ∈｛０，１，．．．，６５５３５｝は上位レイヤ・パラメータＵＬ−ＤＭＲＳ−Ｓｃｒａｍｂｌｉｎｇ−ＩＤにより与えられ、ｎＳＣＩＤ＝０である、請求項９２に記載の方法。
【請求項９４】
スクランブリングＩＤに対応する設定可能なパラメータに基づくＤＣＩの検出された第１フォーマットによるデータに対する前記ＵＥ送信リファレンス信号に関連する前記初期化シーケンスは、前記設定可能なパラメータの関数ｆ（ＮＩＤｎＳＣＩＤ）であり、ＮＩＤｎＳＣＩＤ∈｛０，１，．．．，６５５３５｝は上位レイヤ・パラメータにより与えられ、ｎＳＣＩＤ＝０である、請求項８５〜９３のうちの何れか１項に記載の方法。
【請求項９５】
前記関数の式は次のとおりであり：
【数１８】
2021519561.tif 000020
ここで、ｃｉｎｉｔは前記初期化シーケンスであり、ｌは前記スロット内の前記ＯＦＤＭシンボル番号であり、ｎｓ，ｆμはフレーム内の前記スロット番号であり、ＮＩＤｎＳＣＩＤ∈｛０，１，．．．，６５５３５｝は上位レイヤ・パラメータＤＬ−ＤＭＲＳ−Ｓｃｒａｍｂｌｉｎｇ−ＩＤにより与えられ、ｎＳＣＩＤ＝０である、請求項９４に記載の方法。
【請求項９６】
前記検出は、無線リソース制御（ＲＲＣ）設定手順の後に実行される、請求項８５〜９５のうちの何れか１項に記載の方法。
【請求項９７】
命令を含むストレージに結合されるプロセッサを含む装置であって、前記命令は、実行されると、前記プロセッサに：
ＵＥ  ＩＤによりスクランブルされたＣＲＣによるＵＥ固有の探索空間においてダウンリンク制御情報（ＤＣＩ）の第１フォーマットを検出するステップ；
ＤＣＩの前記第１フォーマットが検出された場合に：
ＤＣＩの前記検出された第１フォーマットに従ってデータに対するリファレンス信号を送信するステップであって、前記リファレンス信号のシーケンスは、基地局から受信される、スクランブリングＩＤに対応する設定可能なパラメータに基づく初期化シーケンスに関連付けられる、ステップ；
ＤＣＩの前記検出された第１フォーマットに従ってデータに対するリファレンス信号を受信するステップであって、前記リファレンス信号のシーケンスは、基地局から受信される、スクランブリングＩＤ（ｎＳＣＩＤ）に対応する設定可能なパラメータに基づく初期化シーケンスに関連付けられる、ステップ；
ＤＣＩの前記検出された第１フォーマットに従ってデータを送信するステップであって、前記データは、基地局から受信される、設定可能なパラメータにより初期化されたシーケンスによってスクランブルされる、ステップ；及び
ＤＣＩの前記検出された第１フォーマットに従ってデータを受信するステップであって、前記データは、基地局から受信される、設定可能なパラメータにより初期化されたシーケンスによってスクランブルされる、ステップ；
のうちの１つ以上を実行するステップ；
を実行させる装置。
【請求項９８】
ＵＥ  ＩＤによりスクランブルされたＣＲＣによるＵＥ固有の探索空間におけるダウンリンク制御情報（ＤＣＩ）の第１フォーマットを送信するステップ；
ＵＥ  ＩＤによりスクランブルされたＣＲＣによるＵＥ固有の探索空間において、ＤＣＩの前記第１フォーマットが送信された場合に：
ＤＣＩの前記送信された第１フォーマットに即してデータに対するリファレンス信号（又は、ＤＣＩの前記送信された第１フォーマットによってスケジューリングされたデータに対するリファレンス信号）をＵＥから受信するステップであって、前記リファレンス信号のシーケンスは、スクランブリングＩＤに対応する前記ＵＥに送信された設定可能なパラメータに基づく初期化シーケンスに関連付けられる、ステップ；
ＤＣＩの前記送信された第１フォーマットに即してデータに対するリファレンス信号（又は、ＤＣＩの前記送信された第１フォーマットによってスケジューリングされたデータに対するリファレンス信号）をＵＥに送信するステップであって、前記リファレンス信号のシーケンスは、スクランブリングＩＤに対応する前記ＵＥに送信された設定可能なパラメータに基づく初期化シーケンスに関連付けられる、ステップ（略称ＳＣＩＤはｎＳＣＩＤとして提示されてもよい）；
ＤＣＩの前記送信された第１フォーマットに即してデータ（又は、ＤＣＩの前記送信された第１フォーマットによってスケジューリングされたデータ）をＵＥから受信するステップであって、前記データは、前記ＵＥに送信された設定可能なパラメータにより初期化されたシーケンスによりスクランブルされる、ステップ；及び
ＤＣＩの前記送信された第１フォーマットに即してデータ（又は、ＤＣＩの前記送信された第１フォーマットによってスケジューリングされたデータ）をＵＥに送信するステップであって、前記データは、前記ＵＥに送信された設定可能なパラメータにより初期化されたシーケンスによりスクランブルされる、ステップ；
のうちの１つ以上を実行するステップ；
を含む方法。
【請求項９９】
前記ＵＥ  ＩＤによりスクランブルされたＣＲＣによるＵＥ固有の探索空間においてＤＣＩの前記第１フォーマットが検出されない場合に：
ＤＣＩの前記送信された第１フォーマットに即してデータに対するリファレンス信号（又は、ＤＣＩの前記送信された第１フォーマットによってスケジューリングされたデータに対するリファレンス信号）をＵＥから受信するステップであって、前記リファレンス信号のシーケンスは、セルＩＤに基づく初期化シーケンスに関連付けられる、ステップ；
ＤＣＩの前記送信された第１フォーマットに即してデータに対するリファレンス信号（又は、ＤＣＩの前記送信された第１フォーマットによってスケジューリングされたデータに対するリファレンス信号）をＵＥに送信するステップであって、前記リファレンス信号のシーケンスは、セルＩＤに基づく初期化シーケンスに関連付けられる、ステップ；
ＤＣＩの前記送信された第１フォーマットに即してデータ（又は、ＤＣＩの前記送信された第１フォーマットによってスケジューリングされたデータ）をＵＥから受信するステップであって、前記データは、セルＩＤにより初期化されたシーケンスによりスクランブルされる、ステップ；及び
ＤＣＩの前記送信された第１フォーマットに即してデータ（又は、ＤＣＩの前記送信された第１フォーマットによってスケジューリングされたデータ）をＵＥに送信するステップであって、前記データは、セルＩＤにより初期化されたシーケンスによりスクランブルされる、ステップ；
のうちの１つ以上を実行するステップを更に含む請求項９８に記載の方法。
【請求項１００】
請求項１〜１０、請求項２９〜５９、請求項８５〜９６、請求項９８〜９９のうちの１何れか１項に記載の方法を実行するように構成された装置。
【請求項１０１】
コンピュータ命令を格納する非一時的なコンピュータ読み取り可能な媒体又はプログラム・プロダクトであって、前記コンピュータ命令は、１つ以上のプロセッサにより実行されると、請求項１〜１０、請求項２９〜５９、請求項８５〜９６、請求項９８〜９９のうちの１何れか１項に記載の方法のステップを前記１つ以上のプロセッサに実行させる、非一時的なコンピュータ読み取り可能な媒体又はプログラム・プロダクト。
【請求項１０２】
請求項１１〜２０のうちの何れか１項に記載の装置、請求項７０〜７６のうちの何れか１項に記載の装置のうちの少なくとも１つを含むシステム。
【請求項１０３】
請求項６０〜６０のうちの何れか１項に記載の装置、請求項７７〜８４のうちの何れか１項に記載の装置のうちの少なくとも１つを含むシステム。
【請求項１０４】
請求項９７に記載の装置を含むシステム。
【請求項１０５】
コンピュータ命令を含むプログラムであって、前記コンピュータ命令は、１つ以上のプロセッサにより実行されると、請求項１〜１０、請求項２９〜５９、請求項８５〜９６、請求項９８〜９９のうちの１何れか１項に記載の方法のステップを前記１つ以上のプロセッサに実行させる、プログラム。
【発明の詳細な説明】
【背景技術】
【０００１】
関連出願の相互参照
本願は２０１９年２月１日付けで出願された米国出願第１６／２６５，７９０号の優先権を主張しており、それは２０１８年４月１７日付けで出願された「通信方法及びその装置」と題する米国仮出願第６２／６５９，０４９号の利益を主張しており、これらは全体的に参照により本願に組み込まれる。
【０００２】
技術分野
本開示は一般にワイヤレス通信に関連し、特定の実施形態において、データ伝送及び／又はリファレンス信号伝送のためのシステム及び方法に関する。
【０００３】
背景
ワイヤレス通信の分野では、送信のための様々なパラメータを通知するために、様々な制御情報が送信／受信ポイント（ＴＲＰ）からユーザー装置（ＵＥ）に送信される。様々な制御情報は、様々なフィールド、様々なフィールドの順序、同じフィールドに関する様々なビット長（ペイロード・サイズとも呼ばれる）、及びその他の情報のうちの１つ以上を含む様々なフォーマットを有する可能性がある。制御情報のフォーマット、例えばダウンリンク制御情報（ＤＣＩ）フォーマットが、フォールバックのために含まれる可能性がある。ＵＥは、フォールバックの制御情報のフォーマットを検出した場合、データ及びリファレンス信号を送信又は受信する仕方を決定する必要がある。
【発明の概要】
【０００４】
技術的な利点は、一般に、通信のための方法及び装置を述べている本開示の実施形態によって達成される。
【０００５】
本開示の一態様によれば、方法が提供され、方法は：ユーザー装置（ＵＥ）が、ＵＥのデータ通信をスケジューリングするダウンリンク制御情報（ＤＣＩ）を受信するステップ；及び、ＵＥが、ＤＣＩに従ってデータを受信するステップであって、データはシーケンスによりスクランブルされ、シーケンスは、ＤＣＩが第１フォーマットにあり且つＤＣＩが、ＵＥのＵＥ識別子（ＩＤ）によりスクランブルされた巡回冗長検査（ＣＲＣ）によるＵＥ固有の探索空間にある場合に、設定可能なパラメータにより初期化される、ステップ；を含む。即ち、シーケンスは、ＤＣＩが第１フォーマットにあり、且つＤＣＩがＵＥのＩＤによりスクランブルされたＣＲＣによるＵＥ固有の探索空間にあることに応答して（又はそのように判断した際又はその場合に）設定可能なパラメータにより初期化される。
【０００６】
オプションとして、上記の態様のうちの何れかにおいて、方法は、ＵＥが、設定可能なパラメータを基地局（ＢＳ）から受信するステップ；を更に含む。
【０００７】
オプションとして、上記の態様のうちの何れかにおいて、ＤＣＩが、ＵＥのＵＥ  ＩＤによりスクランブルされたＣＲＣによる共通の探索空間にある場合に、シーケンスはセルＩＤにより初期化される。
オプションとして、上記の態様のうちの何れかにおいて、ＤＣＩに従ってデータを受信するステップは、設定可能なパラメータにより初期化されたシーケンスを利用してデータをＵＥによりデスクランブルするステップ；を含む。
【０００８】
オプションとして、上記の態様のうちの何れかにおいて、ＤＣＩの第１フォーマットは、フォールバック用のＤＣＩのフォーマットである。
【０００９】
オプションとして、上記の態様のうちの何れかにおいて、ＵＥ  ＩＤは、セル無線ネットワーク一時識別子（Ｃ−ＲＮＴＩ）、変調及び符号化方式−Ｃ−ＲＮＴＩ（ＭＣＳ−Ｃ−ＲＮＴＩ）、又は設定されたスケジューリング−ＲＮＴＩ（ＣＳ−ＲＮＴＩ）を含む。
【００１０】
オプションとして、上記の態様のうちの何れかにおいて、シーケンスは、ｎＩＤにより表現される設定可能なパラメータに基づいて決定される初期化シーケンスを利用して初期化される。
【００１１】
オプションとして、上記の態様のうちの何れかにおいて、ｎＩＤ∈｛０，１，．．．，１０２３｝は、上位レイヤ・シグナリングにより設定される。オプションとして、ｎＩＤ∈｛０，１，．．．，１０２３｝は、上位レイヤ・パラメータにより指定されてもよいし、或いは上位レイヤ・パラメータに等しくてもよい。
【００１２】
オプションとして、上記の態様のうちの何れかにおいて、初期化シーケンスは、ｎＩＤにより表現される設定可能なパラメータに基づいて決定され、初期化シーケンスは、ｃｉｎｉｔ＝ｎＲＮＴＩ・２１５＋ｑ・２１４＋ｎＩＤを充足し、ｃｉｎｉｔは初期化シーケンスであり、ｎＲＮＴＩは物理ダウンリンク共有チャネル（ＰＤＳＣＨ）伝送に関連するＲＮＴＩに対応する。
【００１３】
オプションとして、上記の態様のうちの何れかにおいて、ＤＣＩを受信するステップは、無線リソース制御（ＲＲＣ）設定手順が実行された後に、ＤＣＩを検出するステップを含む。
【００１４】
オプションとして、上記の態様のうちの何れかにおいて、第１フォーマットは、ＰＤＳＣＨに対するＤＣＩフォーマット１＿０を含む。
【００１５】
本開示の別の態様によれば、装置が提供され、装置は、非一時的なメモリ・ストレージに結合するように構成された１つ以上のプロセッサを含み、非一時的なメモリ・ストレージは命令を格納するように構成され、命令は、実行されると１つ以上のプロセッサに：装置又は装置が使用されるＵＥのデータ通信をスケジューリングするダウンリンク制御情報（ＤＣＩ）を受信するステップ；及び、ＤＣＩに従ってデータを受信するステップであって、データはシーケンスによりスクランブルされ、シーケンスは、ＤＣＩが第１フォーマットにあり且つＤＣＩが、装置又は装置が使用されるＵＥのＵＥ識別子（ＩＤ）によりスクランブルされた巡回冗長検査（ＣＲＣ）によるＵＥ固有の探索空間にある場合に、設定可能なパラメータにより初期化される、ステップ；を実行させる。即ち、シーケンスは、ＤＣＩが第１フォーマットにあり、ＤＣＩが、ＵＥのＩＤによりスクランブルされたＣＲＣによるＵＥ固有の探索空間にあることに応答して（又はそのように判断した際又はその場合に）設定可能なパラメータにより初期化される。
【００１６】
オプションとして、上記の態様のうちの何れかにおいて、１つ以上のプロセッサは、設定可能なパラメータを基地局（ＢＳ）から更に受信するための命令を実行する。
【００１７】
オプションとして、上記の態様のうちの何れかにおいて、ＤＣＩが、装置のデータ通信をスケジューリングする装置のＵＥ  ＩＤによりスクランブルされたＣＲＣによる共通の探索空間にある場合に、シーケンスはセルＩＤにより初期化される。
オプションとして、上記の態様のうちの何れかにおいて、ＤＣＩに従ってデータを受信するステップは：設定可能なパラメータにより初期化されたシーケンスを利用してデータをデスクランブルするステップを含む。
【００１８】
オプションとして、上記の態様のうちの何れかにおいて、ＤＣＩの第１フォーマットは、フォールバック用のＤＣＩのフォーマットである。
【００１９】
オプションとして、上記の態様のうちの何れかにおいて、ＵＥ  ＩＤは、セル無線ネットワーク一時識別子（Ｃ−ＲＮＴＩ）、又は設定されたスケジューリング−ＲＮＴＩ（ＣＳ−ＲＮＴＩ）を含む。
【００２０】
オプションとして、上記の態様のうちの何れかにおいて、シーケンスは、ｎＩＤにより表現される設定可能なパラメータに基づいて決定される初期化シーケンスを利用して初期化される。
【００２１】
オプションとして、上記の態様のうちの何れかにおいて、ｎＩＤ∈｛０，１，．．．，１０２３｝は、上位レイヤ・シグナリングにより設定されてもよい。オプションとして、ｎＩＤ∈｛０，１，．．．，１０２３｝は、上位レイヤ・パラメータにより指定されてもよいし、或いは上位レイヤ・パラメータに等しくてもよい。
【００２２】
オプションとして、上記の態様のうちの何れかにおいて、初期化シーケンスは、ｎＩＤにより表現される設定可能なパラメータに基づいて決定され、初期化シーケンスは、ｃｉｎｉｔ＝ｎＲＮＴＩ・２１５＋ｑ・２１４＋ｎＩＤを充足し、ｃｉｎｉｔは初期化シーケンスを表現し、ｎＲＮＴＩは物理ダウンリンク共有チャネル（ＰＤＳＣＨ）伝送に関連するＲＮＴＩに対応する。
【００２３】
オプションとして、上記の態様のうちの何れかにおいて、ＤＣＩを受信するステップは、無線リソース制御（ＲＲＣ）設定手順が実行された後に、ＤＣＩを検出するステップを含む。
【００２４】
オプションとして、上記の態様のうちの何れかにおいて、第１フォーマットは、ＰＤＳＣＨに対するＤＣＩフォーマット１＿０を含む。
【００２５】
本開示の別の態様によれば、コンピュータ命令を記憶する非一時的なコンピュータ読み取り可能な媒体が提供され、コンピュータ命令は、１つ以上のプロセッサにより実行されると、１つ以上のプロセッサに：媒体が使用されるＵＥのデータ通信をスケジューリングするダウンリンク制御情報（ＤＣＩ）を受信するステップ；及びＤＣＩに従ってデータを受信するステップであって、データはシーケンスによりスクランブルされ、シーケンスは、ＤＣＩが第１フォーマットにあり且つＤＣＩが、ＵＥのＵＥ識別子（ＩＤ）によりスクランブルされた巡回冗長検査（ＣＲＣ）によるＵＥ固有の探索空間にある場合に、設定可能なパラメータにより初期化される、ステップ；を実行させる。
【００２６】
オプションとして、上記の態様のうちの何れかにおいて、コンピュータ命令は、１つ以上のプロセッサに：設定可能なパラメータを基地局（ＢＳ）から受信するステップを更に実行させる。
【００２７】
オプションとして、上記の態様のうちの何れかにおいて、ＤＣＩが、ＵＥのＵＥ  ＩＤによりスクランブルされたＣＲＣによる共通の探索空間にある場合に、シーケンスはセルＩＤにより初期化される。
【００２８】
オプションとして、上記の態様のうちの何れかにおいて、ＤＣＩに従ってデータを受信するステップは：設定可能なパラメータにより初期化されたシーケンスを利用してデータをデスクランブルするステップを含む。
【００２９】
オプションとして、上記の態様のうちの何れかにおいて、ＤＣＩの第１フォーマットは、フォールバック用のＤＣＩのフォーマットである。
【００３０】
オプションとして、上記の態様のうちの何れかにおいて、ＵＥ  ＩＤは、セル無線ネットワーク一時識別子（Ｃ−ＲＮＴＩ）、変調及び符号化方式−Ｃ−ＲＮＴＩ（ＭＣＳ−Ｃ−ＲＮＴＩ）、又は設定されたスケジューリング−ＲＮＴＩ（ＣＳ−ＲＮＴＩ）を含む。
【００３１】
オプションとして、上記の態様のうちの何れかにおいて、シーケンスは、ｎＩＤにより表現される設定可能なパラメータに基づいて決定される初期化シーケンスを利用して初期化され、ｎＩＤ∈｛０，１，．．．，１０２３｝は、上位レイヤ・シグナリングにより設定される。
【００３２】
オプションとして、上記の態様のうちの何れかにおいて、シーケンスは、ｎＩＤにより表現される設定可能なパラメータに基づいて決定され、初期化シーケンスは、ｃｉｎｉｔ＝ｎＲＮＴＩ・２１５＋ｑ・２１４＋ｎＩＤを充足し、ｃｉｎｉｔは初期化シーケンスであり、ｎＲＮＴＩは物理ダウンリンク共有チャネル（ＰＤＳＣＨ）伝送に関連するＲＮＴＩに対応する。
【００３３】
前述の態様は、ＵＥがＵＥ固有の探索空間においてフォールバックＤＣＩによりスケジューリングされる場合に、ＰＤＳＣＨ又はＰＵＳＣＨのスクランブルに設定可能ＩＤの使用を許容し、これは設定可能ＩＤを用いてＰＵＳＣＨ又はＰＤＳＣＨをスクランブルする際により多くの柔軟性を提供し、また、フォールバックＤＣＩが共通の探索空間においてスケジューリングされる場合に、ＰＤＳＣＨ又はＰＵＳＣＨをスクランブルするためにセルＩＤの使用を許容し、これはＲＲＣ再設定又は設定の間にＵＥの設定の曖昧性又は不確実性の期間に対処することを可能にする。
【図面の簡単な説明】
【００３４】
本実施形態及びその利点の理解のために、添付図面に関連する以下の説明が参照される。
【図１】ワイヤレス通信の実施形態の方法のフローチャートを示す。
【図２】ワイヤレス通信の別の実施形態の方法のフローチャートを示す。
【図３】ワイヤレス通信の更に別の実施形態の方法のフローチャートを示す。
【図４】ワイヤレス通信の更に別の実施形態の方法のフローチャートを示す。
【図５】実施形態の通信システムの図を示す。
【図６】別の実施形態の通信システムの図を示す。
【図７Ａ】実施形態の電子デバイスの図を示す。
【図７Ｂ】実施形態の基地局の図を示す。
【図８】ワイヤレス通信の実施形態の方法のフローチャートを示す。
【図９】ワイヤレス通信の別の実施形態の方法のフローチャートを示す。
【図１０】ワイヤレス通信の更に別の実施形態の方法のフローチャートを示す。
【図１１】ワイヤレス通信の更に別の実施形態の方法のフローチャートを示す。
【００３５】
様々な図中の対応する数字や記号は、別意に指定されない限り、対応する部分を一般的に指す。図面は、実施形態の関連する態様を明確に説明するために描かれており、必ずしも縮尺通りに描かれてはいない。
【発明を実施するための形態】
【００３６】
本開示の実施形態についての生産及び使用は、以下において詳細に説明される。しかしながら、本願で開示される概念は、広く様々な特定の状況で具現化されることが可能であること、及び本願で議論される特定の実施形態は、単なる例示であり、特許請求の範囲を限定することには役立たないことが理解されるべきである。更に、添付の特許請求の範囲によって定義される本開示の精神及び範囲から逸脱することなく、種々の変更、置換、及び代替が本願において行われ得ることが理解されるべきである。
【００３７】
ダウンリンク制御情報（ＤＣＩ）は、ＢＳとユーザー装置（ＵＥ）との間の通信をスケジューリングするために基地局（ＢＳ）により送信されることが可能である。ＤＣＩは、フォールバックＤＣＩフォーマットで送信される可能性がある。フォールバックＤＣＩフォーマットは、アップリンク送信の場合はＤＣＩフォーマット０＿０、ダウンリンク送信の場合はＤＣＩフォーマット１＿０である可能性がある。本開示の実施形態は、フォールバックＤＣＩフォーマットで送信されるＤＣＩに従ってデータを通信するための方法及び装置を提供する。幾つかの実施形態では、ＤＣＩがＵＥのＵＥ  ＩＤによってスクランブルされた巡回冗長検査（ＣＲＣ）によるＵＥ固有の探索空間にあるかどうかに基づいて、ＤＣＩに従ってＢＳによって又はＵＥによって送信されるデータは、設定可能なパラメータにより初期化される、或いはセルＩＤにより初期化されるシーケンスによってスクランブルされる可能性がある。
【００３８】
幾つかの実施形態では、ＵＥは、ＵＥのデータ通信をスケジューリングするＤＣＩを受信し、ＤＣＩに従ってデータを送信する可能性があり、データは、ＤＣＩが第１フォーマット（例えば、フォールバックＤＣＩフォーマット）であること及びＤＣＩが、ＵＥのＵＥ  ＩＤによってスクランブルされたＣＲＣによるＵＥ固有の探索空間にあることに応答して、設定可能なパラメータにより初期化されたシーケンスによってスクランブルされる。
【００３９】
幾つかの実施形態では、ＵＥは、ＵＥのデータ通信をスケジューリングするＤＣＩを受信し、ＤＣＩに従ってデータを受信する可能性があり、データは、ＤＣＩが第１フォーマット（例えば、フォールバックＤＣＩフォーマット）であること及びＤＣＩが、ＵＥのＵＥ  ＩＤによってスクランブルされたＣＲＣによるＵＥ固有の探索空間にあることに応答して、設定可能なパラメータにより初期化されたシーケンスによってスクランブルされる。次いで、ＵＥは、設定可能なパラメータにより初期化されたシーケンスを使用して、データをデスクランブルすることができる。
【００４０】
幾つかの実施形態では、ＢＳは、ＢＳとＵＥとの間のデータ通信をスケジューリングするＤＣＩを送信することが可能であり、この場合において、ＤＣＩは第１フォーマット（例えば、フォールバックＤＣＩフォーマット）にあり、ＤＣＩはＵＥのＵＥ  ＩＤによってスクランブルされたＣＲＣによるＵＥ固有の探索空間にある。ＢＳはＤＣＩに従ってデータを送信することが可能であり、データは、設定可能なパラメータにより初期化される第１シーケンスによってスクランブルされる。
【００４１】
幾つかの実施形態では、ＢＳは、ＢＳとＵＥとの間のデータ通信をスケジューリングするＤＣＩを送信することが可能であり、この場合において、ＤＣＩは第１フォーマット（例えば、フォールバックＤＣＩフォーマット）にあり、ＤＣＩはＵＥのＵＥ  ＩＤによってスクランブルされたＣＲＣによるＵＥ固有の探索空間にある。ＢＳはＤＣＩに従ってデータを受信することが可能であり、データは、設定可能なパラメータにより初期化される第１シーケンスによってスクランブルされる。
【００４２】
ＵＥは、例えば物理ダウンリンク制御チャネル（ＰＤＣＣＨ）候補のような制御チャネル候補のセットを監視する可能性があり、制御チャネル候補のセットは、対応する探索空間に従って、各々アクティベートされたサービス・セルのアクティブ・ダウンリンク帯域幅部分（ＤＬ  ＢＷＰ）における１つ以上の制御リソース・セット（ＣＯＲＥＳＥＴ）において、１つ以上の探索空間を使用する可能性がある。ブラインド検出はそのプロセスであり、それにより、ＵＥはＵＥに宛てられた何らかのＰＤＣＣＨが存在するかどうかを決定しようとし、これは探索空間に基づいている。単一のＣＯＲＥＳＥＴに複数の探索空間が存在する可能性がある。ＰＤＣＣＨで伝送されるペイロードは、ダウンリンク制御情報であり、それに対して巡回冗長検査（ＣＲＣ）がアタッチされ、送信エラーを検出し、アドレス指定されたＵＥの身元をシグナリングする。ＮＲでは、ＣＲＣは２４ビットで構成される可能性があるが、ＬＴＥでは、ＰＤＣＣＨのＣＲＣは１６ビットで構成される可能性がある。ＵＥによる制御チャネル候補の監視は、監視されるダウンリンク制御情報（ＤＣＩ）フォーマットに従って各ＰＤＣＣＨ候補をデコードすることを含む。ＰＤＣＣＨのデコード後に、ＵＥはＣＲＣを検査し、対象のＵＥがスケジューリングされているかどうか、及びＰＤＣＣＨは正しく受信されているかどうかを見る。ＰＤＣＣＨにおいてＣＲＣをマスク解除するために、ＵＥに設定される特定のＲＮＴＩを、ＵＥが使用する場合において、ＣＲＣエラーが検出されない場合、ＵＥは、ＰＤＣＣＨが自身の制御情報を運んでおり、ＤＣＩに含まれているシグナリング命令（スケジューリング割り当て、アップリンク・グラントなど）に従うことを決定する。
【００４３】
ＤＣＩメッセージは、ダウンリンク制御情報を含むことが可能であり、ＤＣＩメッセージは、ＵＥに対応する１つの無線ネットワーク一時識別子（ＲＮＴＩ）によってスクランブルされたＣＲＣを有することが可能である。例えば、ダウンリンク制御情報は、帯域幅部分又はコンポーネント・キャリアにおける物理ダウンリンク共有チャネル（ＰＤＳＣＨ）、アップリンク送信に使用するためのリソース及び／又はトランスポート・フォーマットのようなアップリンク・グラント、電力制御コマンド、サイドリンク制御情報、又は、情報を、受信、復調、又はデコードするための任意の情報又はその組み合わせのような１つ以上のダウンリンク・スケジューリング割り当てを含むことが可能であり、その情報に関してスロットのセット内のシンボルは、アップリンクにおけるデータ送信、ダウンリンクにおける受信、又はプリエンプション指示、に使用されることが可能である。１つのＰＤＣＣＨは１つ以上のＤＣＩメッセージを運ぶことができる。第３世代パートナーシップ・プロジェクト（３ＧＰＰ）技術仕様書（ＴＳ）３８．２１２  ｖ．１５．１．１、セクション７．３では、様々なフォーマット（ＤＣＩフォーマットと呼ばれる）が、ＤＣＩメッセージに対して定義されている。各フォーマットは、特定のメッセージ・サイズ及び用途に対応する。例えば、異なる制御情報を運ぶＤＣＩメッセージは異なるサイズを有する可能性があり、異なるＤＣＩフォーマットを使用する可能性がある。リソース割り当てに必要なビット数は、セルの帯域幅によって変化する可能性がある。その結果、所与のＤＣＩフォーマットは、セルの構成全体に依存する様々なサイズを有する可能性がある。
【００４４】
ＵＥが特定の識別子を割り当てられる前にランダム・アクセス手順の間に、ＵＥのために意図される制御情報を運ぶために、共通の探索空間が使用されることが可能である。このような場合、予め定義されたＲＮＴＩによってスクランブルされたＣＲＣによるＤＣＩフォーマットが、ＵＥをアドレス指定するために使用される。例えば、ＳＩ−ＲＮＴＩは、システム情報をスケジューリングする際に、共通の探索空間におけるＤＣＩフォーマットのためにＣＲＣをスクランブルするために使用することが可能であり、ページング・メッセージを送信する際に、Ｐ−ＲＮＴＩが使用され、ＲＡ−ＲＮＴＩ及び／又はＴＣ−ＲＮＴＩはランダム・アクセスに使用され、ＴＰＣ−ＲＮＴＩはアップリンク電力制御応答に使用され、ＩＮＴ−ＲＮＴＩはプリエンプション指示に使用され、ＳＦＩ−ＲＮＴＩはスロット関連情報に使用される。任意の探索空間の構造は、制御チャネル・エレメント（ＣＣＥ）及びリソース・エレメント・グループ（ＲＥＧ）に基づくことが可能である。ＣＣＥは、ブラインド復号化に対する探索空間が定義される単位である。ＮＲでは、各ＣＣＥは６つのＲＥＧから構成され、各ＲＥＧは１つのＯＦＤＭシンボルにおける１つのリソース・ブロックから構成される。ＰＤＣＣＨは、連続的なＣＣＥの特定のアグリゲーション・レベル、即ち１、２、４、８又は１６を使用して送信される。ＣＣＥ−対−ＲＥＧのマッピングは、インターリーブされること又は非インターリーブされることが可能であり、一般に、ＣＯＲＥＳＥＴの特性である。共通の探索空間は、ＵＥ固有の探索空間と構造的に類似しているが、ただし、共通の探索空間を形成するＣＣＥのセットが事前に定義されており、従って、全てのＵＥに知られている点で、即ち、共通の探索空間を形成するＣＣＥのセットは、所与のＤＣＩにアタッチされるＣＲＣをスクランブルするために使用されるＵＥ  ＩＤとは無関係である点で異なる。
【００４５】
ＵＥが監視することが可能なＰＤＣＣＨ候補のセットは、ＰＤＣＣＨ探索空間の観点から定義されてもよい。探索空間は、共通の探索空間又はＵＥ固有の探索空間であってもよい。共通の探索空間内のＤＣＩは、セルを識別するセルＩＤ（セル識別子又はセル識別子より短いもの）、又はＵＥを識別するＵＥ  ＩＤ（ＵＥ固有ＩＤ又はＵＥ固有ＲＮＴＩとも呼ばれる）、又は、１つのセル又は複数のセル内のＵＥのグループを識別することが可能なコミュニティＲＮＴＩ、によってスクランブルされた巡回冗長検査（ＣＲＣ）を有する可能性がある。ＵＥ固有の探索空間におけるＤＣＩは、ＵＥ  ＩＤによってスクランブルされたＣＲＣを持つ可能性がある。共通の探索空間は、１つのセル又は複数のセル内のＵＥのグループを識別するコミュニティＲＮＴＩ、又はＵＥを識別するＵＥ  ＩＤ、によってスクランブルされたＣＲＣを有するＤＣＩフォーマットに対して設定されることが可能である。ＵＥ固有の探索空間は、ＵＥ  ＩＤによってスクランブルされたＣＲＣを有するＤＣＩフォーマットに対して設定されることが可能である。セルを識別するセルＩＤは、物理レイヤの観点からセルを識別する物理レイヤ・セル識別子を表現する。これは、同期信号の検出によりセル探索手順の間にＵＥによって取得されることが可能である。ニュー・ラジオ（ＮＲ）のシナリオでは、最大１００８個のセルＩＤが存在する可能性がある。ＵＥのグループを識別するコミュニティＲＮＴＩは、システム情報−無線ネットワーク一時識別子（ＳＩ−ＲＮＴＩ）、無線アクセス−ＲＮＴＩ（ＲＡ−ＲＮＴＩ）、Ｐ−ＲＮＴＩ（ページング−ＲＮＴＩ）、又は、ＵＥのグループに設定される他のＲＮＴＩである可能性がある。
【００４６】
例えば、ＵＥは、以下の探索空間のうちの１つ以上において、ＰＤＣＣＨ候補を監視する可能性がある：
−  プライマリ・セルにおけるシステム情報−無線ネットワーク一時識別子（ＳＩ−ＲＮＴＩ）によってスクランブルされたＣＲＣを有するＤＣＩフォーマットのためのタイプ０−ＰＤＣＣＨ共通探索空間；
−  プライマリ・セルにおけるＳＩ−ＲＮＴＩによってスクランブルされたＣＲＣを有するＤＣＩフォーマットのためのタイプ０Ａ−ＰＤＣＣＨ共通探索空間；
−  無線アクセスＲＮＴＩ（ＲＡ−ＲＮＴＩ）、一時セルＲＮＴＩ（ＴＣ−ＲＮＴＩ）、又はプライマリ・セルにおけるセルＲＮＴＩ（Ｃ−ＲＮＴＩ）によってスクランブルされたＣＲＣを有するＤＣＩフォーマットのためのタイプ１−ＰＤＣＣＨ共通探索空間；
−  プライマリ・セルにおいてＰ−ＲＮＴＩ（ページング−ＲＮＴＩ）でスクランブルされたＣＲＣを有するＤＣＩフォーマットのためのタイプ２−ＰＤＣＣＨ共通探索空間；
−  インタラプトされた伝送指示−ＲＮＴＩ（ＩＮＴ−ＲＮＴＩ）、スロット・フォーマット指示−ＲＮＴＩ（ＳＦＩ−ＲＮＴＩ）、送信電力制御−物理的アップリンク共有チャネル−ＲＮＴＩ（ＴＰＣ−ＰＵＳＣＨ−ＲＮＴＩ）、ＴＰＣ物理アップリンク制御チャネル−ＲＮＴＩ（ＴＰＣ−ＰＵＣＣＨ−ＲＮＴＩ）、ＴＰＣサウンディング・リファレンス信号−ＲＮＴＩ（ＴＰＣ−ＳＲＳ−ＲＮＴＩ）、Ｃ−ＲＮＴＩ、又は、設定されたスケジューリング−ＲＮＴＩ（ＣＳ−ＲＮＴＩ）（例えば、１つ以上のＣＳ−ＲＮＴＩ）、又はセミ・パーシステント・チャネル状態情報−ＲＮＴＩ（ＳＰ−ＣＳＩ−ＲＮＴＩ）によりスクランブルされたＣＲＣを有するＤＣＩフォーマットのためのタイプ３３−ＰＤＣＣＨ共通探索空間；及び
Ｃ−ＲＮＴＩ、ＭＣＳ−Ｃ−ＲＮＴＩ（変調符号化方式−Ｃ−ＲＮＴＩ）、ＣＳ−ＲＮＴＩ、又はＳＰ−ＣＳＩ−ＲＮＴＩによってスクランブルされたＣＲＣを有するＤＣＩフォーマットのためのＵＥ固有の探索空間。
【００４７】
上記のように対応するＤＣＩフォーマットをスクランブルするために使用される様々な探索空間及びＲＮＴＩの定義は、３ＧＰＰ  ＴＳ３８．２１３、ｖ１５．１．０又はそれ以降のバージョンで見つけられるであろう。
【００４８】
フォールバックのダウンリンク制御情報はフォールバックＤＣＩと言及されてもよい。フォールバックＤＣＩのフォーマット（フォールバックＤＣＩフォーマットと呼ばれる）は、３ＧＰＰ  ＴＳ３８．２１２、ｖ１５．１．１、セクション７．３又はそれ以降のバージョンで定義されているＤＣＩフォーマット０＿０及び１＿０を含むことが可能である。フォールバックＤＣＩフォーマットは、以下の状況のうちの１つ以上に使用される可能性がある：
−  共通の探索空間におけるブロードキャスト・シグナリング及び初期アクセス。この場合、セルＩＤは、リファレンス信号のデータ・スクランブリング又はシーケンス初期化に使用されることが可能である；
−  ＵＥリカバリ；
−  ＵＥに対する無線リソース制御（ＲＲＣ）再設定；及び
−  例えば、（フォールバック・モードにおけるフォールバックＤＣＩの短いフォーマットに起因する）より小さな物理ダウンリンク制御チャネル（ＰＤＣＣＨ）のオーバーヘッドのような、より小さな制御チャネル・オーバーヘッドの場合のＵＥ固有の探索空間又は共通の探索空間における正規のダウンリンク及び／又はアップリンクのＵＥ固有の通信。
【００４９】
フォールバックＤＣＩフォーマットの情報フィールドのセットは、一般に、設定可能ではなく、その結果、一部の実施形態では、フォールバックＤＣＩフォーマットのダウンリンク及びアップリンクＤＣＩのサイズは固定される。フォールバック・ダウンリンク及びアップリンクＤＣＩのユース・ケースの１つは、ＵＥが、ネットワークに知られていない特定の設定を適用する正確な時間として、ＵＥのＲＲＣ設定又は再設定中の不確実性の期間に応対することである。他のユース・ケースは、多くの状況において、フォールバック・フォーマットがより小さなパケットをスケジューリングする柔軟性を提供するように、シグナリング・オーバーヘッドを低減することである。従って、このようなケースでは、フォールバックＤＣＩのオーバーヘッドが低いことは有益である。
【００５０】
ＣＲＣは、ＤＣＩメッセージ・ペイロードにアタッチされるパリティ・ビットのセットである。ＩＤ（例えば、ＵＥ  ＩＤ、セルＩＤ、又はコミュニティＲＮＴＩ）は、ＣＲＣを計算する際に使用されることが可能である。即ち、ＣＲＣはＩＤによりスクランブルされる。ＵＥ  ＩＤはＵＥを識別することが可能である。ＵＥ  ＩＤは、Ｃ−ＲＮＴＩ、ＣＳ−ＲＮＴＩ、変調及び符号化方式（ＭＣＳ）−Ｃ−ＲＮＴＩ、又はセミ・パーシステント・チャネル状態情報（ＳＰ−ＣＳＩ）−ＲＮＴＩを含む可能性がある。セルＩＤはセルを識別することが可能である。コミュニティＲＮＴＩは、ＳＩ−ＲＮＴＩ、Ｐ−ＲＮＴＩ、ＲＡ−ＲＮＴＩ、ＴＣ−ＲＮＴＩ、ＩＮＴ−ＲＮＴＩ、ＳＦＩ−ＲＮＴＩ、又はＴＰＣ−ＲＮＴＩ（これは、ＴＰＣ−ＰＵＳＨ−ＲＮＴＩ、ＴＰＣ−ＰＵＣＣＨ−ＲＮＴＩ、又はＴＰＣ−ＳＲＳ−ＲＮＴＩを含む可能性がある）を含む可能性がある。ＣＲＣアタッチメントの後に、ＤＣＩメッセージのビット（例えば、ＤＣＩペイロード＋ＣＲＣ）は、（例えば、ポーラー符号を使用して）エンコードされ、レート・マッチングされて（探索空間において）ＰＤＣＣＨを形成することが可能である。ＤＣＩ（又はＤＣＩメッセージ）を受信すると、ＵＥはＲＮＴＩ又はＲＮＴＩのセット（例えば、１つ以上のＵＥ  ＩＤ及び／又はコミュニティＲＮＴＩ）を用いてＣＲＣを検査することが可能である。ＵＥは、受信したペイロードにおけるＲＮＴＩ又はＲＮＴＩのセットに基づいて、スクランブルされたＣＲＣを計算し、それを受信ＣＲＣと比較することができる。ＣＲＣ検査が成功した場合、ＤＣＩメッセージは正しく受信されており且つＵＥ宛てであると判断される。更に、ＤＣＩのフォーマットはＵＥにとって事前には未知であるので、ＵＥはＤＣＩフォーマットをブラインド検出する必要がある。ＤＣＩのフォーマット（ＤＣＩフォーマットとも呼ばれる）は、ＣＲＣ検査が成功した場合に、ＣＲＣをスクランブルするために使用されるＲＮＴＩに従って決定されることが可能である。
【００５１】
ＮＲでは、異なるＤＣＩフォーマットが同じＤＣＩサイズを共有する場合があるので、ＤＣＩフォーマットとＤＣＩサイズとの間の対応関係は多対１である。しかしながら、フォールバックＤＣＩのＤＣＩサイズは、一般に、ダウンリンク割り当て、アップリンク・グラント、スロット・フォーマット指示、又はプリエンプション指示のスケジュールに使用されるＤＣＩとは異なる。フォールバックＤＣＩは、非フォールバックＤＣＩと比較して、限られた機能セットをサポートするので、フォールバックＤＣＩフォーマット１＿０のサイズは、非フォールバックＤＣＩフォーマット１＿１のサイズより小さいかもしれない。同様に、フォールバックＤＣＩフォーマット０＿０のサイズは、非フォールバックＤＣＩフォーマット０＿１のサイズより小さいかもしれない。アップリンク・フォールバックＤＣＩフォーマット０＿０、及びダウンリンク・フォールバックＤＣＩフォーマット１＿０のサイズは、ＵＥにおけるブラインド・デコーディング試行の数を減らすために、整合させられていてもよい。同様に、アップリンク非フォールバックＤＣＩフォーマット０＿１、及びダウンリンク非フォールバックＤＣＩフォーマット１−１のサイズは、ＵＥでのブラインド・デコーディングの試みの数を減らすために、整合させられていてもよい。
【００５２】
フォールバックＤＣＩは、共通の探索空間及び／又はＵＥ固有の探索空間で送信されてもよい。本開示の実施形態において、データ及び／又はリファレンス信号送信のための方法は、フォールバックＤＣＩがＵＥによって検出される場合に、即ちフォールバックＤＣＩがＵＥによって受信される場合に、本願において提供される。実施形態は、ＵＥがＵＥ固有の探索空間においてフォールバックＤＣＩでスケジューリングされる場合にＰＤＳＣＨ又はＰＵＳＣＨをスクランブルするための設定可能なＩＤの使用を可能にし、これは、設定可能なＩＤを使用することによってＰＵＳＣＨ又はＰＤＳＣＨをスクランブルする際に、より多くの柔軟性を提供し、また、フォールバックＤＣＩが共通の探索空間においてスケジューリングされる場合に、ＰＤＳＣＨ又はＰＵＳＣＨをスクランブルするためのセルＩＤの使用を可能にし、これは、ＲＲＣ再構成又は設定中のＵＥの設定の曖昧さ又は不確実性の期間に応対することを可能にする。
【００５３】
図１は、ワイヤレス通信のための実施形態の方法１００のフローチャートを示す。方法１００は、ワイヤレス・ネットワーク内で通信するＵＥによる動作を示すことが可能である。図示されるように、ステップ１０２において、ＵＥは、ＵＥのＵＥ  ＩＤによってスクランブルされたＣＲＣによるＵＥ固有の探索空間において、ダウンリンク制御情報（ＤＣＩ）の第１フォーマットを検出する。一実施形態において、ＵＥは、ＰＤＣＣＨ探索空間（例えば、共通の探索空間、ＵＥ固有の探索空間、又はその両方）を監視し、監視されたＰＤＣＣＨ探索空間においてＤＣＩを受信することが可能である。ＵＥは、ＵＥ固有の探索空間を監視し、ＤＣＩが第１フォーマット、例えばフォールバックＤＣＩのフォーマットであることを検出することができる。ＵＥは、更に、第１フォーマットのＤＣＩが、ＵＥのＵＥ  ＩＤによってスクランブルされたＣＲＣによるＵＥ固有の探索空間にあるかどうかを検出することができる。ＵＥ  ＩＤは、Ｃ−ＲＮＴＩ、ＣＳ−ＲＮＴＩ、ＭＣＳ−Ｃ−ＲＮＴＩ、又はＳＰ−ＣＳＩ−ＲＮＴＩを含む可能性がある。
【００５４】
ＤＣＩの第１フォーマットがステップ１０４において検出される場合、方法１００は、ステップ１１２、１１４、１１６及び１１８のうちの１つ以上を含む可能性がある。ステップ１１２において、ＵＥは、検出された第１フォーマットにおいてＤＣＩに従ってデータのためのリファレンス信号（又は、検出された第１フォーマットにおけるＤＣＩによってスケジューリングされたデータのためのリファレンス信号）を送信し、ここで、リファレンス信号のシーケンスは、設定可能なパラメータに基づいて初期化シーケンスに関連付けられる。データのためのリファレンス信号は、ＵＥによって送信されたデータを受信（例えば、デコード、又は復調）するために、受信機が通信チャネルを推定するためのリファレンス信号であってもよい。例えば、データに対するリファレンス信号は、ＰＵＳＣＨに対する復調リファレンス信号（ＤＭＲＳ）であってもよい。オプションとして、初期化シーケンスに関連するリファレンス信号のシーケンスは、初期化シーケンスに基づいて生成されることが可能であり、初期化シーケンスは、設定可能なパラメータに基づいて生成されることが可能である。設定可能なパラメータは、設定可能な上位レイヤ・パラメータであってもよい。設定可能なパラメータは、基地局から受信されてもよい。設定可能なパラメータは、ｎＳＣＩＤにより表現されるスクランブリングＩＤ（ＳＣＩＤ）に対応してもよい。設定可能なパラメータは、設定可能なパラメータとＳＣＩＤとの間の対応関係に従って、ＳＣＩＤによって識別されることが可能である。ｎＳＣＩＤは０又は１という値を有することが可能である。ｎＳＣＩＤは、例えば、ＤＭＲＳの場合に２つの設定可能なパラメータのうちから、設定可能なパラメータを識別するＩＤとして考えることができる。設定可能なパラメータの値は、上位レイヤ・シグナリング、例えば、ＲＲＣを介してシグナリングすることが可能である。ｎＳＣＩＤは、非フォールバックＤＣＩフォーマット１＿１又は０＿１が使用される場合に、ＰＤＳＣＨ又はＰＵＳＣＨ伝送に関連するＤＣＩにおけるＤＭＲＳシーケンス初期化フィールドによりシグナリングされてもよい。フォールバックＤＣＩフォーマットが使用される場合、ｎＳＣＩＤ＝０である。
【００５５】
ステップ１１４において、ＵＥは、検出された第１フォーマットにおけるＤＣＩのＤＣＩに従うデータのためのリファレンス信号（又は、検出された第１フォーマットにおける検出された第１フォーマットＤＣＩにおけるＤＣＩによってスケジューリングされたデータのリファレンス信号）を受信し、ここで、リファレンス信号のシーケンスは、設定可能なパラメータに基づく初期化シーケンスに関連付けられる。データのためのリファレンス信号は、ＵＥに送信されたデータを受信（例えば、デコード、復調）するために、ＵＥがダウンリンク・チャネルを推定するためのリファレンス信号であってもよい。例えば、データのためのリファレンス信号は、ＵＥに送信される物理ダウンリンク共有チャネル（ＰＤＳＣＨ）のためのＤＭＲＳであってもよい。初期化シーケンスに関連するリファレンス信号のシーケンスは、初期化シーケンスに基づいて生成されてもよく、初期化シーケンスは、設定可能なパラメータに基づいて生成されてもよい。設定可能なパラメータは、設定可能な上位レイヤ・パラメータであってもよい。設定可能なパラメータは、ＳＣＩＤに対応してもよい。ＳＣＩＤは、ｎＳＣＩＤとして表現されてもよい。設定可能なパラメータは、設定可能なパラメータとＳＣＩＤとの間の対応関係に従って、ＳＣＩＤによって識別されてもよい。設定可能なパラメータは、基地局から受信されてもよい。オプションとして、ＵＥは、設定可能なパラメータを用いて、例えば設定可能なパラメータに基づいて生成された初期化シーケンスを用いて、受信したリファレンス信号をデスクランブルすることができる。
【００５６】
ステップ１１６において、ＵＥは、検出された第１フォーマットにおける検出された第１フォーマットＤＣＩにおけるＤＣＩに従ってデータを（又は、検出された第１フォーマットにおける検出された第１フォーマットＤＣＩにおけるＤＣＩによりスケジューリングされたデータを）送信し、ここで、データは、設定可能なパラメータで初期化されるシーケンスによってスクランブルされる。例えば、ＵＥは、第１フォーマットにおいてＤＣＩによってスケジューリングされたＰＵＳＣＨを送信してもよい。設定可能なパラメータは、基地局から受信されてもよい。設定可能なパラメータは、設定可能な上位レイヤ・パラメータであってもよい。初期化シーケンスは、設定可能なパラメータに基づいて生成される可能性があり、シーケンスは、送信されるべきデータをスクランブルするために、初期化シーケンスに基づいて生成されてもよい。
【００５７】
ステップ１１８において、ＵＥは、検出された第１フォーマットにおける検出された第１フォーマットＤＣＩにおけるＤＣＩに従ってデータを（又は、検出された第１フォーマットにおける検出された第１フォーマットＤＣＩにおけるＤＣＩによりスケジューリングされたデータを）受信し、ここで、データは、設定可能なパラメータで初期化されるシーケンスによってスクランブルされる。例えば、ＵＥは、第１フォーマットにおいてＤＣＩによってスケジューリングされたＰＤＳＣＨを受信してもよい。ＵＥは、例えば、設定可能なパラメータで初期化されるシーケンスを使用して、設定可能なパラメータに基づいてＰＤＳＣＨをデスクランブルしてもよい。設定可能なパラメータは、基地局から受信されてもよい。設定可能なパラメータは、設定可能な上位レイヤ・パラメータであってもよい。
【００５８】
方法１００は、ＤＣＩの第１フォーマットが、ステップ１０４においてＵＥのＵＥ  ＩＤによってスクランブルされたＣＲＣによるＵＥ固有の探索空間で検出されなかった場合、ステップ１２２、１２４、１２６及び１２８のうちの１つ以上を含む可能性がある。これは、第１フォーマットのＤＣＩがＵＥ固有の探索空間で検出されなかった場合であってもよい。例えば、第１フォーマットのＤＣＩは、共通の探索空間で検出される。これらのケースのいずれにおいても、ＵＥは、ステップ１２２、１２４、１２６、及び１２８のうちの１つ以上を実行することができる。
【００５９】
ステップ１２２において、ＵＥは、検出された第１フォーマットにおけるＤＣＩに従ってデータのためのリファレンス信号（又は、検出された第１フォーマットにおけるＤＣＩによってスケジューリングされたデータのリファレンス信号）を送信し、ここで、リファレンス信号のシーケンスは、セルＩＤに基づく初期化シーケンスに関連付けられる。例えば、ＵＥはＰＵＳＣＨのためにＤＭＲＳを送信する可能性がある。リファレンス信号のシーケンスは、初期化シーケンスに基づいて生成されてもよく、初期化シーケンスは、セルＩＤに基づいて生成されてもよい。セルＩＤは、セル、例えば、ＵＥに応対するセルを識別することができる。
【００６０】
ステップ１２４において、ＵＥは、検出された第１フォーマットにおけるＤＣＩに従ってデータのためのリファレンス信号（又は、検出された第１フォーマットにおけるＤＣＩによってスケジューリングされたデータのリファレンス信号）を受信し、ここで、リファレンス信号のシーケンスは、セルＩＤに基づく初期化シーケンスに関連付けられる。例えば、ＵＥはＰＤＳＣＨのためにＤＭＲＳを受信する可能性がある。リファレンス信号のシーケンスは、初期化シーケンスに基づいて生成されてもよく、初期化シーケンスは、セルＩＤに基づいて生成されてもよい。ＵＥは、セルＩＤに基づいて生成された初期化シーケンスを使用して、受信されたリファレンス信号をデスクランブルすることができる。
【００６１】
ステップ１２６において、ＵＥは、検出された第１フォーマットにおけるＤＣＩに従ってデータを（又は、検出された第１フォーマットにおけるＤＣＩによってスケジューリングされたデータを）送信し、データはセルＩＤにより初期化されたシーケンスによってスクランブルされる。例えば、ＵＥは、ＤＣＩの第１フォーマットによってスケジューリングされたＰＵＳＣＨを送信してもよい。初期化シーケンスは、セルＩＤに基づいて生成されてもよく、シーケンスは、初期化シーケンスに基づいて生成される。
【００６２】
ステップ１２８において、ＵＥは、検出された第１フォーマットにおけるＤＣＩに従ってデータを（又は、検出された第１フォーマットにおけるＤＣＩによってスケジューリングされたデータを）受信し、データはセルＩＤにより初期化されたシーケンスによってスクランブルされる。例えば、ＵＥは、ＤＣＩの第１フォーマットによってスケジューリングされたＰＤＳＣＨを受信してもよい。ＵＥは、セルＩＤにより初期化されたシーケンスを使用して受信データをデスクランブルすることができる。
【００６３】
上記ステップのオプションの説明として、ＵＥに関し、方法は：
ＵＥ  ＩＤによりスクランブルされたＣＲＣによるＵＥ固有の探索空間においてダウンリンク制御情報（ＤＣＩ）の第１フォーマットを検出するステップ；
ＤＣＩの第１フォーマットが検出された場合に、以下のうちの１つ以上のステップを実行するステップ；を含み、１つ以上のステップは：
ＤＣＩの検出された第１フォーマットに従ってデータに対するリファレンス信号（又は、ＤＣＩの検出された第１フォーマットによりスケジューリングされたデータに対するリファレンス信号）を送信するステップであって、リファレンス信号のシーケンスは、基地局から受信される、スクランブリングＩＤに対応する設定可能なパラメータに基づく初期化シーケンスに関連付けられる、ステップ；
ＤＣＩの検出された第１フォーマットに従ってデータに対するリファレンス信号（又は、ＤＣＩの検出された第１フォーマットによりスケジューリングされたデータに対するリファレンス信号）を受信するステップであって、リファレンス信号のシーケンスは、基地局から受信される、スクランブリングＩＤ（略称ＳＣＩＤであり、ｎＳＣＩＤと言及されてもよい）に対応する設定可能なパラメータに基づく初期化シーケンスに関連付けられる、ステップ；  
ＤＣＩの検出された第１フォーマットに従ってデータ（又は、ＤＣＩの検出された第１フォーマットに従ってスケジューリングされたデータ）を送信するステップであって、データは、基地局から受信される、設定可能なパラメータにより初期化されたシーケンスによってスクランブルされる、ステップ；及び
ＤＣＩの検出された第１フォーマットに従ってデータ（又は、ＤＣＩの検出された第１フォーマットに従ってスケジューリングされたデータ）を受信するステップであって、データは、基地局から受信される、設定可能なパラメータにより初期化されたシーケンスによってスクランブルされる、ステップである。
【００６４】
更に、方法は、ＵＥ  ＩＤによりスクランブルされたＣＲＣによるＵＥ固有の探索空間においてＤＣＩの第１フォーマットが検出されない場合に、以下のうちの１つ以上のステップを実行するステップを含み、１つ以上のステップは：
ＤＣＩの検出された第１フォーマットに従ってデータのリファレンス信号（又は、ＤＣＩの検出された第１フォーマットによりスケジューリングされたデータのリファレンス信号）を送信するステップであって、リファレンス信号のシーケンスは、セルＩＤに基づく初期化シーケンスに関連付けられる、ステップ；
ＤＣＩの検出された第１フォーマットに従ってデータのリファレンス信号（又は、ＤＣＩの検出された第１フォーマットによりスケジューリングされたデータのリファレンス信号）を受信するステップであって、リファレンス信号のシーケンスは、セルＩＤに基づく初期化シーケンスによりスクランブルされる、ステップ；
ＤＣＩの検出された第１フォーマットに従ってデータ（又は、ＤＣＩの検出された第１フォーマットによりスケジューリングされたデータ）を送信するステップであって、データは、セルＩＤにより初期化されたシーケンスによりスクランブルされる、ステップ；及び
ＤＣＩの検出された第１フォーマットに従ってデータ（又は、ＤＣＩの検出された第１フォーマットによりスケジューリングされたデータ）を受信するステップであって、データは、セルＩＤにより初期化されたシーケンスによりスクランブルされる、ステップである。オプションとして、検出するステップは無線リソース制御（ＲＲＣ）設定手順の後に実行される。
【００６５】
オプションとして、スクランブリングＩＤ（ｎＳＣＩＤ）、例えばステップ１１２又はステップ１１４におけるスクランブリングＩＤ（ｎＳＣＩＤ）は、復調リファレンス信号スクランブリングＩＤであってもよい。ｎＳＣＩＤの値は０であってもよい。
【００６６】
オプションとして、リファレンス信号、例えばステップ１１２、ステップ１１４、ステップ１２２、又はステップ１２４におけるリファレンス信号は、復調リファレンス信号（ＤＭＲＳ）、サウンディング・リファレンス信号（ＳＲＳ）、又はチャネル状態情報リファレンス信号（ＣＳＩ−ＲＳ）のうちの少なくとも１つであってもよい。
【００６７】
オプションとして、ＤＣＩの第１フォーマットはフォールバックのためのＤＣＩのフォーマットであってもよい。例えば、第１フォーマットは、ＤＣＩフォーマット１＿０、又はＤＣＩフォーマット０＿０であってもよい。
【００６８】
ＵＥ  ＩＤは、Ｃ−ＲＮＴＩ、ＣＳ−ＲＮＴＩ、ＭＣＳ−Ｃ−ＲＮＴＩ、又はＳＰ−ＣＳＩ−ＲＮＴＩであってもよい。
【００６９】
オプションとして、例えばステップ１１２における初期化シーケンスであって、ＵＥによって送信されるデータ（即ち、アップリンク）のためのリファレンス信号、例えばＰＵＳＣＨに対するＤＭＲＳ、のシーケンスに関連付けられた初期化シーケンスは、スクランブリングＩＤに対応する設定可能なパラメータに基づいて生成されてもよい。初期化シーケンス、例えばステップ１１２における初期化シーケンスは、設定可能なパラメータの関数であってもよい。例えば、初期化シーケンスは、ｆ（ＮＩＤｎＳＣＩＤ）により表現されることが可能であり、ＮＩＤｎＳＣＩＤ∈｛０，１，．．．，６５５３５｝は  ３ＧＰＰ  ＴＳ３８．２１１、ｖ１５．１．０又はそれ以降のバージョンで定義されている。ＮＩＤｎＳＣＩＤは設定可能なパラメータであり、上位レイヤ・パラメータにより与えられてもよい。上位レイヤ・パラメータは、３ＧＰＰ  ＴＳ３８．２１１、ｖ１５．１．０又はそれ以降のバージョンで定義されているＵＬ−ＤＭＲＳ−Ｓｃｒａｍｂｌｉｎｇ−ＩＤ（即ち、ｓｃｒａｍｂｌｉｎｇＩＤ０）であってもよく、ここで、ｎＳＣＩＤ＝０である。ＵＬ−ＤＭＲＳ−Ｓｃｒａｍｂｌｉｎｇ−ＩＤは、後のバージョンで除外され、代わりにｓｃｒａｍｂｌｉｎｇＩＤ０が使用される。即ち、設定可能なパラメータは、０である値を有するｎＳＣＩＤに対応するＵＬ−ＤＭＲＳ−Ｓｃｒａｍｂｌｉｎｇ−ＩＤ（即ち、ｓｃｒａｍｂｌｉｎｇＩＤ０）であってもよい。スクランブリングＩＤ０は、例えばステップ１１２に関するアップリンク送信のための、ＲＲＣ情報要素（ＩＥ）「ＤＭＲＳ−ＵｐｌｉｎｋＣｏｎｆｉｇ」において、上位レイヤ・シグナリングによってシグナリングされてもよい。ｓｃｒａｍｌｉｎｇＩＤ０はまた、例えばステップ１１４に関するＲＲＣ情報要素（ＩＥ）「ＤＭＲＳ−ＤｏｗｎｌｉｎｋＣｏｎｆｉｇ」において、上位レイヤ・シグナリングによってシグナリングされてもよい。
【００７０】
オプションとして、初期化シーケンス、例えばステップ１１２における初期化シーケンスは、以下の式を使用する設定可能なパラメータの関数として表現されてもよい：
【数１】
2021519561.tif 000003
【００７１】
即ち、初期化シーケンスは上記の式を充足することが可能である。この式において、ｃｉｎｉｔは初期化シーケンスであり、ｌはスロット内のＯＦＤＭシンボル番号（即ち、スロット内の直交周波数分割多重化（ＯＦＤＭ）シンボルの番号）であり、ｎｓ，ｆμはフレーム内のスロットの番号（即ち、フレーム内のスロット番号）であり、Ｎｓｙｍｂｓｌｏｔはスロット当たりのシンボルの数であり、ＮＩＤｎＳＣＩＤ∈｛０，１，．．．，６５５３５｝は、３ＧＰＰ  ＴＳ３８．２１１、ｖ１５．１．０又はそれ以降で定義されているような上位レイヤ・パラメータＵＬ−ＤＭＲＳ−Ｓｃｒａｍｂｌｉｎｇ−ＩＤ（即ち、ｓｃｒａｍｂｌｉｎｇＩＤ０）によって与えられる設定可能なパラメータであり、ここで、ｎＳＣＩＤ＝０である。
【００７２】
オプションとして、例えばステップ１１４における初期化シーケンスであって、ＵＥによって受信されるデータ（即ち、ダウンリンク）のためのリファレンス信号、例えばＰＤＳＣＨに対するＤＭＲＳ、のシーケンスに関連付けられた初期化シーケンスは、スクランブリングＩＤに対応する設定可能なパラメータに基づいて生成されてもよい。オプションとして、データのためのリファレンス信号は、検出された第１フォーマットのＤＣＩに従ってスケジュールされたＰＤＳＣＨのためのＤＭＲＳを含んでもよい。初期化シーケンスは、設定可能なパラメータの関数、即ちｆ（ＮＩＤｎＳＣＩＤ）であってもよく、ＮＩＤｎＳＣＩＤ∈｛０，１，．．．，６５５３５｝は３ＧＰＰ  ＴＳ３８．２１１、ｖ１５．１．０又はそれ以降のバージョンで定義されており、これは設定可能なパラメータであり、上位レイヤ・パラメータにより与えられてもよい。上位レイヤ・パラメータは、３ＧＰＰ  ＴＳ３８．２１１、ｖ１５．１．０又はそれ以降のバージョンで定義されているＵＬ−ＤＭＲＳ−Ｓｃｒａｍｂｌｉｎｇ−ＩＤ（即ち、ｓｃｒａｍｂｌｉｎｇＩＤ０）であってもよく、ここで、ｎＳＣＩＤ＝０である。
【００７３】
オプションとして、ステップ１１４における初期化シーケンスは、以下の式を使用する設定可能なパラメータの関数として表現されてもよい：
【数２】
2021519561.tif 000004
【００７４】
即ち、初期化シーケンスは上記の式を充足することが可能である。この式において、ｃｉｎｉｔは初期化シーケンスであり、ｌはスロット内のＯＦＤＭシンボルの数であり、ｎｓ，ｆμはフレーム内のスロットの数であり、ＮＩＤｎＳＣＩＤ∈｛０，１，．．．，６５５３５｝である。ＮＩＤｎＳＣＩＤは、３ＧＰＰ  ＴＳ３８．２１１、ｖ１５．１．０又はそれ以降で定義されているような上位レイヤ・パラメータＵＬ−ＤＭＲＳ−Ｓｃｒａｍｂｌｉｎｇ−ＩＤ（即ち、ｓｃｒａｍｂｌｉｎｇＩＤ０）によって与えられることが可能であり、ここで、ｎＳＣＩＤ＝０である。ステップ１１６で議論したように、ＤＣＩの第１フォーマットが検出されると、送信されるべきデータ（例えば、ＵＥから基地局に送信されるＰＵＳＣＨ）は、設定可能なパラメータにより初期化されたシーケンスによってスクランブルされることが可能である。シーケンスは、設定可能なパラメータに基づいて決定される初期化シーケンスに基づいて生成されてもよい。オプションとして、初期化シーケンスは、ｎＩＤにより表現される設定可能なパラメータの関数であってもよく、ｎＩＤ∈｛０，１，．．．，１０２３｝である。ｎＩＤは、３ＧＰＰ  ＴＳ３８．２１１、ｖ１５．１．０又はそれ以降のバージョンで定義されるような上位レイヤ・パラメータ、例えばＤａｔａ−Ｓｃｒａｍｂｌｉｎｇ−Ｉｄｅｎｔｉｔｙ  （即ち、ＤａｔａＳｃｒａｍｂｌｉｎｇＩｄｅｎｔｉｔｙＰＵＳＣＨ）であってもよい。Ｄａｔａ−ｓｃｒａｍｂｌｉｎｇ−Ｉｄｅｎｔｉｔｙは後のバージョンでは使用されず、代わりにｄａｔａＳｃｒａｍｂｌｉｎｇＩｄｅｎｔｉｔｙＰＵＳＣＨが使用される。オプションとして、初期化シーケンスは、以下の式を使用して、設定可能なパラメータの関数として表現されてもよい：
ｃｉｎｉｔ＝ｎＲＮＴＩ・２１５＋ｎＩＤ
【００７５】
即ち、初期化シーケンスは上記の式を充足することが可能であり、ここで、ｃｉｎｉｔは初期化シーケンスであり、ｎＩＤ∈｛０，１，．．．，１０２３｝は、例えば上位レイヤ・パラメータにより与えられる、上位レイヤ・シグナリングにより設定され、例えばｎＩＤ∈｛０，１，．．．，１０２３｝は上位レイヤ・パラメータに等しい。例えば、上位レイヤ・パラメータは、Ｄａｔａ−ｓｃｒａｍｂｌｉｎｇ−Ｉｄｅｎｔｉｔｙ  （即ち、ｄａｔａＳｃｒａｍｂｌｉｎｇＩｄｅｎｔｉｔｙＰＵＳＣＨ）であってもよく、上述のように、ＵＥから基地局に送信されるＰＵＳＣＨのような、ＰＵＳＣＨ送信に関連するＲＮＴＩに対応する。
【００７６】
ステップ１１８で議論したように、ＤＣＩの第１フォーマットが検出されると、受信したデータ（例えば、ＵＥが基地局から受信したＰＤＳＣＨ）は、設定可能なパラメータにより初期化されたシーケンスによってスクランブルされている可能性がある。シーケンスは、設定可能なパラメータに基づいて決定される初期化シーケンスに基づいて生成されてもよい。一実施形態では、初期化シーケンスは、設定可能なパラメータ、即ち、ｎＩＤの関数であってもよく、ここで、ｎＩＤ∈｛０，１，．．．，１０２３｝は上位レイヤ・パラメータにより指示され、例えばｎＩＤ∈｛０，１，．．．，１０２３｝は上位レイヤ・パラメータに等しい。例えば、上位レイヤ・パラメータは、３ＧＰＰ  ＴＳ３８．２１１  ｖ１５．１．０又はそれ以降で定義されるようなＤａｔａ−Ｓｃｒａｍｂｌｉｎｇ−Ｉｄｅｎｔｉｔｙ（即ち、ＤａｔａＳｃｒａｍｂｌｉｎｇＩｄｅｎｔｉｔｙ  ＰＤＳＣＨ）であってもよい。Ｄａｔａ−Ｓｃｒａｍｂｌｉｎｇ−Ｉｄｅｎｔｉｔｙは後のバージョンでは使用されず、むしろ例えば３ＧＰＰ  ＴＳ３８．２１１  ｖ１５．２．０で定義されているようなＤａｔａＳｃｒａｍｂｌｉｎｇＩｄｅｎｔｉｔｙＰＤＳＣＨが使用される。オプションとして、初期化シーケンスは、以下の式を使用して、設定可能なパラメータの関数として表現されてもよい：
ｃｉｎｉｔ＝ｎＲＮＴＩ・２１５＋ｑ・２１４＋ｎＩＤ
【００７７】
初期化シーケンスは、上記の式を充足することが可能であり、ここで、ｃｉｎｉｔは初期化シーケンスであり、ｎＩＤ∈｛０，１，．．．，１０２３｝は、例えば上位レイヤ・シグナリングにより与えられ、例えば上位レイヤ・パラメータにより与えられ、例えばｎＩＤ∈｛０，１，．．．，１０２３｝は上位レイヤ・パラメータに等しい。例えば、上位レイヤ・パラメータは、Ｄａｔａ−ｓｃｒａｍｂｌｉｎｇ−Ｉｄｅｎｔｉｔｙ  （即ち、ｄａｔａＳｃｒａｍｂｌｉｎｇＩｄｅｎｔｉｔｙＰＤＳＣＨ）であってもよく、ｎＲＮＴＩは、例えばＵＥによって受信されるＰＤＳＣＨのような、ＰＤＳＣＨ送信に関連付けられるＲＮＴＩに対応する。ｑ∈｛０，１｝は、コードワード・インデックスである。最大２つのコードワードがＰＤＳＣＨで送信される可能性がある。単独のコードワード送信のケースではｑ＝０である。
【００７８】
オプションとして、ステップ１０２は、無線リソース制御（ＲＲＣ）設定手順が実行された後に実行されてもよい。
【００７９】
オプションとして、基地局に関し、方法は：
ＵＥ  ＩＤによりスクランブルされたＣＲＣによるＵＥ固有の探索空間においてダウンリンク制御情報（ＤＣＩ）の第１フォーマットを検出するステップ；
ＵＥ  ＩＤによりスクランブルされたＣＲＣによるＵＥ固有の探索空間において、ＤＣＩの第１フォーマットが検出された場合に、以下のうちの１つ以上のステップを実行するステップ；を含む可能性があり、１つ以上のステップは：
ＤＣＩの送信された第１フォーマットに即してデータに対するリファレンス信号（又は、ＤＣＩの送信された第１フォーマットによりスケジューリングされたデータに対するリファレンス信号）をＵＥにより受信するステップであって、リファレンス信号のシーケンスは、ＵＥに送信される、スクランブリングＩＤに対応する設定可能なパラメータに基づく初期化シーケンスに関連付けられる、ステップ；
ＤＣＩの送信された第１フォーマットに即してデータに対するリファレンス信号（又は、ＤＣＩの送信された第１フォーマットによりスケジューリングされたデータに対するリファレンス信号）を送信するステップであって、リファレンス信号のシーケンスは、ＵＥに送信される、スクランブリングＩＤ（略称ＳＣＩＤであり、ｎＳＣＩＤと言及されてもよい）に対応する設定可能なパラメータに基づく初期化シーケンスに関連付けられる、ステップ；
ＤＣＩの送信された第１フォーマットに即してデータ（又は、ＤＣＩの送信された第１フォーマットによりスケジューリングされたデータ）をＵＥから受信するステップであって、データは、ＵＥに送信される、設定可能なパラメータにより初期化されたシーケンスによってスクランブルされる、ステップ；及び
ＤＣＩの送信された第１フォーマットに即してデータ（又は、ＤＣＩの送信された第１フォーマットによりスケジューリングされたデータ）をＵＥに送信するステップであって、データは、ＵＥに送信される、設定可能なパラメータにより初期化されたシーケンスによってスクランブルされる、ステップである。
【００８０】
更に、方法は、ＵＥ  ＩＤによりスクランブルされたＣＲＣによるＵＥ固有の探索空間においてＤＣＩの第１フォーマットが検出されない場合に、以下のうちの１つ以上のステップを実行するステップを含むことが可能であり、１つ以上のステップは：
ＤＣＩの送信された第１フォーマットに即してデータのリファレンス信号（又は、ＤＣＩの送信された第１フォーマットによりスケジューリングされたデータのリファレンス信号）をＵＥから受信するステップであって、リファレンス信号のシーケンスは、セルＩＤに基づく初期化シーケンスに関連付けられる、ステップ；
ＤＣＩの送信された第１フォーマットに即してデータのリファレンス信号（又は、ＤＣＩの送信された第１フォーマットによりスケジューリングされたデータのリファレンス信号）をＵＥに送信するステップであって、リファレンス信号のシーケンスは、セルＩＤに基づく初期化シーケンスによりスクランブルされる、ステップ；
ＤＣＩの送信された第１フォーマットに即してデータ（又は、ＤＣＩの送信された第１フォーマットによりスケジューリングされたデータ）をＵＥから受信するステップであって、データは、セルＩＤにより初期化されたシーケンスによりスクランブルされる、ステップ；及び
ＤＣＩの送信された第１フォーマットに即してデータ（又は、ＤＣＩの検出された第１フォーマットによりスケジューリングされたデータ）をＵＥに送信するステップであって、データは、セルＩＤにより初期化されたシーケンスによりスクランブルされる、ステップである。
【００８１】
図２は、ワイヤレス通信のための実施形態の方法２００のフローチャートを示す。方法２００は、ワイヤレス・ネットワークにおける基地局による動作を示すことが可能である。図示のように、ステップ２０２において、基地局はＤＣＩをＵＥに送信する。一実施形態において、基地局は、ＵＥのＵＥ  ＩＤによってスクランブルされたＣＲＣによるＵＥ固有の探索空間において、ＤＣＩの第１フォーマットを有するＤＣＩ（ＤＣＩの第１フォーマットにおけるＤＣＩとも呼ばれる）を送信する可能性がある。別の実施形態において、ＤＣＩは、第１フォーマットとは異なるフォーマットであってもよい。更に別の実施形態において、ＤＣＩは、ＵＥ固有の探索空間で送信されなくてもよい。例えば、ＤＣＩは、共通の探索空間で送信されてもよい。
【００８２】
方法２００は、第１フォーマットを有するＤＣＩが、ＵＥ  ＩＤによってスクランブルされたＣＲＣによるＵＥ固有の探索空間で送信される場合に、ステップ２１２、２１４、２１６及び２１８のうちの１つ以上を含む可能性がある。ステップ２１２において、基地局は、ＤＣＩの第１フォーマットにおける送信されたＤＣＩに即してデータのリファレンス信号（又は、ＤＣＩの第１フォーマットにおける送信されたＤＣＩによってスケジューリングされたデータのリファレンス信号）（例えば、ＰＵＳＣＨのためのＤＭＲＳ）を、ＤＣＩによってアドレス指定されたＵＥから受信し、ここで、リファレンス信号のシーケンスは、設定可能なパラメータに基づく初期化シーケンスに関連付けられる。設定可能なパラメータは、基地局又は他の基地局によってＵＥに送信されてもよい。設定可能なパラメータは、スクランブリングＩＤ（ＳＣＩＤ）に対応してもよい。オプションにより、初期化シーケンスに関連するリファレンス信号のシーケンスは、初期化シーケンスに基づいて生成される可能性があり、初期化シーケンスは、設定可能なパラメータに基づいて生成されてもよい。
【００８３】
ステップ２１４において、基地局は、ＤＣＩの第１フォーマットを有する送信されたＤＣＩに即してデータのリファレンス信号（又は、第１フォーマットを有する送信されたＤＣＩによってスケジューリングされたデータのリファレンス信号）（例えば、ＰＤＳＣＨのためのＤＭＲＳ）を、ＤＣＩによってアドレス指定されたＵＥに送信し、ここで、リファレンス信号のシーケンスは、設定可能なパラメータに基づく初期化シーケンスに関連付けられる。設定可能なパラメータは、基地局又は他の基地局によってＵＥに送信されてもよい。設定可能なパラメータは、ｎＳＣＩＤとして表現されるスクランブリングＩＤに対応する。オプションにより、初期化シーケンスに関連するリファレンス信号のシーケンスは、初期化シーケンスに基づいて生成される可能性があり、初期化シーケンスは、設定可能なパラメータに基づいて生成されてもよい。
【００８４】
ステップ２１６において、基地局は、第１フォーマットを有する送信されたＤＣＩに即してデータ（又は、第１フォーマットを有する送信されたＤＣＩによってスケジューリングされたデータ）（例えば、ＰＵＳＣＨ）を、ＤＣＩによってアドレス指定されたＵＥから受信し、ここで、データは、設定可能なパラメータにより初期化されたシーケンスによりスクランブルされる。設定可能なパラメータは、基地局によりＵＥへ送信されてもよい。
【００８５】
ステップ２１８において、基地局は、第１フォーマットを有する送信されたＤＣＩに即してデータ（又は、第１フォーマットを有する送信されたＤＣＩによってスケジューリングされたデータ）（例えば、ＰＤＳＣＨ）を、ＤＣＩによってアドレス指定されたＵＥに送信し、ここで、データは、設定可能なパラメータにより初期化されたシーケンスによりスクランブルされる。設定可能なパラメータは、基地局によりＵＥへ送信されてもよい。
【００８６】
更に、ＤＣＩの第１フォーマットがＵＥ  ＩＤによってスクランブルされたＣＲＣによるＵＥ固有の探索空間で送信されない場合、方法２００はステップ２２２、２２４、２２６、２２８のうちの１つ以上を含む可能性がある。図示されているように、ステップ２２２において、基地局は、第１フォーマットを有する送信されたＤＣＩに即してデータのリファレンス信号（又は、第１フォーマットを有する送信されたＤＣＩによってスケジューリングされたデータのリファレンス信号）（例えば、ＰＵＳＣＨのためのＤＭＲＳ）を、ＤＣＩによってアドレス指定されたＵＥから受信し、ここで、リファレンス信号のシーケンスは、セルＩＤに基づく初期化シーケンスに関連付けられる。例えば、リファレンス信号のシーケンスは、初期化シーケンスに基づいて生成される可能性があり、初期化シーケンスは、セルＩＤに基づいて生成されてもよい。
【００８７】
ステップ２２４において、基地局は、第１フォーマットを有する送信されたＤＣＩに即してデータのリファレンス信号（又は、第１フォーマットを有する送信されたＤＣＩによってスケジューリングされたデータのリファレンス信号）（例えば、ＰＤＳＣＨのためのＤＭＲＳ）を、ＤＣＩによってアドレス指定されたＵＥに送信し、ここで、リファレンス信号のシーケンスは、セルＩＤに基づく初期化シーケンスに関連付けられる。例えば、リファレンス信号のシーケンスは、初期化シーケンスに基づいて生成される可能性があり、初期化シーケンスは、セルＩＤに基づいて生成されてもよい。セルＩＤは、例えばＵＥに応対するセルのようなセルを識別することが可能である。
【００８８】
ステップ２２６において、基地局は、第１フォーマットを有する送信されたＤＣＩに即してデータ（又は、第１フォーマットを有する送信されたＤＣＩによってスケジューリングされたデータ）（例えば、ＰＵＳＣＨ）を、ＤＣＩによってアドレス指定されたＵＥから受信し、ここで、データは、セルＩＤにより初期化されたシーケンスによりスクランブルされる。
【００８９】
ステップ２２８において、基地局は、第１フォーマットを有する送信されたＤＣＩに即してデータ（又は、第１フォーマットを有する送信されたＤＣＩによってスケジューリングされたデータ）（例えば、ＰＤＳＣＨ）を、ＤＣＩによってアドレス指定されたＵＥに送信し、ここで、データは、セルＩＤにより初期化されたシーケンスによりスクランブルされる。
【００９０】
一部の実施形態では、ＲＲＣ設定の後に、ＵＥのＰＵＳＣＨ及び／又はＰＤＳＣＨが、共通の探索空間においてＤＣＩフォーマット０＿０又はＤＣＩフォーマット１＿０によってスケジューリングされる場合、即ち、ＵＥのＰＵＳＣＨが、共通の探索空間においてＤＣＩフォーマット０＿０を有するＤＣＩ（ＤＣＩフォーマット０＿０におけるＤＣＩとも言及される）によってスケジューリングされる場合、及び／又は、ＵＥのＰＤＳＣＨが、共通の探索空間においてＤＣＩフォーマット１＿０を有するＤＣＩによってスケジューリングされる場合、ＵＥは、ｎＳＣＩＤ＝０及びＮＩＤｎＳＣＩＤ＝ＮＩＤｃｅｌｌであると仮定することが可能である。ＮＩＤｃｅｌｌはセルＩＤを表現する。例えば、ＵＥのＰＵＳＣＨが、共通の探索空間においてＤＣＩフォーマット０＿０を有するＤＣＩによってスケジューリングされている場合、又は、ＵＥのＰＤＳＣＨが、共通の探索空間においてＤＣＩフォーマット１＿０を有するＤＣＩ（ＤＣＩフォーマット１＿０においてＤＣＩとも呼ばれる）によってスケジューリングされている場合、ＵＥはｎＳＣＩＤを０に等しく設定するように事前に設定されてもよい。
【００９１】
幾つかの実施形態では、ＲＲＣ設定又は再設定の後、ＵＥのＰＵＳＣＨ／ＰＤＳＣＨがＵＥ固有の探索空間においてＤＣＩフォーマット０＿０又はＤＣＩフォーマット１＿０によってスケジューリングされ、ＰＤＳＣＨ及び／又はＰＵＳＣＨがＣ−ＲＮＴＩ又はＣＳ−ＲＮＴＩによってスクランブルされたＣＲＣを有するＰＤＣＣＨによってスケジューリングされる場合、即ち、ＵＥのＰＵＳＣＨがＵＥ固有の探索空間においてＤＣＩフォーマット０＿０を有するＤＣＩによってスケジューリングされ、及び／又は、ＵＥのＰＤＳＣＨがＵＥ固有の探索空間においてＤＣＩフォーマット１＿０を有するＤＣＩによってスケジューリングされ、ＰＤＳＣＨ及び／又はＰＵＳＣＨがＣ−ＲＮＴＩ又はＣＳ−ＲＮＴＩによってスクランブルされたＣＲＣを有するＰＤＣＣＨによってスケジューリングされる場合、ＵＥは、ｎＳＣＩＤ＝０に対応する設定可能なパラメータＮＩＤｎＳＣＩＤ（即ち、ＮＩＤｎＳＣＩＤ＝ＮＩＤ０）が、信号をスクランブル又はデスクランブルするためのシーケンスを初期化するために使用されていることを決定することができる。即ち、ＵＥは、０に等しいＳＣＩＤ（ｎＳＣＩＤにより表現される）が送信されていると仮定することができる。「ＳＣＩＤ」及び「ＤＭＲＳスクランブリングＩＤ」という用語は、可換に使用される。その結果、ここではｎＳＣＩＤ＝０であるＮＩＤｎＳＣＩＤが使用されるであろう。幾つかの実施形態では、ＲＲＣ設定又は再設定が実行された後に、ＲＲＣ設定又は再設定の前に、ＤＭＲＳスクランブリングＩＤ  ０に対応する最新の設定可能なパラメータが使用されてもよい。
【００９２】
ＵＥのＰＵＳＣＨが、Ｃ−ＲＮＴＩ又はＣＳ−ＲＮＴＩによってスクランブルされたＣＲＣによるＵＥ固有の探索空間においてＤＣＩフォーマット０＿０を有するＤＣＩによってスケジューリングされる場合、及び／又は、ＵＥのＰＤＳＣＨが、Ｃ−ＲＮＴＩ又はＣＳ−ＲＮＴＩによってスクランブルされたＣＲＣによるＵＥ固有の探索空間においてＤＣＩフォーマット１＿０を有するＤＣＩによってスケジューリングされる場合、フォールバックのＤＣＩフォーマット、例えばＤＣＩフォーマット０＿０又はＤＣＩフォーマット１＿０は、ｎＳＣＩＤに関する情報を含まない可能性があるので、ＵＥはｎＳＣＩＤ＝０であることをデフォルトで決定してもよい。例えば、ＤＣＩフォーマット０＿０又はＤＣＩフォーマット１＿０が使用される場合、ＵＥは、ｎＳＣＩＤに対するデフォルト値（例えば、ｎＳＣＩＤ＝０）で事前に設定されてもよい。
【００９３】
ＵＥのＰＤＳＣＨが、Ｃ−ＲＮＴＩ又はＣＳ−ＲＮＴＩによってスクランブルされたＣＲＣによるＵＥ固有の探索空間（ＵＳＳ）において、フォーマット１＿０のＰＤＣＣＨによってスケジューリングされる場合、又は、ＵＥのＰＵＳＣＨが、Ｃ−ＲＮＴＩ又はＣＳ−ＲＮＴＩによってスクランブルされたＣＲＣによるＵＳＳにおいてフォーマット０＿０のＰＤＣＣＨによってスケジューリングされる場合、ＤＭＲＳスクランブリングＩＤに対応する設定可能なパラメータは、ＰＤＳＣＨ又はＰＵＳＣＨのリファレンス信号をスクランブルするシーケンスを初期化するために使用されるであろう。ＵＥのＰＵＳＣＨ／ＰＤＳＣＨが、ＤＣＩフォーマット０＿０又はＤＣＩフォーマット１＿０によってスケジューリングされる場合、即ち、ＵＥのＰＵＳＣＨが、Ｃ−ＲＮＴＩ又はＣＳ−ＲＮＴＩによってスクランブルされたＣＲＣによるＵＳＳにおいて、ＤＣＩフォーマット０＿０によってスケジューリングされる場合、及び／又は、ＵＥのＰＤＳＣＨが、Ｃ−ＲＮＴＩ又はＣＳ−ＲＮＴＩによってスクランブルされたＣＲＣによるＵＳＳにおいて、ＤＣＩフォーマット１＿０によってスケジューリングされる場合、ＵＥは、第１ＤＭＲＳスクランブリングＩＤが設定されていること、即ちｎＳＣＩＤ＝０及びＮＩＤｎＳＣＩＤ＝ＮＩＤ０であることを仮定する（又は、所定の設定に従って決定する）可能性があり、ここで、ＮＩＤ０は、仮に提供されるならば、上位レイヤ・パラメータＤＬ−ＤＭＲＳ−Ｓｃｒａｍｂｌｉｎｇ−ＩＤ（即ち、ｓｃｒａｍｂｌｉｎｇＩＤ０）によって与えられる。そうでない場合、ｎＳＣＩＤ＝０及びＮＩＤｎＳＣＩＤ＝ＮＩＤｃｅｌｌである。例えば、ＤＣＩフォーマット０＿０又はＤＣＩフォーマット１＿０がＵＳＳにおいて送信されない場合（例えば、ＤＣＩフォーマット０＿０又はＤＣＩフォーマット１＿０が共通の探索空間において送信される場合）、ｎＳＣＩＤ＝０及びＮＩＤｎＳＣＩＤ＝ＮＩＤｃｅｌｌである。
【００９４】
幾つか実施形態では、ＰＤＳＣＨ  ＤＭＲＳ（即ち、ＰＤＳＣＨのためのＤＭＲＳ）のシーケンスを生成するための初期化シーケンスｃｉｎｉｔは：
【数３】
2021519561.tif 000005
を利用して取得されることが可能であり、即ち、初期化シーケンスは上記の式を充足することが可能である。この式において、ｌはスロット内のＯＦＤＭシンボル番号であり、ｎｓ，ｆμはフレーム内のスロットの番号（即ち、スロット番号）である。オプションとして、ｎＳＣＩＤ∈｛０，１｝，ＮＩＤｎＳＣＩＤ∈｛０，１，．．．，６５５３５｝が、提供されるならば、上位レイヤ・パラメータＤＬ−ＤＭＲＳ−Ｓｃｒａｍｂｌｉｎｇ−ＩＤ（即ち、ｓｃｒａｍｂｌｉｎｇＩＤ０又はｓｃｒａｍｂｌｉｎｇ  ＩＤ１）によって与えられる可能性があり、ＰＤＳＣＨは、ＤＣＩフォーマット１＿１によるＰＤＣＣＨであってＣ−ＲＮＴＩ又はＣＳ−ＲＮＴＩによってスクランブルされたＣＲＣを有するＰＤＣＣＨによってスケジューリングされる。別の場合では、ｎＳＣＩＤ＝０，ＮＩＤｎＳＣＩＤ∈｛０，１，．．．，６５５３５｝が、提供されるならば、上位レイヤ・パラメータＤＬ−ＤＭＲＳ−Ｓｃｒａｍｂｌｉｎｇ−ＩＤ（即ち、ｓｃｒａｍｂｌｉｎｇＩＤ０）によって与えられる可能性があり、ＰＤＳＣＨは、ＤＣＩフォーマット１＿０によるＰＤＣＣＨであってＣ−ＲＮＴＩ又はＣＳ−ＲＮＴＩによってスクランブルされたＣＲＣを有するＰＤＣＣＨによってスケジューリングされる。それ以外の場合は、ｎＳＣＩＤ＝０、及びＮＩＤｎＳＣＩＤ＝ＮＩＤｃｅｌｌである。例えば、ＰＤＳＣＨがＤＣＩフォーマット１＿０又はＤＣＩフォーマット１＿１によるＰＤＣＣＨによってスケジューリングされていない場合、又はＰＤＣＣＨがＣ−ＲＮＴＩ又はＣＳ−ＲＮＴＩによってスクランブルされたＣＲＣを有しない場合、ｎＳＣＩＤ＝０、及びＮＩＤｎＳＣＩＤ＝ＮＩＤｃｅｌｌである。
【００９５】
幾つか実施形態では、ＰＵＳＣＨ  ＤＭＲＳ（即ち、ＰＵＳＣＨのためのＤＭＲＳ）のシーケンスを生成するための初期化シーケンスｃｉｎｉｔは：
【数４】
2021519561.tif 000006
を利用して取得されることが可能であり、即ち、初期化シーケンスは上記の式を充足することが可能である。この式において、ｌはスロット内のＯＦＤＭシンボルの数であり、ｎｓ，ｆμはフレーム内のスロットの数であり、Ｎｓｙｍｂｓｌｏｔはスロット当たりのシンボルの数である。オプションとして、ｎＳＣＩＤ∈｛０，１｝，ＮＩＤｎＳＣＩＤ∈｛０，１，．．．，６５５３５｝が、提供されるならば、上位レイヤ・パラメータＵＬ−ＤＭＲＳ−Ｓｃｒａｍｂｌｉｎｇ−ＩＤ（即ち、ｓｃｒａｍｂｌｉｎｇＩＤ０又はｓｃｒａｍｂｌｉｎｇ  ＩＤ１）によって与えられ、ＰＵＳＣＨは、ｍｓｇ３  ＰＵＳＣＨではなく、例えばＣ−ＲＮＴＩ又はＣＳ−ＲＮＴＩ又はＭＣＳ−Ｃ−ＲＮＴＩ又はＳＰ−ＣＳＩ−ＲＮＴＩのような、ＵＥ  ＩＤによってスクランブルされたＣＲＣ及びＤＣＩフォーマット０＿１によるＰＤＣＣＨによりスケジューリングされてない。別の例では、ｎＳＣＩＤ＝０，ＮＩＤｎＳＣＩＤ∈｛０，１，．．．，６５５３５｝が、提供されるならば、上位レイヤ・パラメータＵＬ−ＤＭＲＳ−Ｓｃｒａｍｂｌｉｎｇ−ＩＤ（即ち、ｓｃｒａｍｂｌｉｎｇＩＤ０）によって与えられ、ＰＵＳＣＨは、ｍｓｇ３  ＰＵＳＣＨではなく、例えばＣ−ＲＮＴＩ又はＣＳ−ＲＮＴＩ又はＭＣＳ−Ｃ−ＲＮＴＩ又はＳＰ−ＣＳＩ−ＲＮＴＩのような、ＵＥ  ＩＤによってスクランブルされたＣＲＣ及びＤＣＩフォーマット０＿０によるＰＤＣＣＨによりスケジューリングされてない。それ以外の場合は、ｎＳＣＩＤ＝０、及びＮＩＤｎＳＣＩＤ＝ＮＩＤｃｅｌｌである。例えば、ＰＵＳＣＨがＤＣＩフォーマット０＿１又はＤＣＩフォーマット０＿０によるＰＤＣＣＨによってスケジューリングされていない場合、又はＰＤＣＣＨが、例えばＣ−ＲＮＴＩ又はＣＳ−ＲＮＴＩ又はＭＣＳ−Ｃ−ＲＮＴＩ又はＳＰ−ＣＳＩ−ＲＮＴＩのような、ＵＥ  ＩＤによってスクランブルされたＣＲＣを有しない場合、ｎＳＣＩＤ＝０、及びＮＩＤｎＳＣＩＤ＝ＮＩＤｃｅｌｌである。
【００９６】
幾つかの実施形態では、ＰＤＳＣＨ  ＤＭＲＳ（即ち、ＰＤＳＣＨのためのＤＭＲＳ）のシーケンスを生成するためのｃｉｎｉｔとして表現される初期化シーケンスは：
【数５】
2021519561.tif 000007
を利用して取得されることが可能である。言い換えると、初期化シーケンスは上記の式を充足することが可能である。この式では、ｌはスロット内のＯＦＤＭシンボル番号であり、ｎｓ，ｆμはフレーム内のスロット番号であり、及びＮｓｙｍｂｓｌｏｔはスロット当たりのシンボルの数であり；
−  ＮＩＤ０，ＮＩＤ１∈｛０，１，…，６５５３５｝は上位レイヤ・パラメータにより、例えばそれぞれｓｃｒａｍｂｌｉｎｇＩＤ０及びｓｃｒａｍｂｌｉｎｇＩＤ１によって与えられる可能性があり、上位レイヤ・パラメータは、フィールド、即ち情報要素（ＩＥ）において、例えば、提供されるならばＤＭＲＳ−ＤｏｗｎｌｉｎｋＣｏｎｆｉｇにおいて与えられる可能性があり、ＰＤＳＣＨは、Ｃ−ＲＮＴＩ、ＭＣＳ−Ｃ−ＲＮＴＩ又はＣＳ−ＲＮＴＩによってスクランブルされたＣＲＣとともに、ＤＣＩフォーマット１＿１（即ち、ＤＣＩフォーマット１＿１のＤＣＩ）を使用して、ＰＤＣＣＨによってスケジューリングされる；
−  ＮＩＤ０∈｛０，１，…，６５５３５｝は上位レイヤ・パラメータ、例えばｓｃｒａｍｂｌｉｎｇＩＤ０によって与えられる可能性があり、上位レイヤ・パラメータは、フィールド、即ち情報要素（ＩＥ）において、例えば、提供されるならばＤＭＲＳ−ＤｏｗｎｌｉｎｋＣｏｎｆｉｇにおいて与えられる可能性があり、ＰＤＳＣＨは、Ｃ−ＲＮＴＩ、ＭＣＳ−Ｃ−ＲＮＴＩ又はＣＳ−ＲＮＴＩによってスクランブルされたＣＲＣとともに、ＤＣＩフォーマット１＿０を使用して、ＰＤＣＣＨによってスケジューリングされる；
−  それ以外の場合、ＮＩＤｎＳＣＩＤ＝ＮＩＤｃｅｌｌである。
【００９７】
ｎＳＣＩＤ∈｛０，１｝として表現される量は、ＤＣＩフォーマット１＿１が使用される場合には、ＰＤＳＣＨ伝送に関連するＤＣＩにおいて、ＤＭＲＳシーケンス初期化フィールドによって与えられることが可能であり、それ以外の場合、ｎＳＣＩＤ＝０である。
【００９８】
幾つかの実施形態では、ＰＵＳＣＨ  ＤＭＲＳ（即ち、ＰＵＳＣＨのためのＤＭＲＳ）のシーケンスを初期化するためのｃｉｎｉｔとして表現される初期化シーケンスは：
【数６】
2021519561.tif 000008
を利用して取得されることが可能である。言い換えると、初期化シーケンスは上記の式を充足する。この式では、ｌはスロット内のＯＦＤＭシンボル番号であり、ｎｓ，ｆμはフレーム内のスロット番号であり、及びＮｓｙｍｂｓｌｏｔはスロット当たりのシンボルの数であり；及び
−  ＮＩＤ０，ＮＩＤ１∈｛０，１，…，６５５３５｝は上位レイヤ・パラメータにより、例えばそれぞれｓｃｒａｍｂｌｉｎｇＩＤ０及びｓｃｒａｍｂｌｉｎｇＩＤ１によって与えられる可能性があり、上位レイヤ・パラメータは、フィールド、即ち情報要素（ＩＥ）において、例えば、提供されるならばＤＭＲＳ−ＵｐｌｉｎｋＣｏｎｆｉｇにおいて与えられる可能性があり、ＰＵＳＣＨは、ＤＣＩフォーマット０＿１のＤＣＩにより、又は設定されたグラントによるタイプ１ＰＵＳＣＨ伝送によりスケジューリングされる；
−  ＮＩＤ０∈｛０，１，…，６５５３５｝は上位レイヤ・パラメータ、例えばｓｃｒａｍｂｌｉｎｇＩＤ０によって与えられる可能性があり、上位レイヤ・パラメータは、フィールド、即ち情報要素（ＩＥ）において、例えば、提供されるならばＤＭＲＳ−ＵｐｌｉｎｋＣｏｎｆｉｇにおいて与えられる可能性があり、ＰＵＳＣＨは、Ｃ−ＲＮＴＩ、ＭＣＳ−Ｃ−ＲＮＴＩ又はＣＳ−ＲＮＴＩによってスクランブルされたＣＲＣとともに、ＤＣＩフォーマット０＿０のＤＣＩによりスケジューリングされ；ＰＵＳＣＨは共通の探索空間においてＤＣＩフォーマット０＿０のＤＣＩによってスケジューリングされない；
−  それ以外の場合、ＮＩＤｎＳＣＩＤ＝ＮＩＤｃｅｌｌである。
【００９９】
ｎＳＣＩＤ∈｛０，１｝という量は、ＤＣＩフォーマット０＿１が使用される場合には、例えば、存在するならばＰＵＳＣＨ伝送に関連するＤＣＩにおいて、ＤＭＲＳシーケンス初期化フィールドのようなフィールドによって指示されることが可能であり、それ以外の場合、ｎＳＣＩＤ＝０である。
【０１００】
一部の実施形態では、ＰＵＳＣＨに対する変換プリコーディングがイネーブルにされている場合、ＰＵＳＣＨのリファレンス信号に対してｒ（ｎ）として表現されるリファレンス信号シーケンスは、
【数７】
2021519561.tif 000009
に従って生成されるものとする。即ち、リファレンス信号シーケンスはこの式を充足する。この式では、ｒｕ，ｖ（α，δ）（ｍ）は、ＤＣＩによって動的にスケジューリングされるＰＵＳＣＨ伝送に関してδ＝１及びα＝０により以下で定められるような低ＰＡＰＲシーケンスである。ｒｕ，ｖ（α，δ）（ｍ）のように表現される低ＰＡＰＲシーケンスは、
【数８】
2021519561.tif 000010
のように表現される基本シーケンスのαとして表現されるサイクリック・シフトによって定義され（即ち、低ＰＡＰＲシーケンスはこの式を充足する）、ここで、ＭＺＣ＝ｄＮＳＣＲＢ／２δはシーケンスの長さを表現する。複数のシーケンスが、α及びδの様々な値により単独の基本シーケンスから定義される。
【０１０１】
ｒ−ｕ，ｖ（ｍ）として表現される基本シーケンスはグループに分割され、ここでｕ∈｛０，１，．．．，２９｝はグループ番号を表現し、ｖはグループ内の基本シーケンス番号を表現し、各グループは、それぞれ長さＭＺＣ＝ｄＮＳＣＲＢ／２δ，１／２≦ｄ／２δ≦５の１つの基本シーケンス（ｖ＝０）と、それぞれ長さＭＺＣ＝ｄＮＳＣＲＢ／２δ，６≦ｄ／２δの２つの基本シーケンス（ｖ＝０，１）とを含む。ｒ−ｕ，ｖ（０），．．．，ｒ−ｕ，ｖ（ＭＺＣ−１）として表現される基本シーケンスの定義は、ＭＺＣとして表現されるシーケンス長に依存する。Ｕとして表現されるシーケンス・グループは：
【数９】
2021519561.tif 000011
を充足し、ｎＩＤＲＳは以下により与えられることが可能である：
−  ｎＩＤＰＵＳＣＨが上位レイヤ・パラメータ、例えばＤＭＲＳ−ＵｐｌｉｎｋＣｏｎｆｉｇのＩＥにおけるｎＰＵＳＣＨ−Ｉｄｅｎｔｉｔｙにより設定され、ＰＵＳＣＨがｍｓｇ３  ＰＵＳＣＨではなく、送信が、共通の探索空間におけるＤＣＩフォーマット０＿０のＤＣＩによってスケジューリングされない場合には、ｎＩＤＲＳ＝ｎＩＤＰＵＳＣＨである。ｍｓｇ３  ＰＵＳＣＨは、ＵＥがプリアンブル・メッセージ（ｍｓｇ１）を送信し、ネットワークからランダム・アクセス応答（ＲＡＲ）メッセージ（ｍｓｇ２）を受信した後、ランダム・アクセス手順の一部としてＵＥにより送信されるＰＵＳＣＨメッセージである。ｍｓｇ３  ＰＵＳＣＨの詳細はＴＳ３８．２１３、Ｖ１５．１．０又はそれ以降のバージョンで見つけることができる。
【０１０２】
−  それ以外の場合、ｎＩＤＲＳ＝ＮＩＤｃｅｌｌである。
【０１０３】
ｕ＝（ｆｇｈ＋ｎＩＤＲＳ）ｍｏｄ３０，ｆｇｈ、及びｖとして表現されるシーケンス番号は以下により与えられることが可能である：
グループ・ホッピングもシーケンス・ホッピングも使用されないものとする：
ｆｇｈ＝０
ｖ＝０；
−  シーケンス・ホッピングではないグループ・ホッピングが使用されるものとする場合、
【数１０】
2021519561.tif 000012
であり、ここで、ｃ（ｉ）として表現される擬似ランダム・シーケンスは、各無線フレームの開始時に、
【数１１】
2021519561.tif 000013
により初期化されることが可能である。ｃ（ｉ）として表現される本願における擬似ランダム・シーケンスは、長さ３１のゴールド・シーケンスにより定義されてもよい。ｉ＝０，１，…，ＭＰＮ−１である場合に、ＭＰＮとして表現される長さの出力シーケンスｃ（ｉ）は以下により定義されることが可能であり；
【数１２】
2021519561.tif 000014
ここで、ＮＣ＝１６００であり、ｘ１（ｉ）として表現される先頭からｍ個のシーケンスは、ｘ１（０）＝１，ｘ１（ｉ）＝０，ｎ＝１，２，．．．，３０により初期化されることが可能である。ｘ２（ｉ）として表現される次のｍ個のシーケンスの初期化は、シーケンスのアプリケーションに依存する値とともに、
【数１３】
2021519561.tif 000015
により示される。
【０１０４】
グループ・ホッピングではないシーケンス・ホッピングが使用されるものとする場合、
【数１４】
2021519561.tif 000016
であり、ここで、ｃ（ｉ）として表現される擬似ランダム・シーケンスは、各無線フレームの開始時に、ｃｉｎｉｔ＝ｎＩＤＲＳにより初期化されることが可能である。
【０１０５】
上記のｌとして表現される量は、ダブル・シンボルＤＭＲＳのケースを除いてＯＦＤＭシンボル番号であり、そのケースではｌはダブル・シンボルＤＭＲＳの第１シンボルのＯＦＤＭシンボル番号である。
【０１０６】
図３は、ワイヤレス通信のための実施形態の方法３００のフローチャートを示す。ＵＥは、ＤＣＩを受信及び検出するための方法３００を実行することが可能である。図示のように、方法３００は、ステップ３０２で始まり、ステップ３０４に進む。ステップ３０４において、ＵＥは、共通の探索空間を盲目的にデコードする。ステップ３０６において、ＵＥは、ＵＥ固有の探索空間を盲目的にデコードする。ステップ３０８において、ＵＥは、次のＰＤＣＣＨ機会（例えば、次のスロット）を待機する。次いで、ＵＥはステップ３０４に戻り、次のＰＤＣＣＨ機会において、監視される探索空間を盲目的にデコードし続ける。代替的に、ＵＥは、ステップ３０４の前にステップ３０６を実行してもよいし、或いはステップ３０６の前にステップ３０４を実行してもよいし、或いはステップ３０４及びステップ３０６を同時に実行してもよい。ステップ３０４及びステップ３０６の順序は限定されないことに留意されたい。
【０１０７】
幾つかの実施形態では、ＵＥは、共通の探索空間を盲目的にデコードするために、ステップ３０４においてステップ３１２〜３２６を実行してもよい。図示されるように、ステップ３１２において、ＵＥは、共通の探索空間における第１候補によりデコーディングを開始する。ステップ３１４において、ＵＥは、ＰＤＣＣＨ  ＤＭＲＳデスクランブリングのためにセルＩＤを使用してＤＣＩを盲目的にデコードする。ステップ３１６において、方法は、セルＩＤに基づくスクランブラを使用してＤＣＩをデスクランブルする。スクランブラは、信号及びチャネルをスクランブル／デスクランブルするためのユニット／モジュールとして言及されてもよい。スクランブラはまた、スクランブリング・シーケンスを用いてスクランブル／デスクランブルするプロセス／手順と言及されてもよい。スクランブラは、初期化シーケンスを生成するためにセルＩＤを用いて初期化され、ＤＣＩをデスクランブルするために、初期化シーケンスを用いてスクランブリング・シーケンスを生成することができる。ステップ３１８において、ＵＥは、共通の（コミュニティとも呼ばれる）ＩＤ（ＲＮＴＩとも呼ばれる）又はＵＥ  ＩＤが、ＤＣＩのＣＲＣをスクランブルする際に使用されるかどうかを決定する。共通ＩＤは、ＵＥのグループに共通であってもよい。共通ＩＤは、セル固有ＲＮＴＩ又はＩＤ、又はエリア固有ＲＮＴＩ、又はグループ固有ＲＮＴＩと呼ばれてもよい。共通ＩＤは、グループ固有ＲＮＴＩ、セル又はエリア固有ＲＮＴＩ、例えば、ＳＩ−ＲＮＴＩ、Ｐ−ＲＮＴＩ、ＴＣ−ＲＮＴＩ、ＲＡ−ＲＮＴＩ、ＩＮＴ−ＲＮＴＩ、ＳＦＩ−ＲＮＴＩ、又はＴＰＣ−ＲＮＴＩなどを含む可能性がある。ＵＥ  ＩＤは、ＵＥ固有のＲＮＴＩ又はＩＤと言及されてもよく、Ｃ−ＲＮＴＩ又はＣＳ−ＲＮＴＩ又はＭＣＳ−Ｃ−ＲＮＴＩ又はＳＰ−ＣＳＩ−ＲＮＴＩなどを含む可能性がある。図３は、ステップ３１８における単なるオプションの方法を示しており、ＵＥは、コミュニティＲＮＴＩ又はＵＥ  Ｃ−ＲＮＴＩがＤＣＩのＣＲＣをスクランブルする際に使用されるかどうかを決定する。ステップ３１８は、共通ＩＤ又はＵＥ  ＩＤによるＣＲＣ検査が成功したかどうかを、ＵＥが判断することを含む。共通ＩＤ又はＵＥ  ＩＤのＣＲＣ検査が成功した場合、ＵＥはステップ３２０に進み、ＵＥは、ＰＤＳＣＨに関連するＤＭＲＳをデスクランブルするためのシーケンスを初期化すること、ＰＵＳＣＨに関連するＤＭＲＳをスクランブルするためのシーケンスを初期化すること、ＰＤＳＣＨをデスクランブルするためのシーケンスを初期化すること、又は、ＰＵＳＣＨをスクランブルするためのシーケンスを初期化すること、のうちの任意の１つ又はそれらの組み合わせを実行するために、セルＩＤを利用する。例えば、ＵＥは、セルＩＤを使用してＰＵＳＣＨに関連付けられたＤＭＲＳをスクランブルするか、又はセルＩＤを使用してＰＤＳＣＨに関連付けられたＤＭＲＳをデスクランブルすることができる。ＵＥは、セルＩＤ又はＵＥ  ＩＤによってスクランブルされたＣＲＣによる共通の探索空間においてフォールバックＤＣＩを検出した後に、セルＩＤを使用してＰＵＳＣＨ（ＵＬ）をスクランブルすることができる。ＵＥは、セル���Ｄ又はＵＥ  ＩＤによってスクランブルされたＣＲＣによる共通の探索空間においてフォールバックＤＣＩを検出した後に、セルＩＤを使用してＰＤＳＣＨ（ＤＬ）をデスクランブルすることができる。１つの例示的な方法として、ステップ３２０において、ＵＥは、ＤＭＲＳのスクランブラ、及びＰＤＳＣＨ又はＰＵＳＣＨのペイロード・スクランブラとして、セルＩＤを使用する（即ち、セルＩＤは、ＤＭＲＳ及びペイロードをスクランブル又はデスクランブルするためのスクランブリング・シーケンスを生成するためにスクランブラを初期化するために使用される）。次に、方法はステップ３２２に進む。あるいは、例えば、ステップ３１８において、ＣＲＣ検査は成功ではないとＵＥが判断し、コミュニティ（共通）ＲＮＴＩもＵＥ  Ｃ−ＲＮＴＩも使用されない場合、ＵＥはステップ３２２に進む。共通の探索空間は、複数の共通の探索空間又は探索空間セットを含んでもよい。この場合、ステップ３２２において、方法は、それが最後の共通の探索空間における最後の候補（例えば、最後の共通の探索空間における最後の候補）に到達したか、或いはＵＥによってサポートされるか又はＵＥに設定された候補の最大数に到達したかどうかを決定する。幾つかの実施形態において、ＵＥが、既に設定可能な数のＰＤＣＣＨを成功裏にデコードしている場合、ＵＥは、与えられた探索空間又は探索空間セットにおける全てのＰＤＣＣＨ候補を盲目的にデコードする必要はないかもしれない。ブラインド検出は、それによりＵＥがＵＥ宛ての何らかのＰＤＣＣＨが存在するかどうかを決定しようとするプロセスであり、探索空間に基づいている。ＵＥに設定された単一のＣＯＲＥＳＥＴに、複数の共通及び／又はＵＥ固有の探索空間が存在する可能性がある。ＣＣＥは、ブラインド復号化のための探索空間が定義される単位である。ＮＲでは、各ＣＣＥは６つのＲＥＧから構成され、各ＲＥＧは１つのＯＦＤＭシンボルにおける１つのリソース・ブロックから構成される。ＣＣＥの特定のアグリゲーション・レベル、例えば１、２、４、８又は１６における探索空間セットは、連続的なＣＣＥの同じアグリゲーション・レベルのＰＤＣＣＨ候補により形成される。ＰＤＣＣＨ候補は、本質的に、例えば１、２、４、８又は１６のような連続的なＣＣＥのセットを指し、その中でネットワークはＰＤＣＣＨを送信することができる。
【０１０８】
現在の候補が共通の探索空間における最後のものである場合、又はＵＥでサポートされているか又はＵＥに設定されている候補の最大数に達した場合、共通の探索空間のブラインド・デコーディングはステップ３２４において終了する。候補が最後のものでない場合、又はＵＥによってサポートされる又はＵＥに設定された候補の最大数に達していない場合、ＵＥはステップ３２６に進み、次の候補をデコードし続ける。次いで、ＵＥはステップ３１４に戻り、次の候補のデコーディングを実行する。幾つかの実施形態において、ＵＥは、既に設定可能な数のＰＤＣＣＨを成功裏にデコードしている場合、探索空間のブラインド・デコーディングを停止してもよい。
【０１０９】
図４は、ワイヤレス通信のための更に別の実施形態の方法４００のフローチャートを示す。方法４００は、ＤＣＩを受信するためにＵＥによって実行されてもよい。ステップ４０２〜４０８は、図３のステップ３０２〜３０８と同様である。図示のように、方法４００は、ステップ４０２で始まり、ステップ４０４に進む。ステップ４０４において、ＵＥは、共通の探索空間を盲目的にデコードする。ステップ４０６において、ＵＥは、ＵＥ固有の探索空間を盲目的にデコードする。ステップ４０８において、ＵＥは、次のＰＤＣＣＨ機会（例えば、次のスロット）を待機する。次いで、ＵＥはステップ４０４に戻り、次のＰＤＣＣＨ機会において、監視される探索空間又は探索空間セットを盲目的にデコードし続ける。代替的に、ＵＥは、ステップ４０４の前にステップ４０６を実行してもよいし、或いはステップ４０６の前にステップ４０４を実行してもよいし、或いはステップ４０４及びステップ４０６を同時に実行してもよい。ステップ４０４及びステップ４０６の順序は限定されないことに留意されたい。
【０１１０】
幾つかの実施形態では、ＵＥは、ＵＥ固有の探索空間（セット）を盲目的にデコードするためにステップ４０６においてステップ４１２〜４２６を実行してもよい。図示されるように、ステップ４１２において、ＵＥは、共通の探索空間（セット）における第１候補によりデコーディングを開始する。１つのオプション・ケースでは、フォールバック・フォーマット（フォールバック・フォーマットにおけるＤＣＩとも言及される）を有するＤＣＩが、ＵＳＳ（セット）において検出される。ステップ４１４において、ＵＥは、ＰＤＣＣＨ  ＤＭＲＳスクランブルのための設定可能なＩＤ（即ち、図１に関して説明したような設定可能なパラメータ）を使用して、ＤＣＩを盲目的にデコードする。ステップ４１６において、ＵＥは、設定可能なＩＤに基づくスクランブラを使用してＤＣＩをデスクランブルする。例えば、スクランブラは、ＤＣＩをデスクランブルするために設定可能なＩＤを使用して初期化される。ステップ４１４及び４１６は、図４に示されるものとは異なる順序で実行されてもよい。次いで、ＵＥは、ＵＥ  ＩＤがＤＣＩのＣＲＣをスクランブルするために使用されるかどうかを決定するために、ＵＥ  ＩＤを使用してＣＲＣ検査を実行することができる。ステップ４１８は、ＤＣＩのＣＲＣをスクランブルする際にＵＥ  Ｃ−ＲＮＴＩが使用されるかどうかを、ＵＥが決定する例示的なオプション方法を示す。上述のように、ＣＳ−ＲＮＴＩ、ＭＣＳ−Ｃ−ＲＮＴＩ又はＳＰ−ＣＳＩ−ＲＮＴＩのような他のＵＥ  ＩＤもまた使用され、検査されてもよい。ＣＲＣ検査が成功し、ＵＥが、ＤＣＩのＣＲＣをスクランブルするためにＵＥ  ＩＤが使用される、と判断した場合、ＵＥはステップ４２０に進み、ＵＥは、ＰＤＳＣＨのＤＭＲＳをデスクランブルするためのシーケンスを開始するために設定可能なＩＤを使用すること、ＰＵＳＣＨのＤＭＲＳをスクランブルするためのシーケンスを開始するために設定可能なＩＤを使用すること、ＰＤＳＣＨをデスクランブルするためのシーケンスを開始するために設定可能なＩＤを使用すること、又はＰＵＳＣＨをスクランブルするためのシーケンスを開始するために設定可能なＩＤを使用すること、のうちの任意の１つ又は組み合わせを実行する。即ち、ＵＥは、設定可能なＩＤを使用して、ＤＭＲＳ、ＰＤＳＣＨ又はＰＵＳＣＨなどの信号をスクランブル又はデスクランブルするためのシーケンスを初期化する。オプションの方法において、ＤＣＩのＣＲＣをスクランブルする際にＵＥ−ＩＤが使用されることを、ＵＥが判断した場合である一方、ＤＣＩがフォールバック・フォーマット又は非フォールバック・フォーマットの何れかにある場合、ＵＥはステップ４２０に進み、ＵＥは、ＰＤＳＣＨのＤＭＲＳをデスクランブルするためのシーケンスを開始するために設定可能なＩＤを使用すること、ＰＵＳＣＨのＤＭＲＳをスクランブルするためのシーケンスを開始するために設定可能なＩＤを使用すること、ＰＤＳＣＨをデスクランブルするためのシーケンスを開始するために設定可能なＩＤを使用すること、又はＰＵＳＣＨをスクランブルするためのシーケンスを開始するために設定可能なＩＤを使用すること、のうちの任意の１つ又は組み合わせを実行する。ＰＤＳＣＨに関連付けられたＤＭＲＳ、ＰＵＳＣＨに関連付けられたＤＭＲＳ、ＰＤＳＣＨ又はＰＵＳＣＨなどのような様々な信号をデスクランブルするためのシーケンスを初期化するための設定可能なＩＤは、同一であってもよいし、又は異なっていてもよい。そうでない場合、例えば、ＣＲＣ検査が成功せず、ＵＥ  ＩＤは使用されない、とＵＥが判断した場合、ＵＥはステップ４２２に進む。ステップ４２２において、方法は、それがＵＥ固有の探索空間における最後の候補に到達したかどうかを決定する。即ち、ＵＥは、現在の候補がＵＥ固有の探索空間における最後のものであるかどうかを検査する。ＵＥによってサポートされている、又はＵＥに設定されている候補の最後の候補又は最大数に到達した場合、ステップ４２４において、ＵＥ固有の探索空間のブラインド・デコーディングは終了する。現在の候補が最後のものではなく、或いはＵＥによってサポートされている、又はＵＥに設定されている候補の最大数に達していない場合、ＵＥはステップ４２６に進み、ＵＥ固有の探索空間における次の候補によりデコーディングを継続する。次いで、ＵＥはステップ４１４に戻り、次の候補のデコーディングを実行する。
【０１１１】
図５は、本開示の実施形態が実装される可能性がある通信システム５００の可能な方法を示す。一般に、システム５００は、複数の無線又は有線の要素が、データ及び他のコンテンツを通信することを可能にする。システム５００の目的は、ブロードキャスト、ナローキャスト、ユーザー装置を介して、ユーザー装置等へコンテンツ（音声、データ、ビデオ、テキスト）を提供することである。システム５００は、帯域幅などのリソースを共有することによって効率的に動作することができる。
【０１１２】
この実施形態では、通信システム５００は、電子デバイス（ＥＤ）５１０ａ〜５１０ｃ、無線アクセス・ネットワーク（ＲＡＮ）５２０ａ〜５２０ｂ、コア・ネットワーク５３０、公衆交換電話ネットワーク（ＰＳＴＮ）５４０、インターネット５５０、及び他のネットワーク５６０を含む。所定数のこれらのコンポーネント又は要素が図５に示されているが、妥当な任意の数のこれらのコンポーネント又は要素がシステム５００に含まれる可能性がある。
【０１１３】
ＥＤ５１０ａ〜５１０ｃは、システム５００内で動作し、通信し、又はその両方を行うように構成される。例えば、ＥＤ５１０ａ〜５１０ｃは、ワイヤレス通信チャネルを介して送信し、受信し、又はその両方を行うように構成される。各ＥＤ５１０ａ〜５１０ｃは、無線動作のための任意の適切なエンド・ユーザー装置を表現し、ユーザー装置／デバイス（ＵＥ）、無線送信／受信ユニット（ＷＴＲＵ）、移動局、移動加入者装置、セルラー電話、ステーション（ＳＴＡ）、マシン・タイプ通信装置（ＭＴＣ）、パーソナル・デジタル・アシスタント（ＰＤＡ）、スマートフォン、ラップトップ、コンピュータ、タッチパッド、無線センサ、又は消費者電子デバイスのような装置を含んでもよい（又はそれらを指してもよい）。
【０１１４】
図５において、ＲＡＮ５２０ａ〜５２０ｂはそれぞれ基地局５７０ａ〜５７０ｂを含む。各基地局５７０ａ〜５７０ｂは、任意の他の基地局５７０ａ〜５７０ｂ、コア・ネットワーク５３０、ＰＳＴＮ５４０、インターネット５５０、及び／又は他のネットワーク５６０へのアクセスを可能にするために、ＥＤ５１０ａ〜５１０ｃのうちの１つ以上との無線インターフェースとなるように構成される。例えば、基地局５７０ａ〜５７０ｂは、基地局トランシーバ局（ＢＴＳ）、ノードＢ（ＮｏｄｅＢ）、エボルブド・ノードＢ（ｅＮｏｄｅＢ）、ホームｅＮｏｄｅＢ、ｇＮｏｄｅＢ（しばしば「ギガビット」ノードＢと呼ばれる）、送信ポイント（ＴＰ）、送信／受信ポイント（ＴＲＰ）、サイト・コントローラ、アクセス・ポイント（ＡＰ）、又は無線ルータ等の幾つかの周知のデバイスのうちの１つ以上を含んでもよい（又はそれらであってもよい）。任意のＥＤ５１０ａ〜５１０ｃは、任意の他の基地局５７０ａ〜５７０ｂ、インターネット５５０、コア・ネットワーク５３０、ＰＳＴＮ５４０、他のネットワーク５６０、又は前述したものの任意の組み合わせ、とのインターフェース、アクセス、又は通信を行うように、代替的に又は共同で構成されてもよい。オプションとして、システムは、ＲＡＮ  ５２０ｂのようなＲＡＮを含んでもよく、対応する基地局５７０ｂは、図示のように、インターネット５５０を介してコア・ネットワーク５３０にアクセスする。
【０１１５】
ＥＤ５１０ａ〜５１０ｃ及び基地局５７０ａ〜５７０ｂは、本願で説明される機能及び／又は実施形態の一部又は全部を実装するように構成され得る可能性のある通信装置である。図５に示される実施形態では、基地局５７０ａは、ＲＡＮ５２０ａの一部を形成し、これは、他の基地局、基地局コントローラ（ＢＳＣ）、無線ネットワーク・コントローラ（ＲＮＣ）、中継ノード、要素、及び／又はデバイスを含む可能性がある。任意の基地局５７０ａ、５７０ｂは、図示されるような単一の要素、又は対応するＲＡＮ内に分散される複数の要素、又はその他であってもよい。また、基地局５７０ｂは、他の基地局、要素、及び／又はデバイスを含む可能性があるＲＡＮ５２０ｂの一部を形成する。各々の基地局５７０ａ〜５７０ｂは、カバレッジ・エリアと称される特定の地理的領域又はエリア内で無線信号を送信及び／又は受信するように動作するように構成されてもよい。セルは、セル・セクタに更に分割されてもよく、基地局５７０ａ〜５７０ｂは、例えば、複数のセクタにサービスを提供するために複数のトランシーバを使用してもよい。幾つかの実施形態では、基地局５７０ａ〜５７０ｂは、無線アクセス技術がサポートするピコ又はフェムト・ノードとして実装されてもよい。幾つかの実施形態において、多入力多出力（ＭＩＭＯ）技術が、各カバレッジ・エリアに対して複数のトランシーバを有するように使用されてもよい。図示されるＲＡＮ５２０ａ〜５２０ｂの数は、例示的であるに過ぎない。システム５００を案出する際には、任意の数のＲＡＮが考慮される可能性がある。
【０１１６】
基地局５７０ａ〜５７０ｂは、ワイヤレス通信リンク、例えば、ＲＦ、マイクロ波、ＩＲなどを使用して、１つ以上のエア・インターフェース５９０を介して、１つ以上のＥＤ５１０ａ〜５１０ｃと通信する。エア・インターフェース５９０は、任意の適切な無線アクセス技術を利用することができる。例えば、システム５００は、エア・インターフェース５９０において、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、又はシングル・キャリアＦＤＭＡ（ＳＣ−ＦＤＭＡ）のような１つ以上のチャネル・アクセス方法を実装することができる。
【０１１７】
基地局５７０ａ〜５７０ｂは、ワイドバンドＣＤＭＡ（ＷＣＤＭＡ）を使用してエア・インターフェース５９０を構築するために、ユニバーサル・モバイル通信システム（ＵＭＴＳ）地上無線アクセス（ＵＴＲＡ）を実装することができる。そうする場合に、基地局５７０ａ〜５７０ｂは、ＨＳＰＡ、ＨＳＰＡ＋選択的にＨＳＤＰＡ、ＨＳＵＰＡ、又はその両方を含むもののようなプロトコルを実装することができる。あるいは、基地局５７０ａ〜５７０ｂは、ＬＴＥ、ＬＴＥ−Ａ、及び／又はＬＴＥ−Ｂを使用して、エボルブドＵＴＭＳ地上無線アクセス（Ｅ−ＵＴＲＡ）とのエア・インターフェース５９０を確立してもよい。システム５００は上述のような方式を含む複数チャネルのアクセス機能を使用してもよいことが、想定されている。エア・インターフェースを実装する他の無線技術は、ＩＥＥＥ８０２．１１、８０２．１５、８０２．１６、ＣＤＭＡ７０００、ＣＤＭＡ７０００  １Ｘ、ＣＤＭＡ７０００ＥＶ−ＤＯ、ＩＳ−７０００、ＩＳ−９５、ＩＳ−８５６、ＧＳＭ、ＥＤＧＥ、ＧＥＲＡＮを含む。もちろん、他のマルチ・アクセス方式及び無線プロトコルが利用されてもよい。
【０１１８】
ＲＡＮ５２０ａ〜５２０ｂは、音声、データ及びその他のサービスをＥＤ５１０ａ〜５１０ｃに提供するために、コア・ネットワーク５３０と通信している。理解できるように、ＲＡＮ５２０ａ〜５２０ｂ及び／又はコア・ネットワーク５３０は、コア・ネットワーク５３０によって直接的に応対されてもされなくてもよい１つ以上の他のＲＡＮ（図示せず）との直接的又は間接的な通信を行うことが可能であり、ＲＡＮ５２０ａ、ＲＡＮ５２０ｂ、又はその両方と同じ無線アクセス技術を使用しても使用しなくてもよい。コア・ネットワーク５３０は、（ｉ）ＲＡＮ５２０ａ〜５２０ｂ又はＥＤ５１０ａ〜５１０ｃ、又はその両方と、（ｉｉ）他のネットワーク（ＰＳＴＮ５４０、インターネット５５０、及び他のネットワーク５６０など）との間でゲートウェイ・アクセスとして役立つ可能性もある。更に、ＥＤ５１０ａ〜５１０ｃの一部又は全部は、異なる無線技術及び／又はプロトコルを使用して、異なるワイヤレス・リンクを介して異なるワイヤレス・ネットワークと通信するための機能を含んでもよい。ＰＳＴＮ５４０は、基本電話サービス（ＰＯＴＳ）を提供するための回線交換電話ネットワークを含むことが可能である。インターネット５５０は、コンピュータ及びサブネット（イントラネット）又はその両方のネットワークを含み、ＩＰ、ＴＣＰ、又はＵＤＰなどのプロトコルを組み込むことができる。ＥＤ５１０ａ〜５１０ｃは、複数の無線アクセス技術に従って動作を行うことが可能なマルチモード・デバイスであってもよく、これをサポートするために必要な複数のトランシーバを組み込むことができる。
【０１１９】
図５に示すような通信システム５００はハイパー・セルと言及される可能性があるニュー・ラジオ（ＮＲ）セルをサポートする可能性があることが想定されている。各ＮＲセルは、同一のＮＲセルＩＤを使用する１つ以上のＴＲＰを含む。ＮＲセルＩＤは、ＮＲセルの全ての物理的なＴＲＰに対する論理的な割り当てであり、ブロードキャスト同期信号で搬送されることが可能である。ＮＲセルは、動的に設定されてもよい。ＮＲセルの境界は柔軟である可能性があり、システムは動的にＴＲＰをＮＲセルに追加し、或いはＴＲＰをＮＲセルから除去する。
【０１２０】
一実施形態では、ＮＲセルは、ＵＥに応対するＵＥ固有のデータ・チャネルを送信するＮＲセル内に１つ以上のＴＲＰを有する可能性がある。ＵＥ固有のデータ・チャネルに関連する１つ以上のＴＲＰもまた、ＵＥ固有であり、ＵＥに対して透過的である。単一のＮＲセル内で複数の並列データ・チャネルがサポートされてもよく、各データ・チャネルは異なるＵＥに応対する。
【０１２１】
他の実施形態では、ブロードキャスト共通制御チャネル及び個別制御チャネルがサポートされてもよい。ブロードキャスト共通制御チャネルは、同一のＮＲセルＩＤを共有する全ての又は部分的なＴＲＰによって送信される共通のシステム設定情報を搬送することができる。各ＵＥは、ＮＲセルＩＤに関連付けられた情報に従って、ブロードキャスト共通制御チャネルから情報をデコードすることができる。ＮＲセル内の１つ以上のＴＲＰは、ＵＥに応対し、ＵＥに関連するＵＥ固有の制御情報を運ぶ、ＵＥ固有の個別制御チャネルを送信することができる。単一のＮＲセル内の複数の並列専用制御チャネルがサポートされてもよく、各々の個別制御チャネルは異なるＵＥに応対する。各々の個別制御チャネルの復調は、ＵＥ  ＩＤ又は他のＵＥ固有のパラメータにリンクされるＵＥ固有のリファレンス信号、シーケンス及び／又は位置に従って実行されてもよい。
【０１２２】
幾つかの実施形態では、個別制御チャネル及びデータ・チャネルを含むこれらのチャネルのうちの１つ以上は、ＵＥ固有のパラメータ及び／又はＮＲセルＩＤに従って生成される可能性があり、例えば、ＵＥ固有のパラメータは、ＵＥ  ＩＤ、又は基地局によって設定される値であってもよい。更に、ＵＥ固有のパラメータ及び／又はＮＲセルＩＤは、異なるＮＲセルからのデータ・チャネル及び制御チャネルの送信を区別するために使用されることが可能である。
【０１２３】
ＵＥのようなＥＤは、ＵＥ個別接続ＩＤを使用して、ＮＲセル内の少なくとも１つのＴＲＰを介して通信システム５００にアクセスすることができ、これは、ＮＲセルに関連する１つ以上の物理的なＴＲＰが、ＵＥに対して透過的であることを可能にする。ＵＥ個別接続ＩＤは、ＮＲセル内のＵＥを一意に識別する識別子である。例えば、ＵＥ個別接続ＩＤは、シーケンスによって識別されてもよい。幾つかの実装では、ＵＥ個別接続ＩＤは、初期アクセス後にＵＥに割り当てられる。例えば、ＵＥ個別接続ＩＤは、ＰＨＹチャネル生成のために使用される他のシーケンス及びランダマイザにリンクされてもよい。ＵＥ個別接続ＩＤは、基地局からの設定、上位レイヤ・シグナリング、及び／又は制御情報に基づいて取得されるＩＤであってもよい。
【０１２４】
一部の実施形態では、ＵＥがＮＲセル内のＴＲＰと通信している限り、ＵＥ個別接続ＩＤは同じまま残る。幾つかの実施形態では、ＵＥは、ＮＲセル境界を越える場合に、元のＵＥ個別接続ＩＤを保持することができる。例えば、ＵＥは、ネットワークからシグナリングを受信した後に、そのＵＥ個別接続ＩＤを変更できるだけである。
【０１２５】
通信システム５００に実装されるＮＲセルの数は、様々な通信シナリオに応じて異なる可能性がある。例えば、図６は、本開示の実施形態による例示的な通信システム６００における２つの隣接するＮＲセルを示す。
【０１２６】
図６に示すように、ＮＲセル６８２、６８４はそれぞれ同一のＮＲセルＩＤの割り当てを受けた複数のＴＲＰを含む。例えば、ＮＲセル６８２は、ＴＲＰ６８６、６８７、６８８、６８９、６９０、及び６９２を含み、ＴＲＰ６９０、６９２は、ＵＥ６９４のようなＥＤと通信する。ＮＲセル６８２内の他のＴＲＰがＵＥ６９４と通信してもよいことは、明らかに理解される。ＮＲセル６８４は、ＴＲＰ６７０、６７２、６７４、６７６、６７８、及び６８０を含む。ＴＲＰ６９６は、異なる時間、周波数又は空間方向でＮＲセル６８２、６８４に割り当てられ、システムは、２つのＮＲセル６８２及び６８４の間でＴＲＰ６９６のＮＲセルＩＤを切り替えることができる。ＮＲセル間の（ゼロを含む）任意数の共有されるＴＲＰが、システムにおいて実装され得ることが想定されている。
【０１２７】
一実施形態では、システムは、ネットワーク・トポロジー、負荷分布、及び／又はＵＥ分布の変化に適応するために、ＮＲセル・トポロジーを動的に更新する。幾つかの実装において、ＵＥの濃度が１つの領域で増加する場合に、システムは、ＵＥのより高い濃度近傍のＴＲＰを含むように、ＮＲセルを動的に拡張することが可能である。例えば、ＮＲセルのエッジに位置するＵＥの濃度が所定の閾値を超えると、システムは他のＴＲＰを含むようにＮＲセルを拡張することができる。別の状況として、システムは、２つのハイパー・セルの間に位置する、より高い濃度のＵＥを含むように、ＮＲセルを拡張することができる。幾つかの実装において、トラフィック負荷が１つの領域で著しく増加している場合、システムはまた、増加したトラフィック負荷のためにＴＲＰを含むように、その領域に関連するＮＲセルを拡張することができる。例えば、ネットワークの一部のトラフィック負荷が所定の閾値を超える場合、システムは、ネットワークの影響を受ける部分に送信している１つ以上のＴＲＰのＮＲセルＩＤを変更することができる。
【０１２８】
別の実施形態では、システムは、ＴＲＰ６９６に関連するＮＲセルＩＤを、ＮＲセル６８２のＮＲセルＩＤからＮＲセル６８４のＮＲセルＩＤへ変更してもよい。一実施形態では、システムは、ＴＲＰの様々なＮＲセルとの関連付けを、例えば１ミリ秒毎のように周期的に変更することができる。このような柔軟なＮＲセル形成メカニズムにより、全てのＵＥは、セル端ＵＥが事実上存在しないように、最良のＴＲＰによって応対されることが可能である。
【０１２９】
更に別の実施形態では、共有されるＴＲＰ６９６は、２つのＮＲセル６８２、６８４の間の境界に位置するＵＥに対する干渉を低減することができる。２つのＮＲセル６８２、６８４の境界付近に位置するＵＥは、より少ないハンドオーバしか経験せず、なぜなら、共有されるＴＲＰが異なる時間、周波数又は空間方向の何れかでＮＲセルと関連付けられるからである。更に、ＵＥがＮＲセル６８２、６８４の間を移動する場合に、その遷移は、ユーザーにとってより滑らかな体験である。一実施形態では、ネットワークは、ＴＲＰ６９６のＮＲセルＩＤを変化させて、ＮＲセル６８２、６８４の間を移動するＵＥを遷移させる。
【０１３０】
図７Ａ及び７Ｂは、本開示による方法及び教示を実装することができる可能性のあるデバイスを示す。特に、図７Ａは図５の例示的なＥＤ５１０を示し、図７Ｂは図５の例示的な基地局５７０を示す。これらのコンポーネントは、システム５００において、又は任意の他の適切なシステムにおいて使用されることが可能である。
【０１３１】
図７Ａに示すように、ＥＤ５１０は、少なくとも１つの処理ユニット７００を含む。処理ユニット７００は、ＥＤ５１０の様々な処理動作を実現する。例えば、処理ユニット７００は、信号符号化、データ処理、電力制御、入力／出力処理、又はＥＤ５１０がシステム５００内で動作することを可能にする任意の他の機能を実行することができる。また、処理ユニット７００は、上記で詳細に説明された機能及び／又は実施形態の一部又は全部を実装するように構成されてもよい。各々の処理ユニット７００は、１つ以上の動作を実行するように構成された任意の適切な処理又はコンピューティング・デバイスを含む。各々の処理ユニット７００は、例えばマイクロプロセッサ、マイクロコントローラ、デジタル信号プロセッサ、フィールド・プログラマブル・ゲート・アレイ、又は特定用途向け集積回路を含むことができる。
【０１３２】
ＥＤ５１０はまた、少なくとも１つのトランシーバ７０２を含む。トランシーバ７０２は、少なくとも１つのアンテナ又はＮＩＣ（ネットワーク・インターフェース・コントローラ）７０４による送信のためにデータ又は他のコンテンツを変調するように構成される。トランシーバ７０２はまた、少なくとも１つのアンテナ７０４によって受信されるデータ又は他のコンテンツを復調するように構成される。各トランシーバ７０２は、無線送信のための信号を生成し、及び／又は無線又は有線で受信された信号を処理  するための、適切な任意の構造を含む。各アンテナ７０４は、無線信号を送信及び／又は受信するための任意の適切な構造を含む。１つ以上のトランシーバ７０２はＥＤ５１０において使用されることが可能であり、１つ以上のアンテナ７０４はＥＤ５１０において使用されることが可能である。単一の機能ユニットとして示されているが、トランシーバ７０２は、少なくとも１つの送信機及び少なくとも１つの別々の受信機を使用して実装されることも可能である。
【０１３３】
ＥＤ５１０は、１つ以上の入力／出力デバイス７０６又はインターフェースを更に含む。入力／出力デバイス７０６は、ネットワークにおいてユーザー又は他のデバイス（ネットワーク通信）との相互作用を促進する。各々の入力／出力デバイス７０６は、ネットワーク・インターフェース通信を含む、スピーカ、マイクロホン、キーパッド、キーボード、ディスプレイ、又はタッチ・スクリーンのような、ユーザーに情報を提供する、又はユーザーから情報を受信／提供するための任意の適切な構造を含む。
【０１３４】
また、ＥＤ５１０は、少なくとも１つのメモリ７０８を含む。メモリ７０８は、ＥＤ５１０によって使用、生成、又は収集される命令及びデータを格納する。例えば、メモリ７０８は、上述の機能及び／又は実施形態の一部又は全部を実装するように構成され、且つ処理ユニット７００によって実行される、ソフトウェア命令又はモジュールを格納することができる。各メモリ７０８は、任意の適切な揮発性及び／又は不揮発性のストレージ及び検索デバイスを含む。ランダム・アクセス・メモリ（ＲＡＭ）、リード・オンリー・メモリ（ＲＯＭ）、ハード・ディスク、光ディスク、加入者識別モジュール（ＳＩＭ）、メモリ・スティック、セキュア・ディジタル（ＳＤ）メモリ・カード等のような任意の適切なタイプのメモリが使用される可能性がある。
【０１３５】
図７Ｂに示すように、基地局５７０は、少なくとも１つの処理ユニット７５０、少なくとも１つの送信機７５２、少なくとも１つの受信機７５４、１つ以上のアンテナ７５６、少なくとも１つのメモリ７５８、及び１つ以上の入力／出力デバイス又はインターフェース７６６を含む。送信機７５２及び受信機７５４の代わりに、図示されていないトランシーバが使用されてもよい。スケジューラ７５３は、処理ユニット７５０に結合されてもよい。スケジューラ７５３は、基地局５７０内に含まれてもよいし、或いは基地局５７０とは別に動作してもよい。処理ユニット７５０は、信号符号化、データ処理、電力制御、入力／出力処理、又は任意の他の機能などの基地局５７０の種々の処理動作を実行する。また、処理ユニット７５０は、上記で詳細に説明された機能及び／又は実施形態の一部又は全部を実装するように構成されることも可能である。各々の処理ユニット７５０は、１つ以上の動作を実行するように構成された任意の適切な処理又はコンピューティング・デバイスを含む。各々の処理ユニット７５０は、例えば、マイクロプロセッサ、マイクロコントローラ、デジタル信号プロセッサ、フィールド・プログラマブル・ゲート・アレイ、又は特定用途向け集積回路を含むことができる。
【０１３６】
各々の送信機７５２は、１つ以上のＥＤ又は他のデバイスに無線伝送するための信号を生成するための任意の適切な構造を含む。各々の受信機７５４は、１つ以上のＥＤ又は他のデバイスから無線又は有線によって受信された信号を処理するための任意の適切な構造を含む。別個のコンポーネントとして示されているが、少なくとも１つの送信機７５２及び少なくとも１つの受信機７５４はトランシーバに統合されることが可能である。各アンテナ７５６は、無線信号を送信及び／又は受信するための任意の適切な構造を含む。ここでは共通のアンテナ７５６が送信機７５２及び受信機７５４の両方に結合されるように示されているが、１つ以上のアンテナ７５６を送信機７５２に結合されることが可能であり、１つ以上の別個のアンテナ７５６が受信機７５４に結合されることが可能である。各メモリ７５８は、ＥＤ５１０に関連して上述されたもののように、任意の適切な揮発性及び／又は不揮発性のストレージ及び検索デバイスを含む。メモリ７５８は、基地局５７０によって使用、生成、又は収集される命令及びデータを格納する。例えば、メモリ７５８は、上述の機能及び／又は実施形態の一部又は全部を実装するように構成され、且つ処理ユニット７５０によって実行される、ソフトウェア命令又はモジュールを格納することができる。
【０１３７】
各々の入力／出力デバイス７６６は、ネットワークにおいてユーザー又は他のデバイスとの相互作用（ネットワーク通信）を促進する。各々の入力／出力デバイス７６６は、ネットワーク・インターフェース通信を含む、ユーザーへ情報を提供する、又はユーザーから情報を受信／提供するための任意の適切な構造を含む。
【０１３８】
図８はワイヤレス通信の実施形態の方法８００のフローチャートを示す。方法８００はＵＥにより実行される動作を示すことが可能である。図示されるように、ステップ８０２において、ＵＥは、ＵＥのアップリンク・データ通信をスケジューリングするダウンリンク制御情報（ＤＣＩ）を受信する。ステップ８０４において、ＵＥは、ＤＣＩに従ってデータを送信し、データはシーケンスによりスクランブルされ、シーケンスは、ＤＣＩが第１フォーマットにあり且つＤＣＩが、ＵＥのＵＥ識別子（ＩＤ）によりスクランブルされた巡回冗長検査（ＣＲＣ）によるＵＥ固有の探索空間にあることに応答して、設定可能なパラメータにより初期化される。
【０１３９】
図９はワイヤレス通信の別の実施形態の方法９００のフローチャートを示す。方法９００はＵＥにより実行される動作を示すことが可能である。図示されるように、ステップ９０２において、ＵＥは、ＵＥのダウンリンク・データ通信をスケジューリングするダウンリンク制御情報（ＤＣＩ）を受信する。ステップ９０４において、ＵＥは、ＤＣＩに従ってデータを受信し、データはシーケンスによりスクランブルされ、シーケンスは、ＤＣＩが第１フォーマットにあり且つＤＣＩが、ＵＥのＵＥ識別子（ＩＤ）によりスクランブルされた巡回冗長検査（ＣＲＣ）によるＵＥ固有の探索空間にある場合に、設定可能なパラメータにより初期化される。
【０１４０】
図１０はワイヤレス通信の更に別の実施形態の方法１０００のフローチャートを示す。方法１０００は基地局（ＢＳ）により実行される動作を示すことが可能である。図示されるように、ステップ１００２において、ＢＳは、ＢＳとＵＥとの間のダウンリンク・データ通信をスケジューリングする第１ダウンリンク制御情報（ＤＣＩ）を送信し、第１ＤＣＩは第１フォーマットにあり、第１ＤＣＩは、ＵＥのＵＥ識別子（ＩＤ）によりスクランブルされた巡回冗長検査（ＣＲＣ）によるＵＥ固有の探索空間にある。ステップ１００４において、ＢＳは、第１ＤＣＩに従って第１データを送信し、第１データは、設定可能なパラメータにより初期化された第１シーケンスによりスクランブルされる。
【０１４１】
図１１はワイヤレス通信の更に別の実施形態の方法１１００のフローチャートを示す。方法１１００はＢＳにより実行される動作を示すことが可能である。図示されるように、ステップ１１０２において、ＢＳは、ＢＳとＵＥとの間のアップリンク・データ通信をスケジューリングする第１ダウンリンク制御情報（ＤＣＩ）を送信し、第１ＤＣＩは第１フォーマットにあり、第１ＤＣＩは、ＵＥのＵＥ識別子（ＩＤ）によりスクランブルされた巡回冗長検査（ＣＲＣ）によるＵＥ固有の探索空間にある。ステップ１１０４において、ＢＳは、第１ＤＣＩに従って第１データを受信し、第１データは、設定可能なパラメータにより初期化された第１シーケンスによりスクランブルされる。
【０１４２】
本開示の実施形態は、ＵＥがフォールバックのための制御情報のフォーマットを検出した場合に、データ及び／又はリファレンス信号の伝送の方法を提供する。提供される方法により、ＵＥは、フォールバックのためのＤＣＩが、Ｃ−ＲＮＴＩ又はＣＳ−ＲＮＴＩによってスクランブルされた巡回冗長コード（ＣＲＣ）によるＵＥ固有の探索空間において送信されるかどうかを区別することが可能であり、これはＲＲＣ設定手順の後にＵＥによって実行されることが可能である。ＵＥはＤＭＲＳスクランブルＩＤを決定することが可能であり、それに基づいて、ＤＭＲＳシーケンスが生成され、データをスクランブルするための初期化シーケンスが生成される。このように、ＵＥ及び基地局は、様々な通信シナリオにおいてＤＭＲＳスクランブリングＩＤの一貫性を有することができる。
【０１４３】
本開示の一態様によれば、方法が提供され、方法は：
ＵＥ  ＩＤによりスクランブルされたＣＲＣによるＵＥ固有の探索空間においてダウンリンク制御情報（ＤＣＩ）の第１フォーマットを検出するステップ；
ＤＣＩの第１フォーマットが検出された場合に：
ＤＣＩの検出された第１フォーマットに従ってデータに対するリファレンス信号を送信するステップであって、リファレンス信号のシーケンスは、基地局から受信される、スクランブリングＩＤに対応する設定可能なパラメータに基づく初期化シーケンスに関連付けられる、ステップ；
ＤＣＩの検出された第１フォーマットに従ってデータに対するリファレンス信号を受信するステップであって、リファレンス信号のシーケンスは、基地局から受信される、スクランブリングＩＤ（ｎＳＣＩＤ）に対応する設定可能なパラメータに基づく初期化シーケンスに関連付けられる、ステップ；
ＤＣＩの検出された第１フォーマットに従ってデータを送信するステップであって、データは、基地局から受信される、設定可能なパラメータにより初期化されたシーケンスによってスクランブルされる、ステップ；及び
ＤＣＩの検出された第１フォーマットに従ってデータを受信するステップであって、データは、基地局から受信される、設定可能なパラメータにより初期化されたシーケンスによってスクランブルされる、ステップ；
のうちの１つ以上を実行するステップを含む。
【０１４４】
オプションとして、上記の任意の態様において、方法は、ＵＥ  ＩＤによりスクランブルされたＣＲＣによるＵＥ固有の探索空間においてＤＣＩの第１フォーマットが検出されない場合に：
ＤＣＩの検出された第１フォーマットに従ってデータのリファレンス信号を送信するステップであって、リファレンス信号のシーケンスは、セルＩＤに基づく初期化シーケンスに関連付けられる、ステップ；
ＤＣＩの検出された第１フォーマットに従ってデータのリファレンス信号を受信するステップであって、リファレンス信号のシーケンスは、セルＩＤに基づく初期化シーケンスに関連付けられる、ステップ；
ＤＣＩの検出された第１フォーマットに従ってデータを送信するステップであって、データは、セルＩＤにより初期化されたシーケンスによりスクランブルされる、ステップ；及び
ＤＣＩの検出された第１フォーマットに従ってデータを受信するステップであって、データは、セルＩＤにより初期化されたシーケンスによりスクランブルされる、ステップ；
のうちの１つ以上を実行するステップを更に含む。
【０１４５】
オプションとして、上記の任意の態様において、スクランブリングＩＤ（ｎＳＣＩＤ）は、復調リファレンス信号スクランブリングＩＤである。
【０１４６】
オプションとして、上記の任意の態様において、ｎＳＣＩＤの値は０である。
【０１４７】
オプションとして、上記の任意の態様において、リファレンス信号は復調リファレンス信号である。
【０１４８】
オプションとして、上記の任意の態様において、ＤＣＩの第１フォーマットは、フォールバック用のＤＣＩのフォーマットである。
【０１４９】
オプションとして、上記の任意の態様において、ＵＥ  ＩＤは、Ｃ−ＲＮＴＩ（セル無線ネットワーク一時識別子）、又はＣＳ−ＲＮＴＩ（設定されたスケジューリング）を含むことが可能である。
【０１５０】
オプションとして、上記の任意の態様において、スクランブリングＩＤに対応する設定可能なパラメータに基づくデータのためのＵＥ送信リファレンス信号（ＰＵＳＣＨのためのＤＭＲＳ）のシーケンスに関連する初期化シーケンスは、設定可能なパラメータの関数ｆ（ＮＩＤｎＳＣＩＤ）であり、ＮＩＤｎＳＣＩＤ∈｛０，１，．．．，６５５３５｝は上位レイヤ・パラメータにより与えられ、ｎＳＣＩＤ＝０である。
【０１５１】
オプションとして、上記の任意の態様において、関数の式は次のとおりであり：
【数１５】
2021519561.tif 000017
ここで、ｃｉｎｉｔは初期化シーケンスであり、ｌはスロット内のＯＦＤＭシンボル番号であり、ｎｓ，ｆμはフレーム内のスロット番号であり、ＮＩＤｎＳＣＩＤ∈｛０，１，．．．，６５５３５｝は上位レイヤ・パラメータＵＬ−ＤＭＲＳ−Ｓｃｒａｍｂｌｉｎｇ−ＩＤにより与えられ、ｎＳＣＩＤ＝０である。
【０１５２】
オプションとして、上記の任意の態様において、スクランブリングＩＤに対応する設定可能なパラメータに基づくＤＣＩの検出された第１フォーマットによるデータに対するＵＥ送信リファレンス信号（ＰＤＳＣＨに対するＤＭＲＳ）に関連する初期化シーケンスは、設定可能なパラメータの関数ｆ（ＮＩＤｎＳＣＩＤ）であり、ＮＩＤｎＳＣＩＤ∈｛０，１，．．．，６５５３５｝は上位レイヤ・パラメータにより与えられ、ｎＳＣＩＤ＝０である。
【０１５３】
オプションとして、上記の任意の態様において、関数の式は次のとおりであり：
【数１６】
2021519561.tif 000018
ここで、ｃｉｎｉｔは初期化シーケンスであり、ｌはスロット内のＯＦＤＭシンボル番号であり、ｎｓ，ｆμはフレーム内のスロット番号であり、ＮＩＤｎＳＣＩＤ∈｛０，１，．．．，６５５３５｝は上位レイヤ・パラメータＤＬ−ＤＭＲＳ−Ｓｃｒａｍｂｌｉｎｇ−ＩＤにより与えられ、ｎＳＣＩＤ＝０である。
【０１５４】
オプションとして、上記の任意の態様において、アップリンク・データ（ＰＵＳＣＨ）のスクランブリング・シーケンスの初期化シーケンスは、設定可能なパラメータ、ｎＩＤの関数であり、ｎＩＤ∈｛０，１，．．．，１０２３｝は上位レイヤ・パラメータに等しい。
【０１５５】
オプションとして、上記の任意の態様において、関数の式は次の通りであり：
ｃｉｎｉｔ＝ｎＲＮＴＩ・２１５＋ｎＩＤ
ここで、ｃｉｎｉｔは初期化シーケンスであり、ｎＩＤ∈｛０，１，．．．，１０２３｝は上位レイヤ・パラメータＤａｔａ−ｓｃｒａｍｂｌｉｎｇ−Ｉｄｅｎｔｉｔｙに等しく、ｎＲＮＴＩはＰＵＳＣＨ伝送に関連するＲＮＴＩに対応する。
【０１５６】
オプションとして、上記の任意の態様において、ダウンリンク・データ（ＰＤＳＣＨ）のスクランブリング・シーケンスの初期化シーケンスは、設定可能なパラメータ（ｎＩＤ）の関数であり、ｎＩＤ∈｛０，１，．．．，１０２３｝は上位レイヤ・パラメータに等しい。
オプションとして、上記の任意の態様において、関数の式は次の通りであり：
ｃｉｎｉｔ＝ｎＲＮＴＩ・２１５＋ｑ・２１４＋ｎＩＤ
ここで、ｃｉｎｉｔは初期化シーケンスであり、ｎＩＤ∈｛０，１，．．．，１０２３｝は上位レイヤ・パラメータＤａｔａ−ｓｃｒａｍｂｌｉｎｇ−Ｉｄｅｎｔｉｔｙに等しく、ｎＲＮＴＩはＰＵＳＣＨ伝送に関連するＲＮＴＩに対応する。
【０１５７】
オプションとして、上記の任意の態様において、検出は、無線リソース制御（ＲＲＣ）設定手順の後に実行される。
【０１５８】
本開示の一態様によれば、命令を含むストレージに結合されるプロセッサを含む装置が提供され、命令は実行されると、プロセッサに：
ＵＥ  ＩＤによりスクランブルされたＣＲＣによるＵＥ固有の探索空間においてダウンリンク制御情報（ＤＣＩ）の第１フォーマットを検出するステップ；
ＤＣＩの第１フォーマットが検出された場合に：
ＤＣＩの検出された第１フォーマットに従ってデータに対するリファレンス信号を送信するステップであって、リファレンス信号のシーケンスは、基地局から受信される、スクランブリングＩＤに対応する設定可能なパラメータに基づく初期化シーケンスに関連付けられる、ステップ；
ＤＣＩの検出された第１フォーマットに従ってデータに対するリファレンス信号を受信するステップであって、リファレンス信号のシーケンスは、基地局から受信される、スクランブリングＩＤ（ｎＳＣＩＤ）に対応する設定可能なパラメータに基づく初期化シーケンスに関連付けられる、ステップ；
ＤＣＩの検出された第１フォーマットに従ってデータを送信するステップであって、データは、基地局から受信される、設定可能なパラメータにより初期化されたシーケンスによってスクランブルされる、ステップ；及び
ＤＣＩの検出された第１フォーマットに従ってデータを受信するステップであって、データは、基地局から受信される、設定可能なパラメータにより初期化されたシーケンスによってスクランブルされる、ステップ；
のうちの１つ以上を実行するステップ；を実行させる。
【０１５９】
本開示の一態様によれば、方法が提供され、方法は：ユーザー装置（ＵＥ）が、ＵＥのデータ通信をスケジューリングするダウンリンク制御情報（ＤＣＩ）を受信するステップ；及びＵＥが、ＤＣＩに従ってデータを送信するステップであって、データはシーケンスによりスクランブルされ、シーケンスは、ＤＣＩが第１フォーマットにあり且つＤＣＩが、ＵＥのＵＥ識別子（ＩＤ）によりスクランブルされた巡回冗長検査（ＣＲＣ）によるＵＥ固有の探索空間にあることに応答して、設定可能なパラメータにより初期化される、ステップ；を含む。即ち、シーケンスは、ＤＣＩが第１フォーマットにあり且つＤＣＩが、ＵＥのＩＤによりスクランブルされたＣＲＣによるＵＥ固有の探索空間にある場合に（そのように判断した場合に）、設定可能なパラメータにより初期化される。
【０１６０】
オプションとして、上記の任意の態様において、方法は、ＵＥが、設定可能なパラメータを基地局（ＢＳ）から受信するステップを更に含む。
【０１６１】
オプションとして、上記の任意の態様において、方法は、ＤＣＩが、ＵＥのＵＥ  ＩＤによりスクランブルされたＣＲＣによる共通の探索空間にあることに応答して、シーケンスはセルＩＤにより初期化される。
【０１６２】
オプションとして、上記の任意の態様において、ＤＣＩの第１フォーマットは、フォールバック用のＤＣＩのフォーマットである。
【０１６３】
オプションとして、上記の任意の態様において、ＵＥ  ＩＤは、セル無線ネットワーク一時識別子（Ｃ−ＲＮＴＩ）、変調及び符号化方式−Ｃ−ＲＮＴＩ（ＭＣＳ−Ｃ−ＲＮＴＩ）、又は設定されたスケジューリング−ＲＮＴＩ（ＣＳ−ＲＮＴＩ）を含む。
【０１６４】
オプションとして、上記の任意の態様において、シーケンスは、ｎＩＤにより表現される設定可能なパラメータに基づいて決定される初期化シーケンスを利用して初期化される。
【０１６５】
オプションとして、上記の任意の態様において、ｎＩＤ∈｛０，１，．．．，１０２３｝は上位レイヤ・シグナリングにより設定される。オプションとして、ｎＩＤ∈｛０，１，．．．，１０２３｝は、上位レイヤ・パラメータにより指定されてもよいし、或いは上位レイヤ・パラメータに等しい。
【０１６６】
オプションとして、上記の任意の態様において、初期化シーケンスは、ｎＩＤにより表現される設定可能なパラメータに基づいて決定され、初期化シーケンスは、ｃｉｎｉｔ＝ｎＲＮＴＩ・２１５＋ｎＩＤを充足し、ｃｉｎｉｔは初期化シーケンスを表現し、ｎＲＮＴＩは物理アップリンク共有チャネル（ＰＵＳＣＨ）伝送に関連する無線ネットワーク一時識別子（ＲＮＴＩ）に対応する。
【０１６７】
オプションとして、上記の任意の態様において、ＤＣＩを受信するステップは、無線リソース制御（ＲＲＣ）設定手順が実行された後に、ＤＣＩを検出するステップを含む。
【０１６８】
オプションとして、上記の任意の態様において、第１フォーマットは、ＰＵＳＣＨに対するＤＣＩフォーマット０＿０を含む。
【０１６９】
本開示の一態様によれば、方法が提供され、方法は：ユーザー装置（ＵＥ）が、ＵＥのデータ通信をスケジューリングするダウンリンク制御情報（ＤＣＩ）を受信するステップ；及びＵＥが、ＤＣＩに従ってデータを受信するステップであって、データはシーケンスによりスクランブルされ、シーケンスは、ＤＣＩが第１フォーマットにあり且つＤＣＩが、ＵＥのＵＥ識別子（ＩＤ）によりスクランブルされた巡回冗長検査（ＣＲＣ）によるＵＥ固有の探索空間にある場合に、設定可能なパラメータにより初期化される、ステップ；を含む。即ち、シーケンスは、ＤＣＩが第１フォーマットにあり且つＤＣＩが、ＵＥのＩＤによりスクランブルされたＣＲＣによるＵＥ固有の探索空間にあることに応答して（そのように判断したことに応答して、又はその場合に）、設定可能なパラメータにより初期化される。
【０１７０】
オプションとして、上記の任意の態様において、方法は、ＵＥが、設定可能なパラメータを基地局（ＢＳ）から受信するステップを更に含む。
【０１７１】
オプションとして、上記の任意の態様において、ＤＣＩが、ＵＥのＵＥ  ＩＤによりスクランブルされたＣＲＣによる共通の探索空間にある場合に、シーケンスはセルＩＤにより初期化される。
オプションとして、ＤＣＩに従ってデータを受信するステップは：設定可能なパラメータにより初期化されたシーケンスを利用してデータをＵＥによりデスクランブルするステップを含む。
【０１７２】
オプションとして、上記の任意の態様において、ＤＣＩの第１フォーマットは、フォールバック用のＤＣＩのフォーマットである。
【０１７３】
オプションとして、上記の任意の態様において、ＵＥ  ＩＤは、セル無線ネットワーク一時識別子（Ｃ−ＲＮＴＩ）、変調及び符号化方式−Ｃ−ＲＮＴＩ（ＭＣＳ−Ｃ−ＲＮＴＩ）、又は設定されたスケジューリング−ＲＮＴＩ（ＣＳ−ＲＮＴＩ）を含む。
【０１７４】
オプションとして、上記の任意の態様において、シーケンスは、ｎＩＤにより表現される設定可能なパラメータに基づいて決定される初期化シーケンスを利用して初期化される。
【０１７５】
オプションとして、上記の任意の態様において、ｎＩＤ∈｛０，１，．．．，１０２３｝は、上位レイヤ・シグナリングにより設定される。オプションとして、ｎＩＤ∈｛０，１，．．．，１０２３｝は、上位レイヤ・パラメータにより指定されてもよいし、或いは上位レイヤ・パラメータに等しい。
【０１７６】
オプションとして、上記の任意の態様において、初期化シーケンスは、ｎＩＤにより表現される設定可能なパラメータに基づいて決定され、初期化シーケンスは、ｃｉｎｉｔ＝ｎＲＮＴＩ・２１５＋ｑ・２１４＋ｎＩＤを充足し、ｃｉｎｉｔは初期化シーケンスであり、ｎＲＮＴＩは物理ダウンリンク共有チャネル（ＰＤＳＣＨ）伝送に関連するＲＮＴＩに対応する。
【０１７７】
オプションとして、上記の任意の態様において、ＤＣＩを受信するステップは、無線リソース制御（ＲＲＣ）設定手順が実行された後に、ＤＣＩを検出するステップを含む。
【０１７８】
オプションとして、上記の任意の態様において、第１フォーマットは、ＰＤＳＣＨに対するＤＣＩフォーマット１＿０を含む。
【０１７９】
本開示の別の態様によれば、方法が提供され、方法は：基地局（ＢＳ）が、ＢＳとユーザー装置（ＵＥ）との間のデータ通信をスケジューリングする第１ダウンリンク制御情報（ＤＣＩ）を送信するステップであって、第１ＤＣＩは第１フォーマットにあり、第１ＤＣＩは、ＵＥのＵＥ識別子（ＩＤ）によりスクランブルされた巡回冗長検査（ＣＲＣ）によるＵＥ固有の探索空間にある、ステップ；及び、ＢＳが、第１ＤＣＩに従って第１データを送信するステップであって、第１データは、設定可能なパラメータにより初期化された第１シーケンスによりスクランブルされる、ステップ；を含む。
【０１８０】
オプションとして、上記の任意の態様において、方法は更に：ＢＳが、ＢＳとＵＥとの間のデータ通信をスケジューリングする第２ＤＣＩを送信するステップであって、第２ＤＣＩは、ＵＥのＵＥ  ＩＤによりスクランブルされたＣＲＣによる共通の探索空間にある、ステップ；及び、ＢＳが、第２ＤＣＩに従って第２データを送信するステップであって、第２データは、セル識別子（ＩＤ）により初期化された第２シーケンスによりスクランブルされる、ステップ；を含む。
オプションとして、上記の任意の態様において、第１ＤＣＩの第１フォーマットは、フォールバック用のＤＣＩのフォーマットである。
【０１８１】
オプションとして、上記の任意の態様において、ＵＥ  ＩＤは、セル無線ネットワーク一時識別子（Ｃ−ＲＮＴＩ）、変調及び符号化方式−Ｃ−ＲＮＴＩ（ＭＣＳ−Ｃ−ＲＮＴＩ）、又は設定されたスケジューリング−ＲＮＴＩ（ＣＳ−ＲＮＴＩ）を含む。
【０１８２】
オプションとして、上記の任意の態様において、第１シーケンスは、ｎＩＤにより表現される設定可能なパラメータに基づいて決定される初期化シーケンスを利用して初期化される。
【０１８３】
オプションとして、上記の任意の態様において、ｎＩＤ∈｛０，１，．．．，１０２３｝は、上位レイヤ・シグナリングにより設定される。オプションとして、ｎＩＤ∈｛０，１，．．．，１０２３｝は、上位レイヤ・パラメータにより指定されてもよいし、或いは上位レイヤ・パラメータに等しい。
【０１８４】
オプションとして、上記の任意の態様において、初期化シーケンスは、ｎＩＤにより表現される設定可能なパラメータに基づいて決定され、初期化シーケンスは、ｃｉｎｉｔ＝ｎＲＮＴＩ・２１５＋ｑ・２１４＋ｎＩＤを充足し、ｃｉｎｉｔは初期化シーケンスであり、ｎＲＮＴＩは物理ダウンリンク共有チャネル（ＰＤＳＣＨ）伝送に関連するＲＮＴＩに対応する。
【０１８５】
本開示の別の態様によれば、方法が提供され、方法は：基地局（ＢＳ）が、ＢＳとユーザー装置（ＵＥ）との間のデータ通信をスケジューリングする第１ダウンリンク制御情報（ＤＣＩ）を送信するステップであって、第１ＤＣＩは第１フォーマットにあり、第１ＤＣＩは、ＵＥのＵＥ識別子（ＩＤ）によりスクランブルされた巡回冗長検査（ＣＲＣ）によるＵＥ固有の探索空間にある、ステップ；及び、ＢＳが、第１ＤＣＩに従って第１データを受信するステップであって、第１データは、設定可能なパラメータにより初期化された第１シーケンスによりスクランブルされる、ステップ；を含む。
【０１８６】
オプションとして、上記の任意の態様において、第１ＤＣＩに従って前記第１データを受信するステップは：ＢＳが、設定可能なパラメータにより初期化された第１シーケンスを利用して第１データをデスクランブルするステップ；を含む。
【０１８７】
オプションとして、上記の任意の態様において、方法は：ＢＳが、ＢＳとＵＥとの間のデータ通信をスケジューリングする第２ＤＣＩを送信するステップであって、第２ＤＣＩは、ＵＥのＵＥ  ＩＤによりスクランブルされたＣＲＣによる共通の探索空間にある、ステップ；及び、ＢＳが、第２ＤＣＩに従って第２データを受信するステップであって、第２データは、セル識別子（ＩＤ）により初期化された第２シーケンスによりスクランブルされる、ステップ；を更に含む。
【０１８８】
オプションとして、上記の任意の態様において、第１ＤＣＩの第１フォーマットは、フォールバック用のＤＣＩのフォーマットである。
【０１８９】
オプションとして、上記の任意の態様において、ＵＥ  ＩＤは、セル無線ネットワーク一時識別子（Ｃ−ＲＮＴＩ）、又は設定されたスケジューリング−ＲＮＴＩ（ＣＳ−ＲＮＴＩ）を含む。
【０１９０】
オプションとして、上記の任意の態様において、第１シーケンスは、ｎＩＤにより表現される設定可能なパラメータに基づいて決定される初期化シーケンスを利用して初期化される。
【０１９１】
オプションとして、上記の任意の態様において、ｎＩＤ∈｛０，１，．．．，１０２３｝は、上位レイヤ・シグナリングにより設定される。オプションとして、ｎＩＤ∈｛０，１，．．．，１０２３｝は、上位レイヤ・パラメータにより指定されてもよいし、或いは上位レイヤ・パラメータに等しい。
【０１９２】
オプションとして、上記の任意の態様において、初期化シーケンスは、ｎＩＤにより表現される設定可能なパラメータに基づいて決定され、初期化シーケンスは、ｃｉｎｉｔ＝ｎＲＮＴＩ・２１５＋ｎＩＤを充足し、ｃｉｎｉｔは初期化シーケンスであり、ｎＲＮＴＩは物理アップリンク共有チャネル（ＰＵＳＣＨ）伝送に関連する無線ネットワーク一時識別子（ＲＮＴＩ）に対応する。
【０１９３】
本開示の別の態様によれば、少なくとも１つの非一時的なメモリ・ストレージに結合されるように構成された１つ以上のプロセッサを含む装置が提供され、非一時的なメモリ・ストレージは命令を格納するように構成され、命令は、実行されると１つ以上のプロセッサに：装置のデータ通信をスケジューリングするダウンリンク制御情報（ＤＣＩ）を受信するステップ；及び、ＤＣＩに従ってデータを送信するステップであって、データはシーケンスによりスクランブルされ、シーケンスは、ＤＣＩが第１フォーマットにあり且つＤＣＩが、装置又は装置が使用されるＵＥのＵＥ識別子（ＩＤ）によりスクランブルされた巡回冗長検査（ＣＲＣ）によるＵＥ固有の探索空間にあることに応答して、設定可能なパラメータにより初期化される、ステップ；を実行させる。即ち、シーケンスは、ＤＣＩが第１フォーマットにあり且つＤＣＩがＵＥのＩＤによりスクランブルされたＣＲＣによるＵＥ固有の探索空間にある場合に（そのように判断した場合に）、設定可能なパラメータにより初期化される。
【０１９４】
オプションとして、上記の任意の態様において、１つ以上のプロセッサは：設定可能なパラメータを基地局（ＢＳ）から受信するための命令を更に実行する。
【０１９５】
オプションとして、上記の任意の態様において、ＤＣＩが、装置又は装置が使用されるＵＥのＵＥ  ＩＤによりスクランブルされたＣＲＣによる共通の探索空間にあることに応答して、シーケンスはセルＩＤにより初期化される。
【０１９６】
オプションとして、上記の任意の態様において、ＤＣＩの第１フォーマットは、フォールバック用のＤＣＩのフォーマットである。
【０１９７】
オプションとして、上記の任意の態様において、ＵＥ  ＩＤは、セル無線ネットワーク一時識別子（Ｃ−ＲＮＴＩ）、変調及び符号化方式−Ｃ−ＲＮＴＩ（ＭＣＳ−Ｃ−ＲＮＴＩ）、又は設定されたスケジューリング−ＲＮＴＩ（ＣＳ−ＲＮＴＩ）を含む。
【０１９８】
オプションとして、上記の任意の態様において、シーケンスは、ｎＩＤにより表現される設定可能なパラメータに基づいて決定される初期化シーケンスを用いて初期化される。
【０１９９】
オプションとして、上記の任意の態様において、ｎＩＤ∈｛０，１，．．．，１０２３｝は、上位レイヤ・シグナリングにより設定される。オプションとして、ｎＩＤ∈｛０，１，．．．，１０２３｝は、上位レイヤ・パラメータにより指定されてもよいし、或いは上位レイヤ・パラメータに等しい。
【０２００】
オプションとして、上記の任意の態様において、初期化シーケンスは、ｎＩＤにより表現される設定可能なパラメータに基づいて決定され、初期化シーケンスは、ｃｉｎｉｔ＝ｎＲＮＴＩ・２１５＋ｎＩＤを充足し、ｃｉｎｉｔは初期化シーケンスであり、ｎＲＮＴＩは物理アップリンク共有チャネル（ＰＵＳＣＨ）伝送に関連する無線ネットワーク一時識別子（ＲＮＴＩ）に対応する。
【０２０１】
オプションとして、上記の任意の態様において、ＤＣＩを受信するステップは、無線リソース制御（ＲＲＣ）設定手順が実行された後に、ＤＣＩを検出するステップを含む。
【０２０２】
オプションとして、上記の任意の態様において、第１フォーマットは、ＰＵＳＣＨに対するＤＣＩフォーマット０＿０を含む。
【０２０３】
本開示の別の態様によれば、非一時的なメモリ・ストレージに結合するように構成された１つ以上のプロセッサを含む装置が提供され、非一時的なメモリ・ストレージは命令を格納するように構成され、命令は、実行されると１つ以上のプロセッサに：装置のデータ通信をスケジューリングするダウンリンク制御情報（ＤＣＩ）を受信するステップ；及びＤＣＩに従ってデータを受信するステップであって、データはシーケンスによりスクランブルされ、シーケンスは、ＤＣＩが第１フォーマットにあり且つＤＣＩが、装置又は装置が使用されるＵＥのＵＥ識別子（ＩＤ）によりスクランブルされた巡回冗長検査（ＣＲＣ）によるＵＥ固有の探索空間にある場合に、設定可能なパラメータにより初期化される、ステップ；を実行させる。即ち、シーケンスは、ＤＣＩが第１フォーマットにあり且つＤＣＩが、ＵＥのＩＤによりスクランブルされたＣＲＣによるＵＥ固有の探索空間にあることに応答して（そのように判断した際に、又はその場合に）、設定可能なパラメータにより初期化される。
【０２０４】
オプションとして、上記の任意の態様において、１つ以上のプロセッサは：設定可能なパラメータを基地局（ＢＳ）から受信するための命令を更に実行する。
【０２０５】
オプションとして、上記の任意の態様において、ＤＣＩが、装置又は装置が使用されるＵＥのＵＥ  ＩＤによりスクランブルされたＣＲＣによる共通の探索空間にある場合に、シーケンスはセルＩＤにより初期化される。
【０２０６】
オプションとして、上記の任意の態様において、ＤＣＩに従ってデータを受信するステップは：設定可能なパラメータにより初期化されたシーケンスを利用してデータをデスクランブルするステップ；を含む。
【０２０７】
オプションとして、上記の任意の態様において、ＤＣＩの第１フォーマットは、フォールバック用のＤＣＩのフォーマットである。
【０２０８】
オプションとして、上記の任意の態様において、ＵＥ  ＩＤは、セル無線ネットワーク一時識別子（Ｃ−ＲＮＴＩ）、又は設定されたスケジューリング−ＲＮＴＩ（ＣＳ−ＲＮＴＩ）を含む。
【０２０９】
オプションとして、上記の任意の態様において、シーケンスは、ｎＩＤにより表現される設定可能なパラメータに基づいて決定される初期化シーケンスを利用して初期化される。
【０２１０】
オプションとして、上記の任意の態様において、ｎＩＤ∈｛０，１，．．．，１０２３｝は、上位レイヤ・シグナリングにより設定される。オプションとして、ｎＩＤ∈｛０，１，．．．，１０２３｝は、上位レイヤ・パラメータにより指定されてもよいし、或いは上位レイヤ・パラメータに等しい。
【０２１１】
オプションとして、上記の任意の態様において、初期化シーケンスは、ｎＩＤにより表現される設定可能なパラメータに基づいて決定され、初期化シーケンスは、ｃｉｎｉｔ＝ｎＲＮＴＩ・２１５＋ｑ・２１４＋ｎＩＤを充足し、ｃｉｎｉｔは初期化シーケンスであり、ｎＲＮＴＩは物理ダウンリンク共有チャネル（ＰＤＳＣＨ）伝送に関連するＲＮＴＩに対応する。
【０２１２】
オプションとして、上記の任意の態様において、ＤＣＩを受信するステップは、無線リソース制御（ＲＲＣ）設定手順が実行された後に、ＤＣＩを検出するステップを含む。
【０２１３】
オプションとして、上記の任意の態様において、第１フォーマットは、ＰＤＳＣＨに対するＤＣＩフォーマット１＿０を含む。
【０２１４】
本開示の別の態様によれば、非一時的なメモリ・ストレージに結合するように構成された１つ以上のプロセッサを含む装置が提供され、非一時的なメモリ・ストレージは命令を格納するように構成され、命令は、実行されると１つ以上のプロセッサに：装置又は装置が使用される基地局（ＢＳ）とユーザー装置（ＵＥ）との間のデータ通信をスケジューリングする第１ダウンリンク制御情報（ＤＣＩ）を送信するステップであって、第１ＤＣＩは第１フォーマットにあり、第１ＤＣＩは、ＵＥのＵＥ識別子（ＩＤ）によりスクランブルされた巡回冗長検査（ＣＲＣ）によるＵＥ固有の探索空間にある、ステップ；及び、第１ＤＣＩに従って第１データを送信するステップであって、第１データは、設定可能なパラメータにより初期化された第１シーケンスによりスクランブルされる、ステップ；を実行させる。
【０２１５】
オプションとして、上記の任意の態様において、１つ以上のプロセッサは：装置又は装置が使用される基地局（ＢＳ）とＵＥとの間のデータ通信をスケジューリングする第２ＤＣＩを送信するステップであって、第２ＤＣＩは、ＵＥのＵＥ  ＩＤによりスクランブルされたＣＲＣによる共通の探索空間にある、ステップ；及び、第２ＤＣＩに従って第２データを送信するステップであって、第２データは、セル識別子（ＩＤ）により初期化された第２シーケンスによりスクランブルされる、ステップ；のための命令を更に実行する。
【０２１６】
オプションとして、上記の任意の態様において、第１ＤＣＩの第１フォーマットは、フォールバック用のＤＣＩのフォーマットである。
【０２１７】
オプションとして、上記の任意の態様において、ＵＥ  ＩＤは、セル無線ネットワーク一時識別子（Ｃ−ＲＮＴＩ）、又は設定されたスケジューリング−ＲＮＴＩ（ＣＳ−ＲＮＴＩ）を含む。
【０２１８】
オプションとして、上記の任意の態様において、第１シーケンスは、ｎＩＤにより表現される設定可能なパラメータに基づいて決定される初期化シーケンスを利用して初期化される。
【０２１９】
オプションとして、上記の任意の態様において、ｎＩＤ∈｛０，１，．．．，１０２３｝は、上位レイヤ・シグナリングにより設定される。オプションとして、ｎＩＤ∈｛０，１，．．．，１０２３｝は、上位レイヤ・パラメータにより指定されてもよいし、或いは上位レイヤ・パラメータに等しくてもよい。
【０２２０】
オプションとして、上記の任意の態様において、初期化シーケンスは、ｎＩＤにより表現される設定可能なパラメータに基づいて決定され、初期化シーケンスは、ｃｉｎｉｔ＝ｎＲＮＴＩ・２１５＋ｑ・２１４＋ｎＩＤを充足し、ｃｉｎｉｔは初期化シーケンスを表現し、ｎＲＮＴＩは物理ダウンリンク共有チャネル（ＰＤＳＣＨ）伝送に関連するＲＮＴＩに対応する。
【０２２１】
本開示の別の態様によれば、非一時的なメモリ・ストレージに結合するように構成された１つ以上のプロセッサを含む装置が提供され、非一時的なメモリ・ストレージは命令を格納するように構成され、命令は、実行されると１つ以上のプロセッサに：装置又は装置が使用される基地局（ＢＳ）とユーザー装置（ＵＥ）との間のデータ通信をスケジューリングする第１ダウンリンク制御情報（ＤＣＩ）を送信するステップであって、第１ＤＣＩは第１フォーマットにあり、第１ＤＣＩは、ＵＥのＵＥ識別子（ＩＤ）によりスクランブルされた巡回冗長検査（ＣＲＣ）によるＵＥ固有の探索空間にある、ステップ；及び、第１ＤＣＩに従って第１データを受信するステップであって、第１データは、設定可能なパラメータにより初期化された第１シーケンスによりスクランブルされる、ステップ；を実行させる。
【０２２２】
オプションとして、上記の任意の態様において、第１ＤＣＩに従って第１データを受信するステップは：設定可能なパラメータにより初期化された第１シーケンスを利用して第１データをデスクランブルするステップを含む。
【０２２３】
オプションとして、上記の任意の態様において、１つ以上のプロセッサは：装置又は装置が使用される基地局（ＢＳ）とＵＥとの間のデータ通信をスケジューリングする第２ＤＣＩを送信するステップであって、第２ＤＣＩは、ＵＥのＵＥ  ＩＤによりスクランブルされたＣＲＣによる共通の探索空間にある、ステップ；及び、第２ＤＣＩに従って第２データを受信するステップであって、第２データは、セル識別子（ＩＤ）により初期化された第２シーケンスによりスクランブルされる、ステップ；のための命令を更に実行する。
【０２２４】
オプションとして、上記の任意の態様において、第１ＤＣＩの第１フォーマットは、フォールバック用のＤＣＩのフォーマットである。
【０２２５】
オプションとして、上記の任意の態様において、ＵＥ  ＩＤは、セル無線ネットワーク一時識別子（Ｃ−ＲＮＴＩ）、又は設定されたスケジューリング−ＲＮＴＩ（ＣＳ−ＲＮＴＩ）を含む。
【０２２６】
オプションとして、上記の任意の態様において、第１シーケンスは、ｎＩＤにより表現される設定可能なパラメータに基づいて決定される初期化シーケンスを利用して初期化される。
【０２２７】
オプションとして、上記の任意の態様において、ｎＩＤ∈｛０，１，．．．，１０２３｝は、上位レイヤ・シグナリングにより設定される。オプションとして、ｎＩＤ∈｛０，１，．．．，１０２３｝は、上位レイヤ・パラメータにより指定されてもよいし、或いは上位レイヤ・パラメータに等しくてもよい。
【０２２８】
オプションとして、上記の任意の態様において、初期化シーケンスは、ｎＩＤにより表現される前記設定可能なパラメータに基づいて決定され、初期化シーケンスは、ｃｉｎｉｔ＝ｎＲＮＴＩ・２１５＋ｎＩＤを充足し、ｃｉｎｉｔは初期化シーケンスであり、ｎＲＮＴＩは物理アップリンク共有チャネル（ＰＵＳＣＨ）伝送に関連する無線ネットワーク一時識別子（ＲＮＴＩ）に対応する。
【０２２９】
本願で提供される実施形態の方法の１つ以上のステップは、対応するユニット又はモジュールによって実行されてもよいことが理解されるべきである。例えば、信号は送信ユニット又は送信モジュールによって送信されてもよい。信号は、受信ユニット又は受信モジュールによって受信されてもよい。信号は、処理ユニット又は処理モジュールによって処理されてもよい。他のステップは、実行ユニット／モジュール、検出ユニット／モジュール、初期化ユニット／モジュール、スクランブル・ユニット／モジュール、デスクランブル・ユニット／モジュール、及び／又はデコード・ユニット／モジュールによって実行されてもよい。個々のユニット／モジュールは、ハードウェア、ソフトウェア、又はそれらの組み合わせであってもよい。例えば、１つ以上のユニット／モジュールは、フィールド・プログラマブル・ゲート・アレイ（ＦＰＧＡ）又は特定用途向け集積回路（ＡＳＩＣ）のような集積回路であってもよい。モジュールがソフトウェアである場合、それらは、必要に応じて単一又は複数のインスタンスにおいて、処理のために個々に又は一緒に、必要に応じて全体的に又は部分的にプロセッサによって検索される可能性があること、及び、モジュール自体は更なる発展及びインスタンス化のための命令を含む可能性があることは、理解されるであろう。
【０２３０】
本願において「少なくとも１つの」は１つ以上を意味し、「複数の」は２つ以上を意味する。「及び／又は」は、関連するオブジェクトの関連する関係を述べており、例えばＡ及び／又はＢの３つの関係：Ａが別個に存在すること、Ａ及びＢが同時に存在すること、Ｂが別個に存在すること、を示す可能性が存在し得ることを示し、ここでＡ、Ｂは単数又は複数である可能性がある。文字「／」は、一般に、文脈の対象が「又は」の関係であることを示す。「以下の少なくとも１つ」又はその類似の表現は、これらの項目の任意の組み合わせを指し、単一の項目又は複数の項目の任意の組み合わせを含む。例えば、ａ、ｂ、又はｃの少なくとも１つは：ａ、ｂ、ｃ、ａｂ、ａｃ、ｂｃ、又はａｂｃを表現する可能性があり、ここで、ａ、ｂ、ｃは単数又は複数である可能性がある。
【０２３１】
以下のリファレンスは、本願の対象事項に関連している。これらのリファレンスの各々は、その全体が参照により本願に組み込まれる：
【０２３２】
第３世代パートナーシップ・プロジェクト（３ＧＰＰ）技術仕様書（ＴＳ）３８．２１３，Ｖ１５．１．０（２０１８−０３），ｅｎｔｉｔｌｅｄ“３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  ＮＲ；  Ｐｈｙｓｉｃａｌ  ｌａｙｅｒ  ｐｒｏｃｅｄｕｒｅｓ  ｆｏｒ  ｃｏｎｔｒｏｌ  （Ｒｅｌｅａｓｅ  １５）”。
【０２３３】
３ＧＰＰ  ＴＳ  ３８．２１２，  Ｖ１５．１．１  （２０１８−０３），  ｅｎｔｉｔｌｅｄ“３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  ＮＲ；  Ｍｕｌｔｉｐｌｅｘｉｎｇ  ａｎｄ  ｃｈａｎｎｅｌ  ｃｏｄｉｎｇ  （Ｒｅｌｅａｓｅ  １５）”．
【０２３４】
３ＧＰＰ  ＴＳ  ３８．２１１，  Ｖ１５．１．０  （２０１８−０３），  ｅｎｔｉｔｌｅｄ  “３ｒｄ  Ｇｅｎｅｒａｔｉｏｎ  Ｐａｒｔｎｅｒｓｈｉｐ  Ｐｒｏｊｅｃｔ．  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  ＮＲ；  Ｐｈｙｓｉｃａｌ  ｃｈａｎｎｅｌｓ  ａｎｄ  ｍｏｄｕｌａｔｉｏｎ  （Ｒｅｌｅａｓｅ  １５）”．
【０２３５】
３ＧＰＰ  ＴＳ  ３８．２１１，  Ｖ１５．３．０  （２０１８−０９），  ｅｎｔｉｔｌｅｄ  “３ｒｄ  Ｇｅｎｅｒａｔｉｏｎ  Ｐａｒｔｎｅｒｓｈｉｐ  Ｐｒｏｊｅｃｔ．  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  ＮＲ；  Ｐｈｙｓｉｃａｌ  ｃｈａｎｎｅｌｓ  ａｎｄ  ｍｏｄｕｌａｔｉｏｎ  （Ｒｅｌｅａｓｅ  １５）”．
【０２３６】
３ＧＰＰ  ＴＳ  ３８．３００，  Ｖ１５．１．０  （２０１８−０３），  ｅｎｔｉｔｌｅｄ  “３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  ＮＲ；  ＮＲ  ａｎｄ  ＮＧ−ＲＡＮ  Ｏｖｅｒａｌｌ  Ｄｅｓｃｒｉｐｔｉｏｎ；  Ｓｔａｇｅ  ２  （Ｒｅｌｅａｓｅ  １５）”．
【０２３７】
３ＧＰＰ  ＴＳ  ３８．３３１，  Ｖ１５．１．０  （２０１８−０３），  ｅｎｔｉｔｌｅｄ  “３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  ＮＲ；  Ｒａｄｉｏ  Ｒｅｓｏｕｒｃｅ  Ｃｏｎｔｒｏｌ  （ＲＲＣ）  ｐｒｏｔｏｃｏｌ  ｓｐｅｃｉｆｉｃａｔｉｏｎ  （Ｒｅｌｅａｓｅ  １５）”．
【０２３８】
特徴の組み合わせが例示の実施形態で示されているが、本開示の様々な実施形態の利点を実現するために、必ずしもそれらの全てが組み合わせられる必要はない。換言すれば、本開示の実施形態に従って設計されるシステム又は方法は、必ずしも、何れか１つの図面に示された全ての特徴、又は図面に概略的に示された全ての部分を含んではいないであろう。更に、一実施形態の選択された特徴は、他の実施形態の選択された特徴と組み合わせられてもよい。
【０２３９】
本開示は、例示的な実施形態を参照して説明されてきたが、この説明は、限定的な意味で解釈されるようには意図されていない。説明を参照することにより、本開示の他の実施形態と同様に、例示の実施形態の種々の修正及び組み合わせは、当業者に明らかであろう。従って、添付の特許請求の範囲はそのような修正又は実施形態を包含することが意図されている。
【図１】
2021519561.tif 000021
【図２】
2021519561.tif 000022
【図３】
2021519561.tif 000023
【図４】
2021519561.tif 000024
【図５】
2021519561.tif 000025
【図６】
2021519561.tif 000026
【図７Ａ】
2021519561.tif 000027
【図７Ｂ】
2021519561.tif 000028
【図８】
2021519561.tif 000029
【図９】
2021519561.tif 000030
【図１０】
2021519561.tif 000031
【図１１】
2021519561.tif 000032
【手続補正書】
【提出日】令和2年11月25日(2020.11.25)
【手続補正１】
【補正対象書類名】特許請求の範囲
【補正対象項目名】全文
【補正方法】変更
【補正の内容】
【特許請求の範囲】
【請求項１】
ユーザー装置（ＵＥ）又はＵＥに使用される装置が、前記ＵＥの第１データ通信をスケジューリングする第１ダウンリンク制御情報（ＤＣＩ）を受信するステップであって、前記第１ＤＣＩは、物理ダウンリンク共有チャネル（ＰＤＳＣＨ）のＤＣＩフォーマット１＿０である第１フォーマットにあり、前記第１ＤＣＩは、前記ＵＥのＵＥ識別子（ＩＤ）によりスクランブルされた巡回冗長検査（ＣＲＣ）によるＵＥ固有の探索空間にある、ステップ（９０２，１０２）；及び
前記ＵＥ又は前記装置が、前記第１ＤＣＩに従って第１データを受信するステップであって、前記第１データは第１シーケンスによりスクランブルされ、前記第１シーケンスは、設定可能なパラメータにより初期化される、ステップ（９０４，１１８）；
を含む方法。
【請求項２】
前記ＵＥ又は前記装置が、前記ＵＥの第２データ通信をスケジューリングする第２ＤＣＩを受信するステップであって、前記第２ＤＣＩは、前記ＵＥの前記ＵＥ  ＩＤによりスクランブルされたＣＲＣによる共通の探索空間にある、ステップ（１０２）；及び
前記ＵＥ又は前記装置が、前記第２ＤＣＩに従って第２データを受信するステップであって、前記第２データは第２シーケンスによりスクランブルされ、前記第２シーケンスはセルＩＤにより初期化される、ステップ（１２８）；
を更に含む請求項１に記載の方法。
【請求項３】
前記ＵＥ又は装置が、前記設定可能なパラメータを基地局（ＢＳ）から受信するステップ；
を更に含む請求項１又は２に記載の方法。
【請求項４】
前記第１ＤＣＩに従って前記第１データを受信するステップは：
前記第１ＤＣＩが前記第１フォーマットにあり且つ前記第１ＤＣＩが、前記ＵＥの前記ＵＥ ＩＤによりスクランブルされたＣＲＣによる前記ＵＥ固有の探索空間にある場合に、前記ＵＥ又は前記装置が、前記設定可能なパラメータにより初期化された前記第１シーケンスを利用して前記第１データをデスクランブルするステップ；及び
前記第２ＤＣＩが前記ＵＥの前記ＵＥ  ＩＤによりスクランブルされたＣＲＣによる前記共通の探索空間にある場合に、前記ＵＥ又は前記装置が、前記セルＩＤにより初期化された前記第２シーケンスを利用して前記第２データをデスクランブルするステップ；
を含む、請求項１〜３のうちの何れか１項に記載の方法。
【請求項５】
基地局（ＢＳ）又は前記ＢＳに使用される装置が、前記ＢＳとユーザー装置（ＵＥ）との間のデータ通信をスケジューリングする第１ダウンリンク制御情報（ＤＣＩ）を送信するステップであって、前記第１ＤＣＩは、物理ダウンリンク共有チャネル（ＰＤＳＣＨ）のＤＣＩフォーマット１＿０である第１フォーマットにあり、前記第１ＤＣＩは、前記ＵＥのＵＥ識別子（ＩＤ）によりスクランブルされた巡回冗長検査（ＣＲＣ）によるＵＥ固有の探索空間にある、ステップ（１００２，２０１）；及び
前記ＢＳ又は前記装置が、前記第１ＤＣＩに従って第１データを送信するステップであって、前記第１データは、設定可能なパラメータにより初期化された第１シーケンスによりスクランブルされる、ステップ（１００４，２１８）；
を含む方法。
【請求項６】
前記ＢＳ又は前記装置が、前記ＢＳと前記ＵＥとの間のデータ通信をスケジューリングする第２ＤＣＩを送信するステップであって、前記第２ＤＣＩは、前記ＵＥの前記ＵＥ  ＩＤによりスクランブルされたＣＲＣによる共通の探索空間にある、ステップ（２０１）；
前記ＢＳ又は前記装置が、前記第２ＤＣＩに従って第２データを送信するステップであって、前記第２データは、セルＩＤにより初期化された第２シーケンスによりスクランブルされる、ステップ（２２８）；
を更に含む請求項５に記載の方法。
【請求項７】
前記第１ＤＣＩの前記第１フォーマットは、フォールバック用のＤＣＩのフォーマットである、請求項１〜６のうちの何れか１項に記載の方法。
【請求項８】
前記ＵＥ  ＩＤは、セル無線ネットワーク一時識別子（Ｃ−ＲＮＴＩ）、変調及び符号化方式−Ｃ−ＲＮＴＩ（ＭＣＳ−Ｃ−ＲＮＴＩ）、又は設定されたスケジューリング−ＲＮＴＩ（ＣＳ−ＲＮＴＩ）を含む、請求項１〜７のうちの何れか１項に記載の方法。
【請求項９】
前記第１シーケンスは、ｎＩＤにより表現される前記設定可能なパラメータに基づいて決定される初期化シーケンスを利用して初期化され、ｎＩＤ∈｛０，１，．．．，１０２３｝は、上位レイヤ・シグナリングにより設定される、請求項１〜８のうちの何れか１項に記載の方法。
【請求項１０】
前記初期化シーケンスは、ｎＩＤにより表現される前記設定可能なパラメータに基づいて決定され、前記初期化シーケンスは、ｃｉｎｉｔ＝ｎＲＮＴＩ・２１５＋ｑ・２１４＋ｎＩＤを充足し、ｃｉｎｉｔは前記初期化シーケンスであり、ｎＲＮＴＩは前記ＰＤＳＣＨに関連する無線ネットワーク一時識別子（ＲＮＴＩ）に対応する、請求項９記載の方法。
【請求項１１】
前記第１ＤＣＩを受信するステップは、無線リソース制御（ＲＲＣ）設定手順が実行された後に、前記第１ＤＣＩを検出するステップを含む、請求項１〜１０のうちの何れか１項に記載の方法。
【請求項１２】
請求項１〜４、７〜９のうちの何れか１項に記載の方法を実行するように構成された装置。
【請求項１３】
請求項５〜９のうちの何れか１項に記載の方法を実行するように構成された装置。
【請求項１４】
１つ以上のプロセッサにより実行されると、請求項１〜４、７〜９のうちの何れか１項に記載の方法のステップを前記１つ以上のプロセッサに実行させるコンピュータ命令を含むプログラム。
【請求項１５】
１つ以上のプロセッサにより実行されると、請求項５〜９のうちの何れか１項に記載の方法のステップを前記１つ以上のプロセッサに実行させるコンピュータ命令を含むプログラム。
【請求項１６】
請求項１２に記載の装置と請求項１３に記載の装置とを含むシステム。
【手続補正２】
【補正対象書類名】明細書
【補正対象項目名】００３６
【補正方法】変更
【補正の内容】
【００３６】
本開示の実施形態についての生産及び使用は、以下において詳細に説明される。しかしながら、本願で開示される概念は、広く様々な特定の状況で具現化されることが可能であること、及び本願で議論される特定の実施形態は、単なる例示であり、特許請求の範囲を限定することには役立たないことが理解されるべきである。更に、添付の特許請求の範囲によって定義される本開示の範囲から逸脱することなく、種々の変更、置換、及び代替が本願において行われ得ることが理解されるべきである。
【国際調査報告】
2021519561.tif 000033
2021519561.tif 000034